(57)【特許請求の範囲】
【請求項１】
遊技中に作動契機が発生したことを条件として、所定の入賞口を閉鎖状態から開放状態へ変化させた後に前記閉鎖状態に復帰させる開閉動作の実行が可能となる可動入球装置と、
前記可動入球装置の前記開閉動作に伴い前記入賞口に入賞した遊技球が前記可動入球装置内に設けられた特定領域を通過すると、特別遊技を実行する特別遊技実行手段と、
前記可動入球装置内に形成され、前記開閉動作に伴い前記入賞口に入賞した遊技球を誘導する誘導路と、
前記誘導路の途中に設けられ、前記誘導路上にて遊技球の移動を制止する制止状態か、又は遊技球の移動を許容する解除状態のいずれかに変化するストッパ部材と、
前記ストッパ部材に対して前記誘導路の下流位置に配置され、遊技中に予め定められた一定の動作を行いつつ、前記ストッパ部材が前記制止状態から前記解除状態に変化したことで遊技球の移動が許容された場合、前記誘導路から放出された遊技球を前記一定の動作に起因して前記特定領域を通過させた上で排出する第１の振り分け動作か、もしくは前記特定領域を通過させることなく排出する第２の振り分け動作を行う振分動作体と、
遊技中に前記作動契機が発生した場合、前記可動入球装置に初回の前記開閉動作を実行させることで、前記制止状態にある前記ストッパ部材を前記解除状態へ変化させるのに必要な開始契機を発生させる開始契機発生手段と、
前記開始契機発生手段による初回の前記開閉動作の実行後、前記可動入球装置に２回目以降の前記開閉動作を実行させて前記入賞口への入賞の発生を容易化する入賞発生容易化手段と、
前記開始契機発生手段により初回の前記開閉動作が実行されたことで前記開始契機が発生すると、前記入賞発生容易化手段により実行される２回目以降の前記開閉動作の実行タイミングとの関係が不規則となる態様により、前記制止状態にある前記ストッパ部材を前記解除状態に変化させた後に前記制止状態へ変化させる解除動作を実行させる解除動作実行手段と
を備えた遊技機。
【請求項２】
請求項１に記載の遊技機において、
前記解除動作実行手段は、
前記開始契機発生手段により実行される初回の前記開閉動作の実行タイミングとの関係性を有する一方、前記入賞発生容易化手段により実行される２回目以降の前記開閉動作の実行タイミングとは無関係に設定された断続的な動作パターンに基づいて、複数回の前記解除動作を実行させることを特徴とする遊技機。
【請求項３】
請求項１又は２に記載の遊技機において、
前記開始契機発生手段は、
前記入賞発生容易化手段により実行される２回目以降の前記開閉動作に比較して、入賞の発生が困難となる短時間内で初回の前記開閉動作を完了させることを特徴とする遊技機。
【請求項４】
請求項１から３のいずれかに記載の遊技機において、
前記開始契機発生手段により実行される初回の前記開閉動作の完了後から前記入賞発生容易化手段により２回目以降の前記開閉動作の実行が開始されるまでの時間として、互いの長さが異なる複数通りの待機時間を予め規定する待機時間規定手段と、
前記入賞発生容易化手段による２回目以降の前記開閉動作の実行に際して、前記待機時間規定手段により規定された複数通りの前記待機時間の中からいずれかを選択する待機時間選択手段とをさらに備え、
前記入賞発生容易化手段は、
前記開始契機発生手段により実行される初回の前記開閉動作が完了した後、前記待機時間選択手段により選択された前記待機時間が経過したことを条件として、２回目以降の前記開閉動作を実行することを特徴とする遊技機。
【請求項５】
請求項４に記載の遊技機において、
遊技中に抽選契機が発生すると、少なくとも前記作動契機の発生に関わる内部抽選を実行する内部抽選実行手段と、
前記内部抽選実行手段による前記内部抽選で当選が得られた場合、予め定められた複数の当選種類のいずれに該当するかを決定する当選種類決定手段と、
前記内部抽選実行手段により前記内部抽選が実行されると、予め設定した変動時間にわたり特別図柄を変動表示させた後に前記内部抽選の結果を表す態様で前記特別図柄を停止表示させる特別図柄表示手段と、
前記内部抽選実行手段による前記内部抽選で当選が得られ、かつ、前記当選種類決定手段により決定された当選種類を表す態様で前記特別図柄表示手段により行われる前記特別図柄の停止表示が確定すると、前記作動契機を発生させる作動契機発生手段とをさらに備え、
前記待機時間決定手段は、
前記内部抽選実行手段による前記内部抽選で当選が得られた場合、前記当選種類決定手段により決定された当選種類に応じて複数通りの前記待機時間の中からいずれかを選択することを特徴とする遊技機。
【発明の詳細な説明】
【技術分野】
【０００１】
本発明は、開放中の役物装置に入賞した遊技球の振り分け動作を行い、その結果に応じて遊技者に利益を付与するか否かを決定するタイプの遊技機に関する。
【背景技術】
【０００２】
従来、始動口への入賞により当否判定を行って図柄の変動表示を開始し、変動時間が経過すると図柄を停止表示し、小当り図柄で停止表示されると、特定入球口を開口して小当り遊技を開始するタイプの遊技機がある（例えば、特許文献１参照。）。このタイプの遊技機では、役物装置の内部に特定領域が設けられており、開放中の特定入球口に遊技球が入賞して役物装置内で特定領域を通過すれば、特典として大当り遊技が開始されるものとなっている。ただし、小当り図柄が停止しても、特定入球口の開放中に入賞が発生しないと大当り遊技に進めないため、遊技者にはある程度の技術（球の打ち出し技術）が要求されている。
【０００３】
このため先行技術の遊技機では、小当り遊技が開始されても、大当り遊技を開始することができなかった場合、特定変動時間テーブルを参照して図柄の変動時間を略一様の長さに設定している。これにより遊技者は、始動口に入賞してから特定入球口が開放するタイミングを把握し易くなるので、次からは開放時の狙い打ちが容易になる。
【０００４】
上記の遊技機（特許文献１）は、役物装置内に設置された固定物（例えば３穴クルーン）で遊技機の振り分けを行うものであるが、これとは別に、役物装置内で可動体や回転体による振り分けを行うタイプの遊技機がある（例えば、特許文献２参照。）。このタイプの遊技機では、役物装置の開放時に入賞した遊技球が一旦、２箇所の貯留部にてそれぞれ貯留（保留）され、予め決まったタイミングで貯留が順番に解除されると、各貯留部から遊技球が回転体に向けて放出される。このとき、回転体で遊技球がＶ入賞孔に振り分けられると、遊技球が特定領域を通過して遊技状態が大当り遊技状態に移行する。一方、回転体でＶ入賞孔以外に振り分けられると、特定領域を通過せずに役物装置内から遊技球が排出され、全ての排出球数が入賞球数と一致すると、その時点で役物ゲーム終了になる。この間に回転体は、役物装置が開放されるタイミングや貯留が解除されるタイミングとは無関係の動作（例えば電源投入時から一定動作）を行っているため、たとえ回転体の動作に合わせて遊技球を発射しても、意図的にＶ入賞させること（いわゆる攻略打ち）はできなくなっている。
【先行技術文献】
【特許文献】
【０００５】
【特許文献１】特開２０１０−３５８３３号公報
【特許文献２】特開２００９−４５１２０号公報（図２０、図４２、図４４等）
【発明の概要】
【発明が解決しようとする課題】
【０００６】
先に挙げたタイプの遊技機（特許文献１）は、特定入球口への入賞や特定領域の通過が発生しなかった場合、次回から敢えて特定入球口に遊技球を入球させ易い状態で小当り遊技を実行するというものである。しかし、これではかえって小当り遊技が簡単すぎて単調になり、「自らの技術介入で入賞のタイミングを調整する」といった本来の面白味を遊技機自らが消してしまうことになる。
【０００７】
この点、後に挙げたタイプの遊技機（特許文献２）は、役物装置が開放するタイミングを一様にしたり、開放時の入賞を容易化したりするものではなく、遊技機が自らの面白味を削ぐようなことはない。また、回転体の振り分け動作が役物装置の開放タイミングや貯留の解除タイミングと連動していないため、毎回の小当り遊技で振り分けの結果が一様ではなくなり、この点で遊技の単調化はある程度抑えられている。
【０００８】
しかし、各貯留部で遊技球の貯留が解除されるタイミングは、役物装置の開放を契機として予め決まっているため、たとえ回転体が独自の動作を行っていたとしても、そこへ遊技球が放出されていくタイミングは基本的に単調である。このため、小当り遊技の開始前から回転体の動作を観察している遊技者にとっては、役物装置が開放された時点で回転体がどのような状態であったか（Ｖ入賞孔がどの角度に位置していたか）を手がかりとして、今回の小当り遊技で特定領域の通過が発生するか否かは事前に予測可能となる。この場合、小当り遊技が発生しても、事前の予測で特定領域を通過しそうにないと分かってしまうと、せっかくの面白味も半減してしまうという問題がある。
【０００９】
そこで本発明は、振り分け動作の結果について事前の予測を困難にすることができる技術を提供しようとするものである。
【課題を解決するための手段】
【００１０】
本発明は、上記の課題を解決するため以下の手段を採用する。
解決手段１：すなわち本発明の遊技機は、所定の一般条件（例えば内部抽選及び特別図柄の変動が行われるという条件）が適用される遊技中に作動契機が発生したことを条件として、所定の入賞口を閉鎖状態から開放状態へ変化させた後に前記閉鎖状態に復帰させる開閉動作の実行が可能となる可動入球装置と、前記可動入球装置の前記開閉動作に伴い前記入賞口に入賞した遊技球が前記可動入球装置内に設けられた特定領域を通過すると、前記一般条件とは異なる特別な条件（例えば内部抽選及び特別図柄の変動は行われず、可変入賞装置が連続して作動するという条件）が適用された特別遊技を実行する特別遊技実行手段と、前記可動入球装置内に形成され、前記開閉動作に伴い前記入賞口に入賞した遊技球を誘導する誘導路と、前記誘導路の途中に設けられ、前記誘導路上にて遊技球の移動を制止する制止状態か、又は遊技球の移動を許容する解除状態のいずれかに変化するストッパ部材と、前記ストッパ部材に対して前記誘導路の下流位置に配置され、前記一般条件が適用される遊技中、及び前記特別遊技中のいずれにおいても予め定められた一定の動作を行いつつ、前記ストッパ部材が前記制止状態から前記解除状態に変化したことで遊技球の移動が許容された場合、前記誘導路から放出された遊技球を前記一定の動作に起因して前記特定領域を通過させた上で排出する第１の振り分け動作か、もしくは前記特定領域を通過させることなく排出する第２の振り分け動作の少なくともいずれか一方を行う振分動作体と、前記一般条件が適用される遊技中に前記作動契機が発生した場合、前記可動入球装置に初回の前記開閉動作を実行させることで、前記制止状態にある前記ストッパ部材を前記解除状態へ変化させるのに必要な開始契機を発生させる開始契機発生手段と、前記開始契機発生手段による初回の前記開閉動作の実行後、前記可動入球装置に２回目以降の前記開閉動作を実行させて前記入賞口への入賞の発生を容易化する入賞発生容易化手段と、前記開始契機発生手段により初回の前記開閉動作が実行されたことで前記開始契機が発生すると、前記入賞発生容易化手段により実行される２回目以降の前記開閉動作の態様との関係が不規則となる態様により、前記制止状態にある前記ストッパ部材を前記解除状態に変化させた後に前記制止状態へ変化させる解除動作を実行させる解除動作実行手段とを備える。
【００１１】
なお、上記でいう「遊技球の移動を制止する」とは、「入賞した遊技球が誘導路上を誘導されてきたとすると、その遊技球の移動を制止する」という意味である。また「遊技球の移動を許容する」とは、「遊技球が入賞し、その遊技球が誘導路上を誘導されてきて制止状態で移動を制止されていたとすれば、その遊技球の移動を許容する」という意味である。したがって、ストッパ部材が「制止状態」にあっても、実際に遊技球が入賞していなければ「遊技球の移動を制止する」ことはないが、可動物としてのストッパ部材は「そこに遊技球があったとしたら移動を制止していた状態」にあることに変わりはない。また、ストッパ部材が「解除状態」に変化しても、それまでに入賞した遊技球を制止していなければ「遊技球の移動を許容する」ことはないが、可動物としてのストッパ部材は「それまでに遊技球の移動を制止していたとしたら、その移動を許容する状態」となる。
【００１２】
本発明の遊技機によれば、一般条件が適用される遊技中に作動契機が発生すると、これを条件として可動入球装置の開閉動作が行われるが、開閉動作は少なくとも（１）初回の開閉動作と（２）２回目以降の開閉動作に分かれて行われる。このうち「初回の開閉動作」は、ストッパ部材を制止状態から解除状態へ変化させるのに必要な開始契機を発生させることを１つの目的とする。また「初回の開閉動作」は、この後に「２回目以降の開閉動作」を行うための予備的な動作となる。このため好ましくは、「初回の開閉動作」で可動入球装置への入賞を発生させる必要はなく、特に「初回の開閉動作」で入賞口への入賞が容易化されなくてもよい。
【００１３】
これに対し「２回目以降の開閉動作」は、「初回の開閉動作」が終了した後に可動入球装置にて入賞口への入賞の発生を容易化するためのものであり、ここで実際に入賞を発生させる機会を遊技者に付与している。なお「２回目以降の開閉動作」は、１回分の開閉動作を行う態様であってもよいし、複数回分の開閉動作を行う態様であってもよい。
【００１４】
いずれにしても、入賞口に入賞した遊技球は、可動入球装置内の誘導路を通じて誘導され、やがてストッパ部材により移動を一旦制止される。次にストッパ部材の解除動作が行われると、それまで移動を制止されていた遊技球の移動が許容され、誘導路から放出されることになる。遊技球の放出される先（誘導路の下流位置）には振分動作体が配置されているが、この振分動作体は予め定められた一定の動作を常時行っている。
【００１５】
このような振分動作体に向けて遊技球が放出されると、振分動作体はそれまでと同じ一定の動作を保ちつつ、この一定動作に起因して遊技球の振り分け動作（第１の振り分け動作、もしくは第２の振り分け動作があるが、別の振り分け動作があってもよい。）を行う。つまり振分動作体は、ストッパ部材の解除動作とは全く連動せず、独自に行っている一定動作の流れの中で遊技球の振り分け動作を行っている。このため、遊技球が特定領域を通過するか否かは、ストッパ部材が解除動作を行うタイミングと振分動作体が行う一定動作の周期との相対的な関係に依存して決定されることになる。
【００１６】
ただし、可動入球装置の開閉動作とストッパ部材による解除動作との関係が一本調子であると、従来と同様に可動入球装置の開閉動作が行われた時点で振分動作体がどのような状態（例えば回転方向でみた特定位置の角度）にあったかを手がかりとして、今回の開閉動作で入賞した遊技球が特定領域を通過するか否か、つまり、第１の振り分け動作が行われることになるのか、それとも第２の振り分け動作が行われることになるのかは事前に予測可能（いわゆる先バレ）となる。
【００１７】
このため本発明の遊技機では、入賞口への入賞が容易化される「２回目以降の開閉動作」に対し、これとの関係が不規則となる態様でストッパ部材の解除動作を行うこととしている。すなわち、ストッパ部材を制止状態から解除状態へ変化させる（解除動作を行う）ための開始契機は、「初回の開閉動作」により既に発生しているため、「２回目以降の開閉動作」に対してストッパ部材を規則的に解除動作させる必要はないからである。この場合、「２回目以降の開閉動作」で入賞した遊技球がどのタイミングで振分動作体に放出されるかを事前に予測することは困難になる。したがって、「ストッパ部材の解除動作（遊技球の放出）がどのタイミングで行われるか」に対して遊技者の興味を惹き付けるとともに、実際に遊技球が放出された場合、その先で行われる振り分け動作に遊技者の注目を集め、はらはらどきどきとした感覚を抱かせることができる。
本発明の遊技機によれば、可動入球装置内で実際に振り分け動作が行われるまでの予測をつきにくくして振り分け動作に意外性を持たせ、緊張感や期待感を途切れにくくすることができる。また、いわゆる「攻略打ち」の可能性を排除し、広く万人に公正な遊技を提供することができる。
【００１８】
解決手段２：解決手段１において、前記解除動作実行手段は、前記開始契機発生手段により実行される初回の前記開閉動作の態様との関係性を有する一方、前記入賞発生容易化手段により実行される２回目以降の前記開閉動作の態様とは無関係に設定された断続的な動作パターンに基づいて、複数回の前記解除動作を実行させることができる。
【００１９】
本解決手段によれば、ストッパ部材の解除動作が断続的に複数回にわたり実行されるため、「２回目以降の開閉動作」で遊技球の入賞が発生するタイミングと、その遊技球がストッパ部材にて制止されるタイミングや放出されるタイミング等の関係がより複雑となる。また、ストッパ部材の解除動作が複数回にわたり実行されるため、「２回目以降の開閉動作」のあるタイミングで遊技球の入賞が発生しても、その遊技球が何回目の解除動作で放出されるかは事前に決まっていない。例えば、入賞した遊技球が１回目の解除動作の前にストッパ部材で制止（貯留）されていれば、その遊技球は１回目の解除動作で放出されることになるが、１回目の解除動作の後にストッパ部材で制止された場合、その遊技球は２回目の解除動作で放出されることとなる。このように、遊技球の入賞が発生したタイミングとストッパ部材による遊技球の制止と解除動作のタイミングとの関係をより多様化することで、事前の推測をさらに困難にし、最後まで緊張感や期待感の途切れにくい遊技性を実現することができる。
【００２０】
解決手段３：解決手段１，２において、前記開始契機発生手段は、前記入賞発生容易化手段により実行される２回目以降の前記開閉動作の態様に比較して、入賞の発生が困難となる短時間内で初回の前記開閉動作を完了させる。
【００２１】
本解決手段によれば、「初回の開閉動作」を短時間内で完了させることにより、遊技者に対して「初回の開閉動作が行われた」という挙動を意識させにくくすることができる。これにより、遊技者の意識を「２回目以降の開閉動作」とストッパ部材による不規則な解除動作に向けさせて、最後まで緊張感や期待感の途切れにくい遊技を提供することができる。
【００２２】
解決手段４：解決手段１から３において、本発明の遊技機は、前記開始契機発生手段により実行される初回の前記開閉動作の完了後から前記入賞発生容易化手段により２回目以降の前記開閉動作の実行が開始されるまでの時間として、互いの長さが異なる複数通りの待機時間を予め規定する待機時間規定手段と、前記入賞発生容易化手段による２回目以降の前記開閉動作の実行に際して、前記待機時間規定手段により規定された複数通りの前記待機時間の中からいずれかを選択する待機時間選択手段とをさらに備え、前記入賞発生容易化手段は、前記開始契機発生手段により実行される初回の前記開閉動作が完了した後、前記待機時間選択手段により選択された前記待機時間が経過したことを条件として、２回目以降の前記開閉動作を実行することができる。
【００２３】
本解決手段によれば、「初回の開閉動作」が完了した後、「２回目以降の開閉動作」が行われるまでの待機時間の長さを予め複数持っておき、毎回の作動契機でいずれかの待機時間を選択することにより、作動契機ごとに「２回目以降の開閉動作」が行われるタイミングを一定でなくすることができる。これにより、ますます「２回目以降の開閉動作」とストッパ部材による不規則な解除動作との関係を多様化し、事前の振り分け動作の予測をさらに困難にすることができる。
【００２４】
解決手段５：解決手段４において、本発明の遊技機は、前記一般条件が適用される遊技中に抽選契機が発生すると、少なくとも前記作動契機の発生に関わる内部抽選を実行する内部抽選実行手段と、前記内部抽選実行手段による前記内部抽選で当選が得られた場合、予め定められた複数の当選種類のいずれに該当するかを決定する当選種類決定手段と、前記内部抽選実行手段により前記内部抽選が実行されると、予め設定した変動時間にわたり特別図柄を変動表示させた後に前記内部抽選の結果を表す態様で前記特別図柄を停止表示させる特別図柄表示手段と、前記内部抽選実行手段による前記内部抽選で当選が得られ、かつ、前記当選種類決定手段により決定された当選種類を表す態様で前記特別図柄表示手段により行われる前記特別図柄の停止表示が確定すると、前記作動契機を発生させる作動契機発生手段とをさらに備え、前記待機時間決定手段は、前記内部抽選実行手段による前記内部抽選で当選が得られた場合、前記当選種類決定手段により決定された当選種類に応じて複数通りの前記待機時間の中からいずれかを選択することができる。
【００２５】
本解決手段によれば、複数通りの長さに規定された待機時間を選択するにあたり、内部抽選で当選した際の当選種類を選択の基準とすることができる。この場合、「２回目以降の開閉動作」が行われるタイミングを内部抽選に付随して決定することができるので、任意に開閉動作のタイミングをずらしたりすることなく、公正な遊技の進行を保証することができる。
【発明の効果】
【００２６】
本発明の遊技機によれば、公正な遊技を提供することができる。
【図面の簡単な説明】
【００２７】
【図１】パチンコ機の正面図である。
【図２】パチンコ機の背面図である。
【図３】遊技領域を拡大して示した図である。
【図４】可動入球役物装置を遊技盤から分離した状態で斜め上方から示した斜視図である。
【図５】可動入球役物装置の上縁部分に相当するパーツを単独で示した縦断面図である。
【図６】可動入球役物装置の上縁部分に相当するパーツを単独で示した縦断面図である。
【図７】第１ストッパによる遊技球の貯留時とその解除時の様子を具体的に示す図である。
【図８】流下通路の部分的な断面を含む側面図である。
【図９】可動入球役物装置の部分的な水平断面を含む下縁部の平面図である。
【図１０】可動入球役物装置の部分的な水平断面を含む下縁部の平面図である。
【図１１】可動入球役物装置の右側縁部の構成を部分的に示した正面図である。
【図１２】可動入球役物装置の右側縁部に内蔵された駆動機構の構成を示す図である。
【図１３】第３ストッパ及びこれと連動する可動装飾体の作動機構を具体的に示した左側面図及び後方斜視図である。
【図１４】第３ストッパ及びこれと連動する可動装飾体の作動機構を具体的に示した左側面図及び後方斜視図である。
【図１５】パチンコ機に装備された各種の電子機器類を示すブロック図である。
【図１６】パチンコ機による遊技の流れを一例として示すゲームフロー図である。
【図１７】可動入球装置内に遊技球が流入した場合に行われるゲームの流れを概略的に示すゲームフロー図である。
【図１８】第１回転体での振り分け動作でＶ入賞が発生するかを予測する際の一般的な原理を示した図である。
【図１９】一般的なパチンコ機の各部の動作を比較例として示すタイミングチャートである。
【図２０】パチンコ機に特有の動作を示すタイミングチャートである。
【図２１】リセットスタート処理の手順例を示すフローチャート（１／２）である。
【図２２】リセットスタート処理の手順例を示すフローチャート（２／２）である。
【図２３】電源断発生チェック処理の手順例を具体的に示すフローチャートである。
【図２４】割込管理処理の手順例を示すフローチャートである。
【図２５】スイッチ入力イベント処理の手順例を示すフローチャートである。
【図２６】特別図柄作動チェック処理の手順例を示すフローチャートである。
【図２７】普通図柄作動チェック処理の手順例を示すフローチャートである。
【図２８】普通遊技管理処理の構成例を示すフローチャートである。
【図２９】普通図柄変動開始待ち処理の手順例を示すフローチャートである。
【図３０】可変始動入賞装置管理処理の構成例を示すフローチャートである。
【図３１】図柄別作動条件設定テーブルの構成例を示す図である。
【図３２】特別遊技管理処理の構成例を示すフローチャートである。
【図３３】特別遊技管理ステータスの値に対応した特別遊技の進行状況を一覧にして示した図である。
【図３４】役物装置開放処理の手順例を示すフローチャートである。
【図３５】役物装置閉鎖処理の手順例を示すフローチャートである。
【図３６】役物装置作動終了処理の手順例を示すフローチャートである。
【図３７】可変入賞装置作動開始処理の手順例を示すフローチャートである。
【図３８】可変入賞装置開放処理の手順例を示すフローチャートである。
【図３９】可変入賞装置閉鎖処理の手順例を示すフローチャートである。
【図４０】可変入賞装置作動終了処理の手順例を示すフローチャートである。
【図４１】ソレノイド制御処理の手順例を示すフローチャートである。
【図４２】第１ストッパソレノイド管理処理の手順例を示すフローチャートである。
【図４３】モータ管理処理の手順例を示すフローチャートである。
【図４４】割込管理処理の中で実行される表示出力管理処理の構成例を示すフローチャートである。
【図４５】通常遊技中に実行される画像を用いた演出例の流れを示す連続図（１／２）である。
【図４６】通常遊技中に実行される画像を用いた演出例の流れを示す連続図（２／２）である。
【図４７】通常遊技中の当り変動時に実行される画像を用いた演出例の流れを示す連続図（１／２）である。
【図４８】通常遊技中の当り変動時に実行される画像を用いた演出例の流れを示す連続図（２／２）である。
【図４９】特別図柄の変動表示に伴う特別図柄当選時演出の流れを示す連続図である。
【図５０】可動入球役物装置内での振り分け動作中に実行される演出の流れを示す連続図である。
【図５１】特定領域通過後の大当り遊技中に実行される演出の例を部分的に示す連続図である。
【図５２】「時間短縮状態」に移行した場合に実行される振り分け動作演出の流れを示す連続図（１／２）である。
【図５３】「時間短縮状態」に移行した場合に実行される振り分け動作演出の流れを示す連続図（２／２）である。
【図５４】演出制御ＣＰＵにより実行される演出制御処理の手順例を示すフローチャートである。
【図５５】普通図柄当り後演出管理処理の構成例を示すフローチャートである。
【発明を実施するための形態】
【００２８】
以下、本発明の実施形態について、図面を参照しながら説明する。
図１は、パチンコ遊技機（以下、「パチンコ機」と略称する。）１の正面図である。また図２は、パチンコ機１の背面図である。パチンコ機１は、遊技球を遊技媒体として用いるものであり、遊技者は、遊技場運営者から遊技球を借り受けてパチンコ機１による遊技を行う。なお、パチンコ機１における遊技において、遊技球はその１個１個が遊技価値を有した媒体であり、遊技の成果として遊技者が享受する特典（利益）は、例えば遊技者が獲得した遊技球の数に基づいて遊技価値に換算することができる。以下、図１及び図２を参照して遊技機の全体構成について説明する。
【００２９】
〔遊技機の全体構成〕
パチンコ機１は、その本体として主に外枠アセンブリ２、ガラス枠ユニット４、受け皿ユニット６及びプラ枠アセンブリ７（遊技機枠）を備えている。このうち外枠アセンブリ２は、木材を縦長の矩形状に組み合わせた構造体であり、この外枠アセンブリ２は、遊技場内の島設備（図示されていない）に対してねじ等の締結具を用いて固定されるものである。
【００３０】
その他のガラス枠ユニット４や受け皿ユニット６、プラ枠アセンブリ７は外枠アセンブリ２を介して島設備に取り付けられ、これらはそれぞれ図示しないヒンジ機構を介して開閉式に動作する。図示しないヒンジ機構の開閉軸線は、パチンコ機１の正面からみて左側端部に沿って垂直方向に延びている。
【００３１】
図１中の正面からみてプラ枠アセンブリ７の右側縁部（図２では左側縁部）には、その内側に統一錠ユニット９が設けられている。また、これに対応してガラス枠ユニット４及び外枠アセンブリ２の右側縁部（裏側）にも、それぞれ図示しない施錠具が設けられている。図１に示されるように、外枠アセンブリ２に対してガラス枠ユニット４及びプラ枠アセンブリ７が閉じた状態で、その裏側にある統一錠ユニット９は施錠具とともにガラス枠ユニット４及びプラ枠アセンブリ７の開放を不能にしている。
【００３２】
また、受け皿ユニット６の右側縁部には鍵穴付きのシリンダ錠６ａが設けられている。例えば、遊技場の管理者が専用キーを鍵穴に差し込んでシリンダ錠６ａを時計回りに捻ると、統一錠ユニット９が作動してプラ枠アセンブリ７とともにガラス枠ユニット４及び受け皿ユニット６の開放が可能な状態となる。これら全体を外枠アセンブリ２から前面側へ開放する（扉のように動かす）と、前面側にてパチンコ機１の裏側が露出することになる。
【００３３】
一方、シリンダ錠６ａを反時計回りに捻ると、プラ枠アセンブリ７は施錠されたままでガラス枠ユニット４の施錠だけが解除され、ガラス枠ユニット４が開放可能となる。ガラス枠ユニット４を前面側へ開放すると遊技盤８が直に露出し、この状態で遊技場の管理者が盤面内での球詰まり等の障害を取り除くことができる。またガラス枠ユニット４を開放すると、受け皿ユニット６のロック機構（図示していない）が露出する。この状態でロック機構を解除すると、受け皿ユニット６をプラ枠アセンブリ７に対して前面側へ開放することができる。
【００３４】
またパチンコ機１は、遊技用ユニットとして遊技盤８を備えている。遊技盤８は、ガラス枠ユニット４の背後（内側）で上記のプラ枠アセンブリ７に支持されている。遊技盤８は、例えばガラス枠ユニット４を前面側へ開放した状態でプラ枠アセンブリ７に対して着脱可能である。ガラス枠ユニット４には、その中央部に縦長円形状の窓４ａが形成されており、この窓４ａ内にガラスユニット（参照符号なし）が取り付けられている。ガラスユニットは、例えば窓４ａの形状に合わせてカットされた２枚の透明板（ガラス板）を組み合わせたものである。ガラスユニットは、ガラス枠ユニット４の裏側に図示しないヒンジ機構を介して開閉式に取り付けられる。遊技盤８の前面には遊技領域８ａ（盤面）が形成されており、この遊技領域８ａは窓４ａを通じて前面側から遊技者に視認可能である。ガラス枠ユニット４が閉じられると、ガラスユニットの内面と遊技盤面との間に遊技球が流下できる空間が形成される。
【００３５】
受け皿ユニット６は、全体的に外枠アセンブリ２から前面側へ突出した形状をなしており、その上面に上皿６ｂが形成されている。この上皿６ｂには、遊技者に貸し出された遊技球（貸球）や入賞により獲得した遊技球（賞球）を貯留することができる。また受け皿ユニット６には、上皿６ｂの下段位置に下皿６ｃが形成されている。この下皿６ｃには、上皿６ｂが満杯の状態でさらに払い出された遊技球が貯留される。なお本実施形態のパチンコ機１はいわゆるＣＲ機（ＣＲユニットに接続する機種）であり、遊技者が借り受けた遊技球は、賞球とは別に裏側の払出装置ユニット１７２から受け皿ユニット６（上皿６ｂ又は下皿６ｃ）に払い出される。
【００３６】
受け皿ユニット６の上面には貸出操作部１４が設けられており、この貸出操作部１４には、球貸ボタン１０及び返却ボタン１２が配置されている。図示しないＣＲユニットに有価媒体（例えば磁気記録媒体、記憶ＩＣ内蔵媒体等）を投入した状態で球貸ボタン１０を遊技者が操作すると、予め決められた度数単位（例えば５度数）に対応する個数（例えば１２５個）分の遊技球が貸し出される。このため貸出操作部１４の上面には度数表示部（図示されていない）が配置されており、この度数表示部には、ＣＲユニットに投入されている有価媒体の残存度数が表示される。なお遊技者は、返却ボタン１２を操作することで、度数が残存している有価媒体の返却を受けることができる。本実施形態ではＣＲ機を例に挙げているが、パチンコ機１はＣＲ機とは別の現金機（ＣＲユニットに接続されない機種）であってもよい。
【００３７】
また、受け皿ユニット６の前面には、上段位置にある上皿６ｂの手前に上皿球抜きレバー６ｄが設置されており、そして下皿６ｃの手前でその中央部には下皿球抜きボタン６ｅが設置されている。遊技者は上皿球抜きレバー６ｄを例えば左方向へスライドさせることで、上皿６ｂに貯留された遊技球を下皿６ｃへ流下させることができる。また遊技者は、下皿球抜きボタン６ｅを例えば押し込み操作することで、下皿６ｃに貯留された遊技球を下方へ落下させて排出することができる。排出された遊技球は、例えば図示しない球受け箱等に受け止められる。
【００３８】
受け皿ユニット６の右下部には、グリップユニット１６が設置されている。遊技者はこのグリップユニット１６を操作することで発射制御基板セット１７４を作動させ、遊技領域８ａに向けて遊技球を発射する（打ち込む）ことができる（球発射装置）。発射された遊技球は、遊技盤８の左側縁部に沿って上昇し、図示しない外バンドに案内されて遊技領域８ａ内に放り込まれる。遊技領域８ａ内には多数の障害釘や風車（図中参照符号なし）等が配置されており、放り込まれた遊技球は障害釘や風車により誘導・案内されながら遊技領域８ａ内を流下する。
【００３９】
〔盤面の構成〕
遊技領域８ａ内には、始動ゲート２０や普通入賞口２２，２４、可変始動入賞装置２６、可変入賞装置３０等が設置されている。また遊技領域８ａの中央から右上部にかけては、比較的大型の可動入球役物装置２８（可動入球装置）が設置されている。遊技領域８ａ内に放り込まれた遊技球は、その流下の過程で無作為に始動ゲート２０を通過したり、普通入賞口２２，２４に入賞（入球）したり、あるいは、作動時（開放時）の可変始動入賞装置２６に入賞したり、同じく作動時（開放時）の可動入球役物装置２８に入賞したりする。始動ゲート２０を通過した遊技球は続けて遊技領域８ａ内を流下するが、入賞した遊技球は遊技板（遊技盤８を構成する合板材）に形成された貫通穴を通じて遊技盤８の裏側へ回収される。
【００４０】
なお、始動ゲート２０の直ぐ下方には前面開口型の普通入賞口２５が設けられており、この普通入賞口２５の下端位置には球受部材２５ａが設置されている。始動ゲート２０を通過した遊技球は、その段階では入賞とならないが、球受部材２５ａによって流下方向を変化されることで、無作為に普通入賞口２５に入賞することがある。また、可動入球役物装置２８内に流入（入賞）した遊技球は、さらにその内部で流下や転動、貯留（保留）等の過程を経て振り分け動作が行われた後に排出され、遊技盤８の裏側へ回収される。なお、可動入球役物装置２８内での遊技球の振り分け動作については、別の拡大図を参照しながらさらに後述する。
【００４１】
上記の可変始動入賞装置２６は、所定の条件が満たされた場合（普通図柄が当りの態様で停止表示された場合）に作動し、それに伴って始動入賞口２６ａへの入賞を可能にする（普通電動役物）。また、始動入賞口２６ａは盤面に開口した前面開口型であり、可変始動入賞装置２６は例えば図示しない舌片型（ベロタイプ）の可動片を有している。この可動片は、例えば図示しない普通電動役物ソレノイドを用いたリンク機構の働きにより、盤面に対して前後方向に往復動作する。すなわち、可動片は盤面より奥に引っ込んだ位置（閉止位置）にある状態で始動入賞口２６ａへの入賞を不能（遊技球が始動入賞口２６ａの前面を単に通過する状態）にしているが、盤面より手前側へ突出した位置（開放位置）に移動すると、始動入賞口２６ａの上方から流下してくる遊技球を受け止め、始動入賞口２６ａへの流入を案内する。この間に可変始動入賞装置２６は遊技球の流入が可能な状態となり、始動入賞口２６ａへの入賞を発生させる。
【００４２】
可動入球役物装置２８は、特定の条件が満たされた場合（特別図柄が当りの態様で停止表示された場合）に作動し、遊技球の流入を可能にする。すなわち可動入球役物装置２８は、遊技領域８ａの上部位置に設けられた可動片２８ａ（いわゆる羽根部材）を有しており、この可動片２８ａは、例えば図示しない上大入賞口ソレノイドを用いたリンク機構の働きにより、盤面に沿って所定角度で往復回転する。図示のように可動片２８ａは略直立した状態で上大入賞口２８ｂを閉鎖した状態にあり、このため可動入球役物装置２８への遊技球の流入は常に不能となっている。可動入球役物装置２８が作動すると、可動片２８ａがその基端部を中心として遊技領域８ａ内の左方向へ倒れるようにして変位し、上大入賞口２８ｂを開放することで可動入球役物装置２８への入賞（上大入賞口２８ｂへの遊技球の流入）を可能にする。可動片２８ａ及び上大入賞口２８ｂは遊技領域８ａ内の上部位置、特に遊技球が最初に打ち込まれる位置の近くにあることから、可動入球役物装置２８の作動時に遊技領域８ａ内に打ち込まれた遊技球は、上部位置の障害釘に誘導されて容易に可動片２８ａに到達し、そのまま可動片２８ａに案内されて入賞（上大入賞口２８ｂに流入）しやすくなる。
【００４３】
また上記の可変入賞装置３０は、規定の条件が満たされた場合（可動入球役物装置２８内に設けられた特定領域を遊技球が通過した場合）に作動し、下大入賞口（参照符号なし）への入賞を可能にする（特別電動役物）。なお、可動入球役物装置２８内の特定領域についてはさらに後述する。またこれとは別に、特別図柄が当りの態様で停止表示されたことを契機として可変入賞装置３０が作動することとしてもよい。可変入賞装置３０は例えば１つの開閉部材３０ａを有しており、この開閉部材３０ａは、例えば図示しない下大入賞口ソレノイドを用いたリンク機構の働きにより、盤面に対して前後方向に往復動作する。図示のように盤面に沿った状態で開閉部材３０ａは閉位置（閉止状態）にあり、このとき下大入賞口への入賞は常に不能（下大入賞口は閉鎖中）である。可変入賞装置３０が作動すると、開閉部材３０ａがその下端縁部分をヒンジとして前方へ倒れ込むようにして変位し、下大入賞口を開放する（開放状態）。この間に可変入賞装置３０は遊技球の流入が不能ではない状態となり、下大入賞口への入賞という特別な事象を発生させることができる。なお、このとき開閉部材３０ａは下大入賞口への遊技球の流入を案内する部材としても機能する。
【００４４】
その他、遊技領域８ａ内にはアウト口３２が形成されており、入賞しなかった遊技球は最終的にアウト口３２を通じて遊技盤８の裏側へ回収される。また、可変始動入賞装置２６や可動入球役物装置２８、可変入賞装置３０に入賞した遊技球も含めて、遊技領域８ａ内に打ち込まれた全ての遊技球は遊技盤８の裏側へ回収される。回収された遊技球は、図示されていないアウト通路アセンブリを通じてパチンコ機１の裏側から枠外へ排出され、さらに図示しない島設備の補給経路に合流する。
【００４５】
遊技盤８には、例えば窓４ａ内の右下位置に特別図柄表示装置３４及び特別図柄作動記憶ランプ３４ａをはじめとして、普通図柄表示装置３３や普通図柄作動記憶ランプ３３ａ、状態表示ランプ３６，３７，３８，３９等の表示装置類が設けられている。このうち特別図柄表示装置３４は、例えば２つ（２桁）の７セグメントＬＥＤ（ドット付き）により特別図柄の変動状態と停止状態とを表示することができる（図柄表示手段）。また普通図柄表示装置３３は、例えば２つのランプ（ＬＥＤ）で構成されており、このうち１つが当り図柄に対応し、もう１つが非当選図柄に対応する。そして普通図柄表示装置３３は、これら２つのランプ（ＬＥＤ）を交互に点灯させて普通図柄の変動状態を表示し、その停止表示時には普通図柄に対応する作動抽選の結果に応じていずれかのランプ（ＬＥＤ）を点灯させる。
【００４６】
また特別図柄作動記憶ランプ３４ａは、例えば２つのランプ（ＬＥＤ）の消灯又は点灯、点滅の組み合わせで構成される表示態様により、それぞれ０〜４個の記憶数を表示する。同様に普通図柄作動記憶ランプ３３ａも、例えば２つのランプ（ＬＥＤ）の消灯又は点灯、点滅を組み合わせた表示態様により、それぞれ０〜４個の記憶数を表示する。例えば、２つのランプをともに消灯させた表示態様では記憶数０個を表示し、１つのランプを点灯させた表示態様では記憶数１個を表示し、同じ１つのランプを点滅させた表示態様では記憶数２個を表示し、この状態からもう１つのランプを点灯させた表示態様では記憶数３個を表示し、そして２つのランプをともに点滅させた表示態様では記憶数４個を表示する、といった具合である。
【００４７】
普通図柄作動記憶ランプ３３ａは、例えば普通図柄表示装置３３による普通図柄の変動表示中（確定停止表示時間を含む）に始動ゲート２０を遊技球が通過すると、その通過が発生したことを記憶する意味で１個ずつ増加後の表示態様へと変化していき（最大４個まで）、その変動が停止した後、次に普通図柄の変動が開始されるごとに１個ずつ減少後の表示態様へと変化していく。特別図柄作動記憶ランプ３４ａは、特別図柄表示装置３４による特別図柄の変動表示中（確定停止表示時間を含む）に上記の可変始動入賞装置２６に遊技球が入賞すると、入賞が発生したことを記憶する意味で１個ずつ増加後の表示態様へと変化し（最大４個まで）、その変動が停止した後、次に特別図柄の変動が開始されるごとに１個ずつ減少後の表示態様へと変化する。このように、普通図柄作動記憶ランプ３３ａの表示態様により表される記憶数（最大４個）は、その時点で未だ普通図柄の変動が開始されていない始動ゲート２０の通過の回数を表している。また特別図柄作動記憶ランプ３４ａの表示態様により表される記憶数（最大４個）は、その時点で未だ特別図柄の変動が開始されていない可変始動入賞装置２６への入賞回数を表している。
【００４８】
状態表示ランプ３６〜３９は、それぞれＬＥＤで構成されている。本実施形態では、これら４つの状態表示ランプ３６〜３９の点灯又は消灯により、遊技に関する内部状態の遷移を表示することができる。表示する内部状態としては、例えば変動時間短縮機能の作動状態（時短ＯＮ）又は非作動状態（時短ＯＦＦ）のいずれかである。なお、ここでは４つの状態表示ランプ３６〜３９を用いて１つの内部状態の遷移を表示しているが、例えば２つの状態表示ランプ３６，３７にそれぞれ別の表示機能を持たせてもよい。例えば、状態表示ランプ３６について、可動入球役物装置２８が開放可能な状態になると状態表示ランプ３６が点灯表示され、可動入球役物装置２８の作動が終了すると消灯されることとしてもよい。また状態表示ランプ３７を大当り表示ランプとして、この大当り表示ランプ（状態表示ランプ３７）は、可変入賞装置３０が開放可能な状態になると点灯表示され、可変入賞装置３０の作動が終了すると消灯されることとしてもよい。
【００４９】
なお本実施形態では、上述した普通図柄表示装置３３や普通図柄作動記憶ランプ３３ａ、特別図柄表示装置３４、特別図柄作動記憶ランプ３４ａ及び状態表示ランプ３６，３７，３８，３９が１枚の統合表示基板（図示していない）に実装された状態で遊技盤８に取り付けられている。
【００５０】
〔遊技盤のその他の構成〕
上記の可動入球役物装置２８には、その上部から右側縁部にかけて装飾ユニット４０が設けられている。装飾ユニット４０は各種の装飾部品４０ａ，４０ｂ，４０ｃを備えており、これら装飾部品４０ａ，４０ｂ，４０ｃはその立体的な造形により遊技盤８の装飾性を高めるとともに、例えば内蔵された発光器（ＬＥＤ等）により透過光を発することで、演出的な動作をすることができる。
【００５１】
また可動入球役物装置２８の内側領域には液晶表示器４２（画像表示器）が設置されており、この液晶表示器４２には普通図柄に対応させた演出図柄をはじめ、各種の演出画像が表示される。このように遊技盤８は、その盤面の構成（図示しないセル板のデザイン）や装飾ユニット４０の装飾性に基づいて、遊技者にパチンコ機１の特徴を印象付けている。なお、遊技盤８にベニヤ板でなく透明板（例えばアクリル板）を用いる場合、透明板の前面や背後に配置された各種の装飾体（可動体や発光体を含む）による装飾性が付加される。
【００５２】
遊技領域８ａ内には、可動入球役物装置２８の左側縁部に沿って球案内通路４０ｄが形成されており、その下縁部には転動ステージ４０ｅが形成されている。球案内通路４０ｄの上端にはワープ入口４０ｆが設けられており、このワープ入口４０ｆは遊技領域８ａ内にて左斜め上方に開口している。遊技領域８ａ内を流下する遊技球が無作為にワープ入口４０ｆを通じて球案内通路４０ｄ内に流入すると、その遊技球は球案内通路４０ｄの内部を通過して転動ステージ４０ｅ上に放出される。転動ステージ４０ｅの上面は滑らかな湾曲面を有しており、ここでは遊技球が左右方向に転動自在である。転動ステージ４０ｅ上で転動した遊技球は、やがて下方の遊技領域８ａ内に流下する。転動ステージ４０ｅの中央位置には球放出路４０ｇが形成されており、このとき転動ステージ４０ｅから球放出路４０ｇに流下した遊技球は、その真下にある始動ゲート２０を通過しやすくなる。ただし、遊技球がそのまま始動ゲート２０を通過するかどうかは無作為であり、偶発的に接近してきた他の遊技球と衝突したり、周辺の障害釘に弾かれたりすることで、球放出路４０ｇから流下した遊技球が始動ゲート２０を通過しないこともある。
【００５３】
〔枠前面の構成〕
ガラス枠ユニット４には、演出用の構成要素としてガラス枠トップランプ４６，４８やガラス枠サイドランプ５０がガラスユニット８を取り巻くようにして複数の箇所に設置されている。また、受け皿ユニット６には受け皿ランプ５２が設置されており、この受け皿ランプ５２とガラス枠トップランプ４６，４８及びガラス枠サイドランプ５０とは、外見上、パチンコ機１の前面において一体的につながっているかのようにデザインされている。
【００５４】
上述した各種ランプ４６〜５２は、例えば内蔵するＬＥＤの発光（点灯や点滅、輝度階調の変化、色調の変化等）により演出を実行する。またガラス枠ユニット４の上部には、左右一対のガラス枠上スピーカ５４とその中央にガラス枠中スピーカ５５が内蔵されており、そして受け皿ユニット６には、下皿６ｃの右側に受け皿スピーカ５６が内蔵されている。これらスピーカ５４，５５，５６は、効果音やＢＧＭ、音声等（音響全般）を出力して演出を実行するものである。
【００５５】
また受け皿ユニット６の中央には、上皿６ｂの手前位置に演出切替ボタン４１が設置されている。遊技者は、この演出切替ボタン４１を操作することで演出内容（例えば液晶表示器４２に表示される背景画面）を切り替えたり、例えば図柄の変動中や大当りの確定表示中、あるいは大当り遊技中に何らかの演出（予告演出、確変昇格演出等）を発生させたりすることができる。
【００５６】
〔裏側の構成〕
図２に示されているように、パチンコ機１の裏側には、電源制御ユニット１６２や主制御基板ユニット１７０、複合サブ制御基板ユニット１７１、払出装置ユニット１７２、流路ユニット１７３、発射制御基板セット１７４、払出制御基板ユニット１７６、裏カバーユニット１７８等が設置されている。このうち主制御基板ユニット１７０及び複合サブ制御基板ユニット１７１は、上記の遊技盤８の裏側に設置されており、複合サブ制御基板ユニット１７１は、裏側からみて裏カバーユニット１７８に覆われている。
【００５７】
この他にパチンコ機１の裏側には、パチンコ機１の電源系統や制御系統を構成する各種の電子機器類（図示しない制御コンピュータを含む）や外部端子板１６０、電源コード（電源プラグ）１６４、アース線（アース端子）１６６、図示しない接続配線等が設置されている。なお、電子機器類については別のブロック図（図１５）に基づいてさらに後述する。
【００５８】
上記の払出装置ユニット１７２は、例えば賞球タンク１７２ａ及び賞球ケース（参照符号なし）を有しており、このうち賞球タンク１７２ａはプラ枠アセンブリ７の上縁部（裏側）に設置された状態で、図示しない補給経路から補給された遊技球を蓄えることができる。賞球タンク１７２ａに蓄えられた遊技球は、図示しない上側賞球樋を通じて賞球ケースに導かれる。流路ユニット１７３は、払出装置ユニット１７２から送り出された遊技球を前面側の受け皿ユニット６に向けて案内する。
【００５９】
また上記の外部端子板１６０は、パチンコ機１を外部の電子機器（例えばデータ表示装置、ホールコンピュータ等）に接続するためのインタフェースであり、この外部端子板１６０からは、パチンコ機１の遊技進行状態やメンテナンス状態等を表す各種の外部情報信号（例えば賞球情報、扉開放情報、図柄確定回数情報、大当り情報、始動口情報等）が外部の電子機器に向けて出力されるものとなっている。なお、主制御装置７０で生成された外部情報信号は、払出制御装置９２を経由して外部端子板１６０から出力される。
【００６０】
〔可動入球役物装置内部の構成〕
図３は、遊技盤８を単独で示した正面図である。ここでは先ず、可動入球役物装置２８内部の構成と遊技球の振り分け動作の概要について説明する。
【００６１】
可動入球役物装置２８内には、上記の上大入賞口２８ｂを開放端として導入通路２８ｃが形成されている。導入通路２８ｃは、上大入賞口２８ｂから可動入球役物装置２８内を鉛直下方に延びた後、さらに屈曲されて右下方向に延びている。なお上大入賞口２８ｂは、上下方向でみて可動片２８ａの基端位置から導入通路２８ｃの上端位置にかけて縦長に開放されている。可動入球役物装置２８の作動時に上大入賞口２８ｂを通じて流入した遊技球は、全て導入通路２８ｃを通じて可動入球役物装置２８内に案内される。導入通路２８ｃの途中（上大入賞口２８ｂに直近の上流位置）には上大入賞口スイッチ２００が設けられており、可動入球役物装置２８に流入した全ての遊技球は、ここで上大入賞口スイッチ２００により検出される（入賞検出手段）。
【００６２】
また可動入球役物装置２８内には、導入通路２８ｃに続いて２つのルート振分体４４，４５が配置されている。これらルート振分体４４，４５は、例えば乗り物（ビークル）の車輪を模した形態を有しており、パチンコ機１の電源投入時（電源ＯＦＦ等の停電時以外）は盤面に沿って一方向（例えば時計回り）に回転している。このうち、導入通路２８ｃによる遊技球の案内方向でみて、上流側に位置するルート振分体４４には、その周縁部に３つのノーマル振り分け孔４４ａと１つのチャンス孔４４ｂが形成されている。一方、下流側に位置するルート振分体４５には、その周縁部に２つのノーマル振り分け孔４５ａと１つのスペシャル振り分け孔４５ｂが形成されている。なお、各ルート振分体４４，４５において、チャンス孔４４ｂやスペシャル振り分け孔４５ｂにはいずれも矢印状のマーキングが付されることで、これらチャンス孔４４ｂやスペシャル振り分け孔４５ｂが他とは違う意味合いを有することが視覚的に強調されている。
【００６３】
可動入球役物装置２８に流入した遊技球は、最初に導入通路２８ｃを通じて上流側のルート振分体４４に案内され、ここでルート振り分けが行われる。可動入球役物装置２８内の上部位置には、大きく分けてノーマルルート用の案内通路２８ｄ（通常誘導路）とスペシャルルート用の案内通路２８ｅ（特別誘導路）が設けられており、２つのルート振分体４４，４５によって遊技球の転動先は案内通路２８ｄ，２８ｅのいずれかに大きく振り分けられる。なお、導入通路２８ｃやルート振分体４４，４５等はいずれも透明（又は半透明）な樹脂材料を用いて構成されているため、可動入球役物装置２８内での遊技球の存在は遊技者から容易に視認可能である。
【００６４】
〔１回目のルート振分動作〕
具体的には先ず、遊技球が上流側のルート振分体４４に到達すると、ここで遊技球は３つあるノーマル振り分け孔４４ａ又はチャンス孔４４ｂのいずれかに入り込む。このとき遊技球が３つのノーマル振り分け孔４４ａのどれかに入り込むと、その時点でノーマルルートへの振り分けが確定する。いずれかのノーマル振り分け孔４４ａに入り込んだ遊技球は、ルート振分体４４の回転に伴い、ノーマル振り分け孔４４ａが下向きに位置したところでノーマルルート用の案内通路２８ｄに放出される。
【００６５】
一方、チャンス孔４４ｂに遊技球が入り込むと、その時点では未だ振り分け先が確定せず、次に下流側のルート振分体４５に引き継がれる。可動入球役物装置２８内には、２つのルート振分体４４，４５の間に連結通路２８ｆが設けられており、下流側のルート振分体４５に引き継がれる遊技球は、ルート振分体４４の回転に伴いチャンス孔４４ｂから連結通路２８ｆ内に放出され、そして下流側のルート振分体４５に到達する。
【００６６】
〔２回目のルート振分動作〕
次に、遊技球が下流側のルート振分体４５に到達すると、ここで遊技球は２つあるノーマル振り分け孔４５ａ又は１つのスペシャル振り分け孔４５ｂのいずれかに入り込む。このとき遊技球が２つのノーマル振り分け孔４５ａのどちらかに入り込むと、その時点でノーマルルートへの振り分けが確定する。可動入球役物装置２８の内部には、ルート振分体４５の奥に流下通路４５ｃが形成されており、どちらかのノーマル振り分け孔４５ａに入り込んだ遊技球は、ルート振分体４５の回転に伴い流下通路４５ｃ内に放出される。流下通路４５ｃは内部で案内通路２８ｄに通じており、流下通路４５ｃ内に放出された遊技球は、そこからノーマルルート用の案内通路２８ｄに放出されることになる。
【００６７】
一方、スペシャル振り分け孔４５ｂに遊技球が入り込むと、その時点でスペシャルルートへの振り分けが確定する。この場合、遊技球はルート振分体４５の回転に伴い、スペシャル振り分け孔４５ｂからスペシャルルート用の案内通路２８ｅ内に放出される。
【００６８】
〔ノーマルルート〕
先ず、ノーマルルートの構成について説明する。可動入球役物装置２８内には、その左側縁部に沿ってダクト状に流下通路２８ｇが配置されている。この流下通路２８ｇは、上端が案内通路２８ｄの終端に連結されており、そこから一旦下方に延びた後、盤面の奧方向に屈曲してさらに下方に屈曲し、再び手前方向に屈曲して下方に延びている。流下通路２８ｇは途中で下向きに開放されており、その開放された箇所を堰き止めるようにして第１ストッパ１９０（通常用ストッパ部材）が設けられている。また、流下通路２８ｇの途中にはノーマルルートスイッチ２０２が設けられており、ノーマルルートに振り分けられた遊技球は、流下通路２８ｇを流下する過程でノーマルルートスイッチ２０２により検出される。またこれを受けて、例えば遊技球がノーマルルートに振り分けられた場合のノーマルパターン演出が液晶表示器４２等において実行される。なお、案内通路２８ｄや流下通路２８ｇにも透明（又は半透明）な樹脂材料が用いられているため、ノーマルルートを通る遊技球の存在は遊技者から容易に視認可能である。
【００６９】
第１ストッパ１９０は、図示しない第１ストッパソレノイドにより例えば盤面に沿って横方向へ往復動作可能であり、この往復動作に伴い、流下通路２８ｇを途中で堰き止める貯留位置（制止状態）と流下通路２８ｇを流通させる解除位置（解除状態）とに移動（位置又は状態が変化）する。第１ストッパ１９０が上記の貯留位置に移動すると、流下通路２８ｇを流下する遊技球が一旦そこで堰き止められ、一時的に流下を貯留（保留）される。この状態で第１ストッパ１９０が解除位置に移動すると、それまで貯留されていた遊技球が再び流下していく。なお、流下通路２８ｇ内に２個以上の遊技球が流下していた場合、第１ストッパ１９０は１個目の遊技球だけを貯留し、２個目以降の遊技球を可動入球役物装置２８から排出する（排出経路は図３に示されていない）。
【００７０】
本実施形態では、可動入球役物装置２８についての１つの作動契機で第１ストッパ１９０は予め決められた動作を行うが、この動作パターンには第１ストッパ１９０が解除位置と貯留位置との間を複数回にわたり往復移動する態様が含まれる。なお、第１ストッパ１９０の動作パターンについてはさらに後述する。
【００７１】
流下通路２８ｇは、第１ストッパ１９０より下方の位置でオープンな溝状となっており、溝状の流下通路２８ｇは第１ストッパ１９０の直下から盤面の中央方向へ延びた後、盤面の奧方向へ屈曲され、最奧の位置からＵターンして手前方向に延びている。そして流下通路２８ｇの終端部分は、可動入球役物装置２８の下縁部に沿って盤面の中央方向へ屈曲されている。
【００７２】
〔（中間）振分動作体〕
可動入球役物装置２８の下縁部には、流下通路２８ｇの終端部分に隣接して第１回転体４４０が配置されている。この第１回転体４４０は、例えば全体として円盤形状（又は笠形状）をなしており、パチンコ機１の電源投入時（電源ＯＦＦ等の停電時以外）は、可動入球役物装置２８の下縁部に沿って一方向（例えば上面視で時計回り）に回転している。
【００７３】
また、可動入球役物装置２８の下縁部には円形状の窪み部分（図示されていない）が形成されており、この窪み部分は、第１回転体４４０をその周囲よりも一段低く陥没させるようにして収容している。そして、この窪み部分より左側に流下通路２８ｇの終端部分が形成されている。上記のように第１ストッパ１９０が解除位置に移動すると、それまで移動を制止されていた遊技球が開放され、第１ストッパ１９０より下流（下方）の流下通路２８ｇを転動する。そして遊技球は、流下通路２８ｇの終端から第１回転体４４０の外周縁に到達する。
【００７４】
第１回転体４４０には、その周縁部に６つのアウト振り分け孔４４０ａ（全ては図示されていない）と１つのＶ入賞孔４４０ｂ、そして１つの逆転ルート振り分け部（図３には示されていない）が形成されている。このうちＶ入賞孔４４０ｂと逆転ルート振分部とは、第１回転体４４０の回転中心を挟んで互いに対称となる位置（多角形でいう対角線上）に形成されている。したがって逆転ルート振分部は、図３中でみてＶ入賞孔４４０ｂのちょうど真裏に位置することになる。その他の６つのアウト振り分け孔４４０ａは、周方向でみてＶ入賞孔４４０ｂと逆転ルート振分部との間に、それぞれ３つずつ等間隔で配置されている。
【００７５】
上記のように、遊技球が流下通路２８ｇの終端から第１回転体４４０の外周縁に到達すると、そこで遊技球は上記のアウト振り分け孔４４０ａ、Ｖ入賞孔４４０ｂ又は逆転ルート振分部のいずれかに入り込む。この状態で遊技球は、第１回転体４４０の回転に伴ってその回転方向に移送されていく。
【００７６】
特に図示していないが、可動入球役物装置２８の下縁部の内部（第１回転体４４０の下方）には特定領域としてＶ入賞通路が形成されており、第１回転体４４０はその回転に伴い、Ｖ入賞通路への落下口（Ｖ入賞落下口）の真上となる位置でＶ入賞孔４４０ｂを回転方向に通過させる。このため上記のＶ入賞孔４４０ｂ内に入り込んだ遊技球は、第１回転体４４０の回転に伴い、Ｖ入賞通路を通過した後に可動入球役物装置２８から排出される。また、Ｖ入賞通路には図示しない特定領域スイッチが設けられており、Ｖ入賞通路（特定領域）を通過する遊技球は特定領域スイッチにより検出される。
【００７７】
またＶ入賞通路とは別に、可動入球役物装置２８の下縁部の内部（第１回転体４４０の下方）にはアウト通路が形成されており、第１回転体４４０はその回転に伴い、アウト通路への落下口（アウト落下口）の真上となる位置で各アウト振り分け孔４４０ａを回転方向に通過させる。このため上記のアウト振り分け孔４４０ａに入り込んだ遊技球は、Ｖ入賞通路を通過することなくアウト通路を通って可動入球役物装置２８から排出される。なお、逆転ルート振分部に入り込んだ遊技球の振り分け先についてはさらに後述する。
【００７８】
〔スペシャルルート〕
次にスペシャルルートの構成について説明する。スペシャルルートは主に、可動入球役物装置２８の右側縁部に沿って形成されている。上述した案内通路２８ｅより下方にはスペシャルルートスイッチ２０４が設けられており、スペシャルルートに振り分けられた遊技球は、案内通路２８ｅから放出されると、そこから流下する過程でスペシャルルートスイッチ２０４により検出される。またこれを受けて、例えば遊技球がスペシャルルートに振り分けられた場合のスペシャルパターン演出が液晶表示器４２等において実行される。なお、この場合の演出内容は、先のノーマルパターン演出よりも期待感の高い内容（例えば見た目上でも派手な内容）とすることが好ましい。またスペシャルルートスイッチ２０４より下方の位置には第２ストッパ１９２（特別用ストッパ部材）が設けられている。
【００７９】
第２ストッパ１９２は、図示しない第２ストッパソレノイドにより例えば上下方向に往復動作可能であり、この往復動作に伴い、遊技球の移動を制止する貯留位置（制止状態）とその移動を許容する開放位置（解除状態）とに移動（状態が変化）する。第２ストッパ１９２が上記の貯留位置に移動すると、案内通路２８ｅの下端から放出された遊技球が第２ストッパ１９２によって一時的に保留（貯留）される。この状態で第２ストッパ１９２が開放位置に移動すると、それまで貯留されていた遊技球が第２ストッパ１９２から開放されて流下する。
【００８０】
可動入球役物装置２８内には、第２ストッパ１９２より下方に球誘導体２８ｋが設けられている。この球誘導体２８ｋは、例えばワイングラスのような容器を模した形態を有しており、第２ストッパ１９２による貯留から開放されて流下した遊技球は、球誘導体２８ｋの内側に落下する。また、球誘導体２８ｋの奥には流下通路２８ｍが形成されており、球誘導体２８ｋ内に落下した遊技球は、やがて流下通路２８ｍ内に流入する。なお、球誘導体２８ｋや流下通路２８ｍにも透明（又は半透明）な樹脂材料が用いられているため、スペシャルルートを流下していく遊技球の存在は遊技者から容易に視認可能である。
【００８１】
〔流入タイミングの変更〕
このとき球誘導体２８ｋは、その全体が盤面に沿って左右方向に往復移動可能であり、パチンコ機１の電源投入時（電源ＯＦＦ等の停電時以外）は、例えば図示しないモータや往復スライダ機構の働きにより、球誘導体２８ｋが一定の周期と振幅をもって左右に反復移動している。球誘導体２８ｋの内側には開口２８ｐが形成されており、図３に示される状態から球誘導体２８ｋが左右いずれか一方向に移動すると、その開口２８ｐが一緒に移動して流下通路２８ｍへの落下口からずれる（流下通路２８ｍは移動しない）。この状態で遊技球は開口２８ｐから流下通路２８ｍへは流入できず、その間、遊技球は球誘導体２８ｋの内部に保留される。そして球誘導体２８ｋの往復移動に伴い、次に開口２８ｐと落下口とが合致するタイミングが到来すると、遊技球は開口２８ｐから流下通路２８ｍ内に流入する。これにより、第２ストッパ１９２の貯留から開放された遊技球が流下通路２８ｍ内に流入タイミングが様々に変化することになる。
【００８２】
上記とは別に、球誘導体２８ｋは背面が全体的に開口しており、開口２８ｐが形成されていない態様であってもよい。この場合、球誘導体２８ｋの内部に落下した遊技球は、特に貯留されることなく流下通路２８ｍへ流入する。ただし、球誘導体２８ｋが左右に反復移動している分、ある程度は球誘導体２８ｋから流下通路２８ｍへ流入するタイミングのずれを生じることができる。
【００８３】
流下通路２８ｍは可動入球役物装置２８内を下方に延びており、その下端が遊技盤面にて開放されている。流下通路２８ｍの開放端より下方には案内通路２８ｎが設けられており、この案内通路２８ｎは右方向に下り傾斜を有している。流下通路２８ｍに流入した遊技球は、その下端開放から放出されると案内通路２８ｎに受け止められ、その下り傾斜に沿って右方向へ転動する。なお、案内通路２８ｎにも透明（又は半透明）な樹脂材料が用いられている。
【００８４】
〔最終振分動作体〕
さらに可動入球役物装置２８内には、第２回転体４４２が設けられている。この第２回転体４４２は上記の案内通路２８ｎの下端に隣接して位置しており、案内通路２８ｎを転動してきた遊技球は、最終的に第２回転体４４２によって振り分けられる。
【００８５】
第２回転体４４２もまた、例えば乗り物の車輪を模した形態を有しており、パチンコ機１の電源投入時は盤面に沿って一方向（例えば時計回り）に回転している。また第２回転体４４２には、その周縁部に２つのアウト振り分け孔４４２ａと１つのＶ入賞孔４４２ｂが形成されている。
【００８６】
案内通路２８ｎから放出された遊技球は、そのときの第２回転体４４２の回転角度（回転位置）に応じてアウト振り分け孔４４２ａ又はＶ入賞孔４４２ｂのいずれかに入り込む。第２回転体４４２の下方には、特定領域としてＶ入賞通路４５０が形成されており、上記のＶ入賞孔４４２ｂ内に入り込んだ遊技球は、このＶ入賞通路４５０を通過した後に可動入球役物装置２８から排出される。また、Ｖ入賞通路４５０には図示しない特定領域スイッチが設けられており、Ｖ入賞通路４５０を通過する遊技球は特定領域スイッチにより検出される。また、アウト振り分け孔４４２ａに入り込んだ遊技球は、Ｖ入賞通路４５０を通過することなく可動入球役物装置２８から排出される。なお、アウト振り分け孔４４２ａには透明（又は半透明）な樹脂材料が用いられているため、アウト振り分け孔４４２ａに入り込んだ遊技球の存在は遊技者から容易に視認可能である。また、Ｖ入賞孔４４２ｂは盤面の手前側が開放されているため、Ｖ入賞孔４４２ｂに入り込んだ遊技球の存在はそのまま遊技者から視認可能である。
【００８７】
このように可動入球役物装置２８内での遊技球の振り分け動作は、先ず（１）ルート振分体４４，４５によるノーマルルート又はスペシャルルートへの振り分けを行った後、（２）ノーマルルートに振り分けられた場合は第１回転体４４０による振り分け、（３）スペシャルルートに振り分けられた場合は第２回転体４４２による振り分けが行われる。このとき、（２）の第１回転体４４０による振り分けでは８分の１で特定領域を通過するが、（３）の第２回転体４４２による振り分けでは３分の１の比較的高確率で特定領域を通過することになる。
【００８８】
このため可動入球役物装置２８内に遊技球が流入した場合、先ず「ノーマルルート又はスペシャルルートのどちらに振り分けられるか」に関して遊技者の興味を惹き付けた後、次に「各ルートにおいて特定領域を遊技球が通過するかどうか」に関してさらに遊技者の興味を惹き付けることができる。特にスペシャルルートへの振り分けが行われた場合、特定領域を通過する確率が３分の１と極めて高くなるため、そこで一気に遊技者の興味や期待感を高めることができる。
【００８９】
〔逆転パターンによる振り分け動作〕
上記のように本実施形態では、ノーマルルートに振り分けられた遊技球が第１回転体４４０による振り分け動作によってアウト振り分け孔４４０ａ又はＶ入賞孔４４０ｂのいずれにも入り込まず、逆転ルート振分部に入り込む場合もある。この場合、遊技球はＶ入賞通路又はアウト通路のいずれにも落下せず、上述した第２回転体４４２での振り分け動作を受ける機会を与えられる。
【００９０】
具体的には、可動入球役物装置２８の下縁部には第１回転体４４０よりも右側領域に右方向へ下り傾斜した逆転誘導通路２８ｈが形成されている。逆転ルート振分部に入り込んだ遊技球は、第１回転体４４０の回転に伴い、その右側領域で逆転誘導通路２８ｈに放出される。そして遊技球は、逆転誘導通路２８ｈの下り傾斜に沿って右方向へ転動する。可動入球役物装置２８内には、逆転誘導通路２８ｈの終端位置に第３ストッパ１９４（逆転用ストッパ部材）が設けられており、逆転誘導通路２８ｈを通じて右方向へ転動した遊技球は、第３ストッパ１９４にて受け止められる。なお、第３ストッパ１９４の手前に位置する部材には透明（又は半透明）な樹脂材料が用いられているため、第３ストッパ１９４に受け止められた遊技球の存在は遊技者から容易に視認可能である。
【００９１】
第３ストッパ１９４は、図示しない第３ストッパモータ（第１，第２ストッパ同様にソレノイドでもよい）を用いた昇降機構により上下方向に往復動作可能である。そして第３ストッパ１９４はこの往復動作に伴い、遊技球を受け止める貯留位置（制止状態）と遊技球を上記の案内通路２８ｎに放出する放出位置（開放状態）とに移動（状態が変化）することができる。第３ストッパ１９４は、上記の貯留位置にある状態で逆転ルート誘導路から転動してきた遊技球を貯留し、その移動を制止する。この状態で第３ストッパ１９４が図３中の２点鎖線で示される放出位置まで上昇すると、それまで貯留されていた遊技球の移動が許容されて右方向へ転動し、案内通路２８ｎに放出される。また、第３ストッパ１９４の近傍（ここでは下方）位置には近接方式の逆転検知スイッチ２０５が設置されており、第３ストッパ１９４に遊技球が受け止められると、その遊技球の存在が逆転検知スイッチ２０５により検出される。
【００９２】
これにより、一旦はノーマルルート（Ｖ入賞確率８分の１）に振り分けられた遊技球についても、第１回転体４４０の逆転ルート振分部から逆転誘導通路２８ｈを経て第３ストッパ１９４に受け止められた場合は、そこから一気に逆転してスペシャルルートへの振り分けが行われた場合と同様のチャンス（第２回転体４４２によるＶ入賞確率３分の１の振り分け）を与えられる可能性が残されていることになる。これにより、ノーマルルートについても遊技者の興味を最後まで持続し、興趣の低下を抑えることができる。
【００９３】
図４は、可動入球役物装置２８を遊技盤８から分離した状態で斜め上方から示した斜視図である。以下、図４でより明らかとなる構成について補足的に説明する。
【００９４】
先ず可動片２８ａは、図４に示されるように開放された状態で、その上面に沿って遊技球を上大入賞口２８ｂに向けて案内する構造を有している。開放中の可動片２８ａにより案内された遊技球は、上記のように上大入賞口２８ｂに入賞し、そのまま導入通路２８ｃ内に流入する。導入通路２８ｃは一旦、盤面の奥方向に向かって屈曲した後、そこから下方に延びて再び手前方向に屈曲している。上大入賞口スイッチ２００は、導入通路２８ｃが盤面の奥側で下方に延びている部分に設けられており、この部分で流下していく遊技球を検出する。
【００９５】
導入通路２８ｃの終端部分は溝形状をなしており、この終端部分は例えば下りの階段形状をなして右方向に延びている。その先に１つ目のルート振分体４４が位置しており、さらにその右側には連結通路２８ｆと２つ目のルート振分体４５が順に配置されている。
【００９６】
ノーマルルート用の案内通路２８ｄに繋がる流下通路２８ｇは、液晶表示器４２の左側方に配置されている。流下通路２８ｇのさらに左側方に可動装飾体２８０が設けられており、この可動装飾体２８０は、第１ストッパ１９０の位置の変化に連動して演出的な動作を行う。すなわち可動装飾体２８０は、例えばキャラクター（男性）の頭部と右手部分、さらにその右手部分によってキャラクターが操作しようとしている押ボタン（プッシュスイッチ）等を模した形状を有している。そして、第１ストッパ１９０が貯留位置から解除位置に移動する際、これに連動して可動装飾体２８０は、その右手部分によって押ボタンを押し込むような演出動作を行う。これにより、遊技者に対して「キャラクターが押ボタンを押すと、それによって遊技球の貯留が解除された」という演出上の印象を与えることができる。
【００９７】
また、スペシャルルート用の案内通路２８ｅは盤面の手前方向に開放されている。ルート振分体４５でスペシャルルート（スペシャル振り分け孔４５ｂ）に振り分けられた遊技球は、案内通路２８ｅから放出されて右下方向に流下し、その過程でスペシャルルートスイッチ２０４により検出される。その後、遊技球は球誘導体２８ｋの上端部に到達し、そこで第２ストッパ１９２により流下が制止される。第２ストッパ１９２が貯留位置にある場合、遊技球は球誘導体２８ｋの内部に落下することなく堰き止められた状態となる。
【００９８】
球誘導体２８ｋの右側方には別の可動装飾体３００が設けられている。この可動装飾体３００は、第２ストッパ１９２の位置の変化に連動して演出的な動作を行うとともに、球誘導体２８ｋによる定常的な左右への往復動作に連動して演出的な動作を行っている。すなわち可動装飾体３００は、キャラクター（女性）の頭部と右手部分、左手部分等を模した形態を有している。また右手部分は、第２ストッパ１９２と一続きに成形されており、第２ストッパ１９２の移動に連動して右手部分も一体的に移動する。一方、第２ストッパ１９２は、例えば煙管（又はパイプ）を模した形態を有しており、可動装飾体３００の右手部分は、ちょうどその指先で煙管の吸い口を挟み込むような形態を有している。また煙管の吸い口は、キャラクターの頭部でその口元に近接した位置にある。
【００９９】
そして、第２ストッパ１９２が貯留位置から解除位置に移動する際、これに連動して可動装飾体３００は、その右手部分で第２ストッパ１９２（煙管）全体を持ち上げるような演出動作を行う。これにより、遊技者に対して「キャラクターが右手で煙管を持ち上げる（口から離す）と、それによって遊技球の貯留が解除される」という演出上の印象を与えることができる。
【０１００】
また、可動装飾体３００の左手部分は球誘導体２８ｋに対して固定されており、球誘導体２８ｋが左右方向に往復移動すると、これに連動して左手部分も往復移動する。このとき可動装飾体３００は、その左手部分によって球誘導体２８ｋを揺り動かすような演出動作を行う。これにより、遊技者に対して「キャラクターが左手でワイングラス（球誘導体２８ｋ）を動かしながら、遊技球の流下タイミングに変化を与えている」という演出上の印象を与えることができる。
【０１０１】
〔下縁部の詳細〕
図４に示される斜め上方の角度からは、可動入球役物装置２８の下縁部の構成がより明らかとなっている。上記のように、第１ストッパ１９０から先の流下通路２８ｇは溝形状をなしており、盤面の手前から奧方向へ一旦延びた後、そこでＵターンするようにして手前方向へ折り返し、その終端は緩やかに右方向へ湾曲して第１回転体４４０の外周縁に到達している。
【０１０２】
また、上記のように第１回転体４４０は全体として円盤形状（笠形状）をなしており、その周縁部にアウト振り分け孔４４０ａやＶ入賞孔４４０ｂ、逆転ルート振分部４４０ｃ等が一定間隔で形成されている。可動入球役物装置２８の下縁部は、第１回転体４４０を収容できるだけの奥行きを有しており、そのさらに奧側に液晶表示器４２が配置されている。これにより、遊技者に対して盤面の中央部分に奥行き感や立体感を抱かせ、視覚的なインパクトを与えることができる。上記の流下通路２８ｇは、この奥行きを利用して液晶表示器４２の左側方に配置されている。
【０１０３】
また図４に示されているように、可動入球役物装置２８の下縁部には、その内部に特定領域スイッチ８２及び排出検知スイッチ２０６がそれぞれ配置されている。このうち特定領域スイッチ８２は上記のＶ入賞通路上に設けられており、また排出検知スイッチ２０６は上記のアウト通路上に設けられている。このため第１回転体４４０のアウト振り分け孔４４０ａに入り込んだ遊技球は、上記のアウト通路を通って排出される過程で、排出検知スイッチ２０６により検出される（中間排出検出手段）。またＶ入賞孔４４０ｂに入り込んだ遊技球は、特定領域としてのＶ入賞通路を通過したことが特定領域スイッチ８２により検出される（特定領域通過検出手段）。
【０１０４】
上記のように逆転誘導通路２８ｈは、第１回転体４４０の右側方に形成されており、第１回転体４４０の逆転ルート振分部４４０ｃに入り込んだ遊技球は、その回転に伴い逆転誘導通路２８ｈに放出される。第３ストッパ１９４は、その貯留位置（下降位置）で逆転誘導通路２８ｈの終端に隣接し、逆転誘導通路２８ｈに誘導された遊技球は、第３ストッパ１９４に受け止められて移動を制止される。
【０１０５】
また第３ストッパ１９４は、別の可動装飾体２９０に連結されている。この可動装飾体２９０は、例えば架空の乗り物（又は乗り物兼用のロボット）を模したコミカルな形態をなしている。可動装飾体２９０は、第３ストッパ１９４と一緒に貯留位置から上昇し、上記のように放出位置で案内通路２８ｎに遊技球を放出する。
【０１０６】
案内通路２８ｎは、最終的に遊技球を第２回転体４４２に向けて誘導する。可動入球役物装置２８の内部には、第２回転体４４２の奧に排出検知スイッチ２０６が設けられており、アウト振り分け孔４４２ａに入り込んだ遊技球は、特定領域を通過することなく排出される過程で排出検知スイッチ２０６により検出される（最終排出検出手段）。また図４には示されていないが、可動入球役物装置２８の内部には、Ｖ入賞通路４５０より奧に右側の特定領域スイッチ８２が設けられている。第２回転体４４２でＶ入賞孔４４２ｂに入り込んだ遊技球は、特定領域としてのＶ入賞通路４５０の通過を特定領域スイッチ８２により検出される。なお本実施形態では、スペシャルルート側とノーマルルート側とで、それぞれ特定領域スイッチ８２及び排出検知スイッチ２０６が別個に設けられている。
【０１０７】
〔ルート振分体の詳細〕
次に図５及び図６は、可動入球役物装置２８の上縁部分に相当するパーツを単独で示した縦断面図である。これら図５，図６には、主に導入通路２８ｃやルート振分体４４，４５、案内通路２８ｄ、流下通路４５ｃ等の構成が示されている。以下、ルート振分体４４，４５によるノーマルルート又はスペシャルルートへの振り分けを中心として補足的に説明する。
【０１０８】
図５に示されているように、上大入賞口２８ｂに入賞した遊技球は、導入通路２８ｃを流下する途中で上大入賞口スイッチ２００を通過し、最初に１つ目のルート振分体４４に到達する。１つ目のルート振分体４４は、上記のように一定方向（ここでは遊技者からみて時計回り）へ一定速度で回転しつつ、その周縁部に形成された３つのノーマル振り分け孔４４ａ及び１つのチャンス孔４４ｂを順々に導入通路２８ｃに対向させている。ルート振分体４４に到達した遊技球は、そのタイミングでちょうど導入通路２８ｃに対向してきたノーマル振り分け孔４４ａ又はチャンス孔４４ｂのいずれかに入り込むことになる。例えば、図５に示されるタイミングであれば、既にノーマル振り分け孔４４ａの開口が導入通路２８ｃの上方へ通り過ぎているため、次に回転してくるチャンス孔４４ｂに遊技球が入り込むことになる。
【０１０９】
また図５に示されているように、ノーマル振り分け孔４４ａとチャンス孔４４ｂとでは、その断面形状が異なっている。すなわち、ノーマル振り分け孔４４ａは、半径（仮想線）に対して対称なポケット状の断面形状を有しており、また、外周縁の開口幅よりも内法の方が広いため、ノーマル振り分け孔４４ａは内部よりも開口が狭められた（絞られた）形状となっていることが分かる。これに対してチャンス孔４４ｂは、半径（仮想線）に対して対称ではなく、ノーマル振り分け孔４４ａと比較すると、回転方向でみた上流側に開口が拡張されているため、チャンス孔４４ｂは内部よりも開口が拡げられた形状となっていることが分かる。
【０１１０】
このため、例えば図５中に二点鎖線で示されているように、ノーマル振り分け孔４４ａに遊技球が入り込んでいた場合、ノーマル振り分け孔４４ａの開口が連結通路２８ｆに対して横向きに対向する位置に到達しても、その内部からみて開口の方向が登り坂となっている。このため、遊技球は開口から転がり出ることなく、そのままノーマル振り分け孔４４ａ内に留まる。この後、ノーマル振り分け孔４４ａの開口が案内通路２８ｄに対して下向きに対向する位置に到達すると、遊技球は開口から落下して案内通路２８ｄに放出される。なお、案内通路２８ｄに放出された遊技球は、その終端で次に流下通路２８ｇへ流下する。
【０１１１】
一方、チャンス孔４４ｂに遊技球が入り込んでいた場合、チャンス孔４４ｂの開口が連結通路２８ｆに対して横向きに対向する位置に到達すると、その内部からみて開口の方向が下り坂となっている。このため、遊技球はそのまま開口から転がり出て連結通路２８ｆに放出され、次に２つ目のルート振分体４５へ向かうことになる。
【０１１２】
２つ目のルート振分体４５もまた、上記のように一定方向（ここでは時計回り）へ一定速度で回転しつつ、その周縁に形成された２つのノーマル振り分け孔４５ａ及び１つのスペシャル振り分け孔４５ｂを順々に連結通路２８ｆに対向させている。連結通路２８ｆを経てルート振分体４５に到達した遊技球は、そのタイミングでちょうど連結通路２８ｆに対向してきたノーマル振り分け孔４５ａ又はスペシャル振り分け孔４５ｂのいずれかに入り込むことになる。図６に示されるタイミングであれば、ちょうど次に回転してくるノーマル振り分け孔４５ａに遊技球が入り込むことになる。
【０１１３】
図６に示されているように、ノーマル振り分け孔４５ａとスペシャル振り分け孔４５ｂとで、互いの断面形状は略共通している。すなわち、ノーマル振り分け孔４５ａ及びスペシャル振り分け孔４５ｂは、いずれも半径（仮想線）に対して対称ではなく、回転方向でみた上流側に開口が拡張されており、内部よりも開口が拡げられた形状となっている。ただし、スペシャル振り分け孔４５ｂには盤面の奥側に仕切壁４５ｅが設けられているが、ノーマル振り分け孔４４ａには仕切壁がなく、盤面の奥側に向けて開放された状態となっている。またノーマル振り分け孔４５ａについては、その内壁が盤面の奥方向へ下り傾斜を有している。
【０１１４】
また図６に示されているように、２つ目のルート振分体４５より盤面の奥側には流入口４５ｄが形成されている。この流入口４５ｄは、ルート振分体４５の径方向でみて、ちょうどノーマル振り分け孔４４ａやスペシャル振り分け孔４５ｂと重なり合う位置にある。このため、例えばノーマル振り分け孔４５ａの方に遊技球が入り込んでいた場合、ルート振分体４５の回転に伴ってノーマル振り分け孔４５ａが流入口４５ｄに重なり合う位置に到達すると、そこから遊技球は流入口４５ｄに落下する。
【０１１５】
可動入球役物装置２８の上縁部には、２つのルート振分体４４，４５よりも盤面の奥側に流下通路４５ｃが設けられており、流下通路４５ｃは、上記のようにノーマルルート用の案内通路２８ｄに通じている。また上記の流入口４５ｄは、流下通路４５ｃへの入口となっており、ノーマル振り分け孔４５ａから流入口４５ｄに落下した遊技球は、流下通路４５ｃを通ってノーマルルート用の案内通路２８ｄへ誘導される。流下通路４５ｃの終端には流出口４４ｃが形成されており、流下通路４５ｃに放出された遊技球は、この流出口４４ｃを通って案内通路２８ｄに流れ込む。
【０１１６】
一方、例えば図６中に二点鎖線で示されているように、スペシャル振り分け孔４５ｂに遊技球が入り込んでいた場合、スペシャル振り分け孔４５ｂが流入口４５ｄに重なり合う位置に到達しても、仕切壁４５ｅによって流入口４５ｄへの落下は阻止される。このため、遊技球は流入口４５ｄに落下することなく、そのままスペシャル振り分け孔４５ｂ内に留まる。この後、スペシャル振り分け孔４５ｂの開口がスペシャルルート用の案内通路２８ｅに対して下向きに対向する位置に到達すると、遊技球は開口から落下して案内通路２８ｅに放出される。なお、案内通路２８ｅに放出された遊技球は、その先でスペシャルルートスイッチ２０４により通過を検出され、上記のように第２ストッパ１９２で貯留（移動を制止）される。
【０１１７】
〔第１ストッパの詳細〕
図７は、第１ストッパ１９０による遊技球の貯留時とその解除時の様子を具体的に示す図である。以下、流下通路２８ｇの構造を含めて補足的に説明する。
【０１１８】
〔貯留時（制止状態）〕
図７中（Ａ）：第１ストッパ１９０が貯留位置（制止状態）にある場合、上記のように第１ストッパ１９０によって流下通路２８ｇが途中で堰き止められ、そこで遊技球の移動が制止される。なお、流下通路２８ｇのダクト状の部分は透明（又は半透明）な樹脂材料から成形されており、遊技球はその内部に貯留されるため、遊技者からは貯留されている遊技球を容易に視認可能である。また、このとき可動装飾体２８０は、その右手部分２８０ａを押ボタン２８０ｂから離しており、押ボタン２８０ｂは飛び出た（押し込み前の）状態にある。
【０１１９】
〔解除時（解除状態）〕
図７中（Ｂ）：第１ストッパ１９０は、例えば貯留位置から盤面の左側へスライドして解除位置（解除状態）に移動する。これにより、遊技球は流下通路２８ｇのダクト状部分から落下し、溝状部分に移動する。そして、上記のように遊技球は盤面の奧方向へ誘導された後にＵターンして手前方向へ折り返し、そのまま第１回転体４４０に到達する。このように、第１ストッパ１９０から第１回転体４４０までの間にも、ある程度の長さを持った流下通路２８ｇを形成しておくことで、解除のタイミングから遊技球が第１回転体４４０に到達するまでの時間や遊技球の動きに多様性を与え、遊技者の興味を惹き付けておくことができる。なお、このとき可動装飾体２８０は、その右手部分２８０ａが押ボタン２８０ｂに向かって変位し、それによって押ボタン２８０ｂが押し込まれた状態にある。
【０１２０】
〔貯留球数〕
図８は、流下通路２８ｇの部分的な断面を含む側面図である。ここでは、第１ストッパによる遊技球の貯留球数を１個とする構造について補足的に説明する。
【０１２１】
図８中（Ａ）：上記のように第１ストッパ１９０が貯留位置にある場合、流下通路２８ｇを流下してきた遊技球が第１ストッパ１９０により貯留される。このとき流下通路２８ｇは、遊技球が貯留されている位置で盤面の奥側が開放されており、その先にはオーバーフロー排出路２８２及び奧排出口２８４が形成されている。このうち、オーバーフロー排出路２８２は遊技球の貯留される位置から盤面の奧方向に延びており、その最奧が突き当たりとなって下方に開放している。また、奧排出口２８４は煙突状をなしており、その上端が開放してオーバーフロー排出路２８２につながるとともに、流下通路２８ｇの奧側で鉛直下方に延びている。
【０１２２】
図８中（Ｂ）：第１ストッパ１９０により既に１個の遊技球が貯留されている場合、その後から流下してきた遊技球（２個目以降）は続いて貯留されることなく、１個目の遊技球に弾かれて流下通路２８ｇから奥側のオーバーフロー排出路２８２へ放出される。そして、オーバーフロー排出路２８２へ放出された遊技球は、その内部で下方へ落下し、そのまま奧排出口２８４に流入する。奧排出口２８４は可動入球役物装置２８の内部で上記のアウト通路に合流し、その排出過程で排出検知スイッチ２０６により検出される。このように、ノーマルルートに関して第１ストッパ１９０により貯留が可能な遊技球数は１個に制限されている。
【０１２３】
〔第１回転体による振り分け動作の詳細〕
図９及び図１０は、可動入球役物装置２８の部分的な水平断面を含む下縁部の平面図である。これら図９，図１０には、第１回転体４４０による各種の振り分け動作の様子が示されている。以下、第１回転体４４０による各種の振り分け動作について、それぞれ補足的に説明する。また、以下では第１ストッパ１９０が貯留位置から解除位置に移動したことで、第１ストッパ１９０より先に遊技球の移動が許容された場合を想定している。
【０１２４】
〔アウト振り分け時（第１の振り分け動作）〕
図９中（Ａ）：ここでは、いずれかのアウト振り分け孔４４０ａに遊技球が入り込んだ場合の振り分け動作が示されている。先ず、アウト振り分け孔４４０ａとＶ入賞孔４４０ｂとでは、Ｖ入賞孔４４０ｂに比較してアウト振り分け孔４４０ａの方が第１回転体４４０の回転中心に近い位置に形成されている。すなわち、図中の二点鎖線で示されているように、アウト振り分け孔４４０ａに入り込んだ遊技球は、Ｖ入賞孔４４０ｂと比較して第１回転体４４０の回転中心に近い位置で保持され、その回転方向に移送されていくことになる。
【０１２５】
また、第１回転体４４０の下方にはアウト落下口４４４及びＶ入賞落下口４４６がそれぞれ形成されている。このうちＶ入賞落下口４４６に比較して、アウト落下口４４４の方が第１回転体４４０の回転中心に近い位置に形成されており、アウト落下口４４４が回転方向でみて上流側に位置している。そして、第１回転体４４０の回転に伴い、個々のアウト振り分け孔４４０ａがアウト落下口４４４の真上を通過する際、アウト振り分け孔４４０ａはその全体がアウト落下口４４４の内側に収まった状態となる。このため、いずれかのアウト振り分け孔４４０ａに入り込んでいた遊技球は、そのアウト振り分け孔４４０ａがアウト落下口４４４の内側に収まる位置に到達すると、そこでアウト落下口４４４内に落下する。なお、第１回転体４４０が収容されている円形状の窪み部分は、アウト落下口４４４やＶ入賞落下口４４６以外が全体的に底板（参照符号なし）で塞がれているため、アウト落下口４４４やＶ入賞落下口４４６以外のところで遊技球がアウト振り分け孔４４０ａやＶ入賞孔４４０ｂから落下することはない。
【０１２６】
〔Ｖ入賞振り分け時（第２の振り分け動作）〕
図９中（Ｂ）：次に、ここではＶ入賞孔４４０ｂに遊技球が入り込んだ場合の振り分け動作が示されている。図中の二点鎖線で示されているように、Ｖ入賞孔４４０ｂに入り込んだ遊技球は、アウト振り分け孔４４０ａよりも第１回転体４４０の回転中心から遠い位置で保持され、その回転方向に移送されていくことになる。
【０１２７】
そして、Ｖ入賞孔４４０ｂがアウト落下口４４４の真上に到達しても、回転中心からの距離の違いにより、Ｖ入賞孔４４０ｂはアウト落下口４４４と部分的に重なり合うものの、遊技球の投影面積より大きい範囲にわたって重なり合うことはない。したがって、遊技球はＶ入賞孔４４０ｂからアウト落下口４４４へは落下することなく、第１回転体４４０の回転に伴ってさらに移送される。
【０１２８】
次にＶ入賞孔４４０ｂがＶ入賞落下口４４６の真上を通過する際、Ｖ入賞孔４４０ｂはその全体がＶ入賞落下口４４６の内側に収まった状態となる。このとき遊技球はＶ入賞孔４４０ｂからＶ入賞落下口４４６に落下し、特定領域としてのＶ入賞通路（特定領域スイッチ８２）を通過することになる。
【０１２９】
〔逆転振り分け時（第３の振り分け動作）〕
図１０：ここでは、逆転ルート振分部４４０ｃに遊技球が入り込んだ場合の振り分け動作が示されている。逆転ルート振分部４４０ｃは、アウト振り分け孔４４０ａやＶ入賞孔４４０ｂと違って底が抜けていない。このため、逆転ルート振分部４４０ｃがアウト落下口４４４やＶ入賞孔４４０ｂの上方を通過しても、逆転ルート振分部４４０ｃから遊技球が落下することはない。
【０１３０】
また第１回転体４４０（回転面）は、全体的に盤面の手前側へ下り傾斜している。このため、回転中心より手前側で逆転ルート振分部４４０ｃが逆転誘導通路２８ｈに対向すると、遊技球は下り傾斜に沿って移動し、逆転ルート振分部４４０ｃから逆転誘導通路２８ｈに放出される。この後、遊技球は第３ストッパ１９４に到達し、そこで貯留されることになる。
【０１３１】
〔スペシャルルート及び逆転ルートの詳細〕
図１１は、可動入球役物装置２８の右側縁部の構成を部分的に示した正面図である。図１１には、遊技球がスペシャルルート又は逆転ルートを通り、第２回転体４４２で振り分けられるまでの経路が矢印で示されている。以下、それぞれ補足的に説明する。
【０１３２】
上記のようにスペシャルルートに振り分けられた遊技球は、第２ストッパ１９２で貯留された後、その貯留を解除されて球誘導体２８ｋ内に落下する。このとき球誘導体２８ｋは、盤面に沿って左右方向へ定常的に往復移動しており、球誘導体２８ｋの内部で開口２８ｐが流下通路２８ｍへの落下口に合致するまでの間、遊技球は球誘導体２８ｋの内部で停留する。やがて開口２８ｐが流下通路２８ｍの落下口に合致すると、遊技球は流下通路２８ｍ内に流入し、上記のように下端開放から案内通路２８ｎに放出される。なお、上述のように球誘導体２８ｋの背面が全体的に開放されている場合、左右に往復移動する球誘導体２８ｋに遊技球が案内されながら流下通路２８ｍへ流入する。
【０１３３】
また、逆転誘導通路２８ｈ（逆転ルート）を経て第３ストッパ１９４に貯留された遊技球は、第３ストッパ１９４が上昇するタイミングで持ち上げられる。第３ストッパ１９４の底面は盤面の右側方向に下り傾斜しており、その右側端で第３ストッパ１９４は開放されている。ただし、貯留位置から放出位置に上昇するまでの区間にかけて、第３ストッパ１９４の右側には直立した側壁面１９５が位置しているため、この区間内で遊技球は側壁面１９５に支えられている。
【０１３４】
そして、第３ストッパ１９４が放出位置まで上昇すると、その右側には側壁面１９５が存在しなくなり、代わりに案内通路２８ｎの左側端が位置した状態となる。これにより、放出位置で遊技球は第３ストッパ１９４から案内通路２８ｎ内に放出される。
【０１３５】
図１１に示されているように、スペシャルルート又は逆転ルートを通ってきた遊技球は、いずれも案内通路２８ｎに流入し、最終的に第２回転体４４２に到達する。第２回転体４４２には、上記のように周縁部に沿って２つのアウト振り分け孔４４２ａと１つのＶ入賞孔４４２ｂが設けられている。このうち、２つのアウト振り分け孔４４２ａは盤面の奥側に開放されており、逆にＶ入賞孔４４２ｂは盤面の手前側へ開放されている。
【０１３６】
また図１１中に破線で示されているように、可動入球役物装置２８内には、第２回転体４４２の奧にアウト流入口４４８が形成されており、アウト振り分け孔４４２ａに入り込んだ遊技球は、第２回転体４４２の回転に伴い、アウト流入口４４８を通じて盤面の奥側へ落下する。可動入球役物装置２８の内部には、アウト流入口４４８に通じる排出通路４４９が形成されており、この排出通路４４９の途中に右側の排出検知スイッチ２０６が設けられている。アウト振り分け孔４４２ａからアウト流入口４４８に落下した遊技球は、排出通路４４９を通って排出され、その過程で排出検知スイッチ２０６により検出される。
【０１３７】
Ｖ入賞孔４４２ｂは盤面の奥側で開放されていないため、Ｖ入賞孔４４２ｂがアウト流入口４４８と前後に重なり合う位置（回転角度）に到達しても、Ｖ入賞孔４４２ｂ内の遊技球はアウト流入口４４８に落下しない。この後、Ｖ入賞孔４４２ｂの開口が下向きとなる位置（回転角度）に到達すると、遊技球がＶ入賞孔４４２ｂから放出されてＶ入賞通路４５０を通過する。可動入球役物装置２８の内部には右側の特定領域スイッチ８２が設けられており、この特定領域スイッチ８２によりＶ入賞通路４５０（特定領域）の通過が検出される。
【０１３８】
〔駆動機構の詳細〕
図１２は、可動入球役物装置２８の右側縁部に内蔵された駆動機構の構成を示す図である。この図１２には、駆動機構の正面図（Ａ）、右側面図（Ｂ）及び背面図（Ｃ）がそれぞれ表されている。
【０１３９】
駆動機構は、上記のように駆動源として第２回転体モータ２２８を有している。また駆動機構は、歯車伝達機構として第１従動ギヤ２２８ｂの他、第２従動ギヤ２２８ｃ、第３従動ギヤ２２８ｄ及び第４従動ギヤ２２８ｅを有している。第２回転体モータ２２８には、その出力軸に駆動ギヤ２２８ａが取り付けられており、この駆動ギヤ２２８ａに対して第１従動ギヤ２２８ｂが噛み合わされている。これら第１〜第４従動ギヤ２２８ｂ〜２２８ｅからなる歯車列は、第２回転体モータ２２８（駆動ギヤ２２８ａ）の回転に伴い、その動力を伝達する。
【０１４０】
歯車列は、可動入球役物装置２８の右側縁部に沿って縦方向に延びており、その始端（上端）に位置する第１従動ギヤ２２８ｂに対して、比較的歯数の多い（大径）第２従動ギヤ２２８ｃが噛み合っている。また第２従動ギヤ２２８ｃに対して、中程度の歯数を有する第３従動ギヤ２２８ｄが噛み合い、歯車列の末端（下端）で、比較的歯数の少ない第４従動ギヤ２２８ｅが第３従動ギヤ２２８ｄに噛み合っている。このため第２回転体モータ２２８の回転は、第２従動ギヤ２２８ｃでは減速されるが、その先の第３従動ギヤ２２８ｄや第４従動ギヤ２２８ｅではそれほど減速されない。
【０１４１】
なお、可動入球役物装置２８の右側縁部には、駆動機構のフレーム部分を構成するフレーム板３０７が設けられている。第２回転体モータ２２８や歯車列を含む駆動機構は、いずれもフレーム板３０７に支持されている。また第２回転体４４２や球誘導体２８ｋは、駆動機構を介してフレーム板３０７に支持されている。
【０１４２】
〔第２回転体の駆動〕
第２回転体４４２は、回転軸２２８ｈを介して第４従動ギヤ２２８ｅに連結されており、第４従動ギヤ２２８ｅと第２回転体４４２とは互いに一体的に回転する。なお、回転軸２２８ｈはフレーム板３０７を貫通して盤面の前後方向に延びており、回転軸２２８ｈはフレーム板３０７に対して回転自在に支持されている。このため図１２中（Ｃ）に示されているように、背面視で第２回転体モータ２２８が反時計回りに回転すると、その回転が歯車列を通じて伝達され、第２回転体４４２が背面視で反時計回り、つまり、図１２中（Ａ）に示されるように正面視で時計回りに回転する。このように駆動機構は、第２回転体モータ２２８の駆動力により第２回転体４４２を定常的に一定方向へ回転させている。
【０１４３】
〔球誘導体の駆動〕
また駆動機構は、上記の球誘導体２８ｋを定常的に往復移動させている。すなわち、駆動機構はスライダ３０２及びロータ３０４を有しており、このうちスライダ３０２は、フレーム板３０７に対して水平方向（盤面の左右方向）へ往復自在に支持されている。またスライダ３０２は、例えば２本の支持ロッド３０２ａを介して球誘導体２８ｋを支持している。
【０１４４】
ロータ３０４は、回転軸２２８ｆを介して歯車列の第２従動ギヤ２２８ｃに連結されており、第２従動ギヤ２２８ｃとロータ３０４とは互いに一体的に回転する。なお、回転軸２２８ｆもまたフレーム板３０７を貫通して盤面の前後方向に延びており、回転軸２２８ｆはフレーム板３０７に対して回転自在に支持されている。
【０１４５】
図１２中（Ａ）に破線で示されているように、スライダ３０２には縦方向のガイド溝３０２ｂが形成されている。また、ロータ３０４にはローラ状のカム体３０４ａが設けられており、このカム体３０４ａはガイド溝３０２ｂ内に嵌め合わされている。このためロータ３０４が回転すると、カム体３０４ａが円運動しながらガイド溝３０２ｂを介してスライダ３０２全体を水平方向へ往復移動させる。これにより、球誘導体２８ｋが定常的に盤面に沿って左右方向へ往復移動することになる。
【０１４６】
〔第３ストッパ作動機構の詳細〕
図１３及び図１４は、第３ストッパ１９４及びこれと連動する可動装飾体２９０の作動機構を具体的に示した左側面図及び後方斜視図である。このうち図１３には、第３ストッパ１９４が貯留位置にある場合の作動機構の状態が示されている。また図１４には、第３ストッパ１９４が放出位置に移動した場合の作動機構の状態が示されている。なお、図１３中（Ａ）及び図１４中（Ａ）にはそれぞれ作動機構が左側面から示されており、図１３中（Ｂ）及び図１４中（Ｂ）にはそれぞれ作動機構が左斜め後方から示されている。
【０１４７】
第３ストッパ１９４の作動機構は、上記のように駆動源として第３ストッパモータ２２４を有している。また作動機構は昇降体３０６を有しており、第３ストッパ１９４及び可動装飾体２９０は、この昇降体３０６に対して固定されている。第３ストッパモータ２２４の出力軸には駆動ピニオン２２４ａが取り付けられており、一方の昇降体３０６にはラック２２４ｂが形成されている。そして、これら駆動ピニオン２２４ａとラック２２４ｂとが互いに噛み合わされることで、第３ストッパモータ２２４を駆動源として昇降体３０６を昇降させることができる。
【０１４８】
可動入球役物装置２８の内部には、例えば２本のガイドロッド３０５が設けられており、これらガイドロッド３０５は、昇降体３０６を上下方向へスライド自在に案内する。また昇降体３０６には、盤面の手前方向に突出するブラケット２９０ａが形成されており、このブラケット２９０ａを介して第３ストッパ１９４及び可動装飾体２９０が昇降体３０６に支持されている。
【０１４９】
その他、第３ストッパ１９４の作動機構には、周辺部品として第３ストッパ位置検出スイッチ２２５や位置検出体２９０ｄ等が付属している。これら第３ストッパ位置検出スイッチ２２５や位置検出体２９０ｄは、第３ストッパ１９４の位置（貯留位置又はそれ以外の位置）を検出するためのものであり、ここでは第３ストッパ位置検出スイッチ２２５として、透過型のフォトスイッチが用いられている。なお第３ストッパ位置検出スイッチ２２５は、例えばスイッチ基板２２５ａに実装された状態で可動入球役物装置２８に内蔵されている。
【０１５０】
また位置検出体２９０ｄは、例えばコイルスプリング２９０ｅを介して上下動可能に支持されており、この状態で可動入球役物装置２８内に設置されている。位置検出体２９０ｄには遮光板２９０ｆが一体的に形成されており、この遮光板２９０ｆは、第３ストッパ位置検出スイッチ２２５の検出光軸に対して垂直に配置されている。上述したブラケット２９０ａには、その背面に突出部２９０ｃが一体的に形成されており、この突出部２９０ｃは、例えば図１３に示されているように、位置検出体２９０ｄに対して上方から接する位置関係にある。
【０１５１】
また、可動装飾体２９０に付属して球止め部材２９０ｂが設けられており、この球止め部材２９０ｂは、ちょうど第３ストッパ１９４の左側端縁に近接して配置されている。球止め部材２９０ｂは、可動入球役物装置２８の内部を第３ストッパ１９４よりも下方に延びており、その下端部が位置検出体２９０ｄに連結されている。このため球止め部材２９０ｂは、位置検出体２９０ｄとともにコイルスプリング２９０ｅによって支持された状態にあり、その弾性によって上下動可能である。
【０１５２】
〔貯留位置（制止状態）〕
図１３中（Ａ），（Ｂ）：作動機構は、例えば第３ストッパモータ２２４を一方向（ＣＣＷとする）に回転させることで、昇降体３０６を一番下まで下降させた状態で第３ストッパ１９４を貯留位置に保持することができる。この状態では、ブラケット２９０ａの突出部２９０ｃが位置検出体２９０ｄを下方に押さえ付けているため、それによってコイルスプリング２９０ｅが下方に圧縮されている。このとき、位置検出体２９０ｄの遮光板２９０ｆが第３ストッパ位置検出スイッチ２２５の検出光軸上まで下降するため、その位置検出信号（ＯＮ信号）を用いて第３ストッパ１９４が貯留位置にあることを検出することができる。
【０１５３】
また第３ストッパ１９４が貯留位置にある状態では、位置検出体２９０ｄとともに球止め部材２９０ｂが下方に押し下げられている。このとき球止め部材２９０ｂの先端（上端）は、逆転誘導通路２８ｈ（二点鎖線で示す）の底面と同程度の高さにある。このため、上記のように逆転誘導通路２８ｈから第３ストッパ１９４に到達した遊技球は、球止め部材２９０ｂに堰き止められることなく第３ストッパ１９４に流入し、そこで貯留されることになる。
【０１５４】
〔放出位置（解除状態）〕
図１４中（Ａ），（Ｂ）：また作動機構は、第３ストッパモータ２２４を逆方向（ＣＷとする）に回転させることで、昇降体３０６を一番上まで上昇させた状態で第３ストッパ１９４を放出位置に移動させることができる。また第３ストッパ１９４の上昇に伴い、ブラケット２９０ａの突出部２９０ｃが位置検出体２９０ｄから離れると、それまで下方に押さえ付けていた力が解除され、コイルスプリング２９０ｅが復元力で上方に伸長する。これにより、位置検出体２９０ｄの遮光板２９０ｆが第３ストッパ位置検出スイッチ２２５の検出光軸上から退出するため、その位置検出信号（ＯＦＦ信号）を用いて第３ストッパ１９４が貯留位置以外に移動したことを検出することができる。
【０１５５】
また第３ストッパ１９４が貯留位置から上昇し、ブラケット２９０ａの突出部２９０ｃが位置検出体２９０ｄから離れると、コイルスプリング２９０ｅによって位置検出体２９０ｄとともに球止め部材２９０ｂが持ち上げられる。この場合、球止め部材２９０ｂの先端は、逆転誘導通路２８ｈ（二点鎖線で示す）の底面からある程度突出する。この状態で、仮に逆転誘導通路２８ｈを通って遊技球が転動してきたとしても、その遊技球は球止め部材２９０ｂに堰き止められる。これにより、第３ストッパ１９４が貯留位置以外にある状態で遊技球が転動してきた場合のトラブル（例えば、可動入球役物装置２８内での不用意な遊技球の停留）を防止することができる。なお、第３ストッパ１９４が貯留位置に下降してくると、ブラケット２９０ａの突出部２９０ｃが位置検出体２９０ｄを再び押し下げるため、球止め部材２９０ｂは図１３に示される位置に復帰する。
【０１５６】
〔制御上の構成〕
次に、パチンコ機１の制御に関する構成について説明する。図１５は、パチンコ機１に装備された各種の電子機器類を示すブロック図である。パチンコ機１は、制御動作の中枢となる主制御装置７０を備えており、この主制御装置７０は主に、パチンコ機１における遊技の進行を制御する機能を有している。なお主制御装置７０は、上記の主制御基板ユニット１７０に内蔵されている。
【０１５７】
また主制御装置７０には、中央演算処理装置である主制御ＣＰＵ７２を実装した回路基板（主制御基板）が装備されており、主制御ＣＰＵ７２は、図示しないＣＰＵコアやレジスタとともにＲＯＭ７４、ＲＡＭ（ＲＷＭ）７６等の半導体メモリを集積したＬＳＩとして構成されている。
【０１５８】
また主制御装置７０には、乱数発生器７５やサンプリング回路７７が装備されている。このうち乱数発生器７５は、当り判定用にハードウェア乱数（例えば１０進数表記で０〜６５５３５）を発生させるものであり、ここで発生された乱数は、サンプリング回路７７を通じて主制御ＣＰＵ７２に入力される。その他にも主制御装置７０には、入出力ドライバ（Ｉ／Ｏ）７９や図示しないクロック発生回路、カウンタ／タイマ回路（ＣＴＣ）等の周辺ＩＣが装備されており、これらは主制御ＣＰＵ７２とともに回路基板上に実装されている。なお回路基板上（又は内層部分）には、信号伝送経路や電源供給経路、制御用バス等が配線パターンとして形成されている。
【０１５９】
上述した始動ゲート２０には、遊技球の通過を検出するための始動ゲートスイッチ８０が内蔵して設けられている。また遊技盤８には、上述した可動入球役物装置２８に対応して特定領域スイッチ８２が設けられている。なお、可動入球役物装置２８の詳細で先に述べたとおり、特定領域スイッチ８２は、第１回転体４４０と第２回転体４４２のそれぞれに対応して２箇所（中央と右側）にそれぞれ配置されている。さらに遊技盤８には、可変始動入賞装置２６に対応して特図始動入賞口スイッチ７８が設けられている。これらの他にも、可動入球役物装置２８内には上述した上大入賞口スイッチ２００や排出検知スイッチ２０６が設けられている。なお排出検知スイッチ２０６は、可動入球役物装置２８から排出された遊技球を検出し、その検出信号を出力するものである。これら検出信号は、図示しない入出力ドライバを介して主制御ＣＰＵ７２に入力される。また排出検知スイッチ２０６は、第１回転体４４０と第２回転体４４２のそれぞれに対応して２箇所に配置されていてもよい。
【０１６０】
この他にも遊技盤８には、カウントスイッチ２０８及び入賞口スイッチ２１０が設けられている。このうちカウントスイッチ２０８は、可変入賞装置３０（下大入賞口）への遊技球の入賞を検出し、その数をカウントするためのものである。また入賞口スイッチ２１０は、普通入賞口２２，２４，２５への遊技球の入賞を検出するものである。これらスイッチ類２０８，２１０の入賞検出信号もまた主制御装置７０に送信され、図示しない入出力ドライバを介して主制御ＣＰＵ７２に入力される。なお遊技盤８の構成上、本実施形態では始動ゲートスイッチ８０及び特定領域スイッチ８２からの検出信号が特に中継物を介することなく主制御装置７０に送信されており、その他の検出信号はパネル中継端子板８７を中継して主制御装置７０に送信されている。パネル中継端子板８７には、それぞれの検出信号を中継するための配線パターンや接続端子等が設けられている。
【０１６１】
また遊技盤８には、上述した普通電動役物ソレノイド２１２や上大入賞口ソレノイド２１４及び下大入賞口ソレノイド２１６が設けられている。これらソレノイド２１２〜２１６には、主制御装置７０（主制御ＣＰＵ７２）からパネル中継端子板８７を経由して駆動信号が入力されるものとなっている。
【０１６２】
また可動入球役物装置２８内には、ルート振分体モータ２１８や第１ストッパソレノイド２２０、第２ストッパソレノイド２２２、第３ストッパモータ２２４が設けられている他、第１回転体モータ２２６及び第２回転体モータ２２８が設けられている。このうちルート振分体モータ２１８は、２つのルート振分体４４，４５を回転させるものである。また第１回転体モータ２２６及び第２回転体モータ２２８は、それぞれ第１回転体４４０及び第２回転体４４２を回転させるためのものである。第２回転体モータ２２８については、先の詳細で述べたとおり球誘導体２８ｋを往復移動させる駆動源としても利用されている。
【０１６３】
また、第１ストッパソレノイド２２０及び第２ストッパソレノイド２２２は、それぞれ第１ストッパ１９０及び第２ストッパ１９２を貯留位置又は解除位置に切り換えるためのものである。第３ストッパモータ２２４は、第３ストッパ１９４を上記の貯留位置と放出位置との間で移動させるためのものである。なお、ここではルート振分体４４，４５を専用のルート振分体モータ２１８で回転させる例を挙げているが、ルート振分体４４，４５の駆動源を第２回転体モータ２２８で兼用してもよい。この場合、モータの部品点数を削減して省スペースやコストダウンを図ることができる。
【０１６４】
〔ソレノイドの機能〕
上記の第１ストッパソレノイド２２０は、例えば図示しないリンク機構を介して第１ストッパ１９０や可動装飾体２８０を作動させる。第１ストッパソレノイド２２０が非通電（通常ＯＦＦ）の状態にある場合、第１ストッパ１９０は解除位置に保持されている。このとき可動装飾体２８０の右手部分２８０ａは押ボタン２８０ｂに向かって変位しており、押ボタン２８０ｂは押し込まれた状態となっている。
【０１６５】
〔ＯＦＦ→ＯＮ時〕
第１ストッパソレノイド２２０が通電状態（ＯＦＦ→ＯＮ）になると、第１ストッパ１９０は解除位置から制止位置に変位する。このとき可動装飾体２８０の右手部分２８０ａは押ボタン２８０ｂから離れ、押ボタン２８０ｂは飛び出た状態にある。この状態でノーマルルートに振り分けられた遊技球が流下してくると、第１ストッパ１９０にて遊技球の移動を制止することができる（図７中（Ａ），図８）。
【０１６６】
〔ＯＮ→ＯＦＦ時〕
第１ストッパソレノイド２２０が通電状態から非通電状態になると（ＯＮ→ＯＦＦ）、第１ストッパ１９０は制止位置から解除位置に復帰する（解除動作）。これにより、第１ストッパ１９０で貯留されていた遊技球が第１回転体４４０に向けて放出される（図７中（Ｂ））。
【０１６７】
第２ストッパソレノイド２２２もまた、図示しないリンク機構を介して第２ストッパ１９２を作動させる。第２ストッパソレノイド２２２が非通電（通常ＯＦＦ）の状態にある場合、第２ストッパ１９２は解除位置に保持されている。
【０１６８】
〔ＯＦＦ→ＯＮ時〕
第２ストッパソレノイド２２２が通電状態（ＯＦＦ→ＯＮ）になると、第２ストッパ１９２は解除位置から制止位置に変位する。この状態でスペシャルルートに振り分けられた遊技球が流下してくると、第２ストッパ１９２にて遊技球の移動を制止することができる。
【０１６９】
〔ＯＮ→ＯＦＦ時〕
第２ストッパソレノイド２２２が通電状態から非通電状態になると（ＯＮ→ＯＦＦ）、第２ストッパ１９２は制止位置から解除位置に復帰する（解除動作）。これにより、第２ストッパ１９２で貯留されていた遊技球が球誘導体２８ｋに向けて放出される。
【０１７０】
なお、上記の例とは別に、第１ストッパソレノイド２２０や第２ストッパソレノイド２２２は、それぞれ通電時と非通電時とで逆の動作を発生させてもよい。
【０１７１】
その他に可動入球役物装置２８内には、第３ストッパ１９４に対応して第３ストッパ位置検出スイッチ２２５が設けられている。第３ストッパ位置検出スイッチ２２５は、例えば第３ストッパ１９４が上記の貯留位置にある場合、位置検出信号（ＯＮ信号）を出力し、貯留位置以外にある場合は論理を反転した位置検出信号（ＯＦＦ信号）を出力する。この位置検出信号（ＯＮ又はＯＦＦ）に基づき、主制御ＣＰＵ７２は第３ストッパ１９４が貯留位置にあるのか、それとも貯留位置以外にあるのかを判断することができる。
【０１７２】
本実施形態では、電源投入後からルート振分体４４，４５や第１回転体４４０、第２回転体４４２、球誘導体２８ｋ等がそれぞれ一定動作を行っている。このうちルート振分体４４，４５や第１回転体４４０、第２回転体４４２（第２回転体モータ２２８）については、図示しないインデックスセンサを用いてこれらの回転に関する原点位置の検出を行っている。このため主制御装置７０には、これらインデックスセンサからの原点位置検出信号が入力されている。
【０１７３】
なお、ルート振り分け体４４，４５や第１回転体４４０、第２回転体４４２、球誘導体２８ｋ等の一定動作は、遊技状態（大当り遊技状態とそれ以外の状態）の変化に関わらず、パチンコ機１の電源がオフにされるまで同じ条件で継続する。
【０１７４】
本実施形態では、遊技盤８に例えば１枚の統合表示基板２３０が設けられており、この統合表示基板２３０に実装された状態で普通図柄表示装置３３や普通図柄作動記憶ランプ３３ａ、特別図柄表示装置３４、特別図柄作動記憶ランプ３４ａ及び状態表示ランプ３６〜３９が設置されている。統合表示基板２３０には上記のパネル中継端子板８７を中継して主制御ＣＰＵ７２から制御信号が送信されており、普通図柄表示装置３３や普通図柄作動記憶ランプ３３ａ、特別図柄表示装置３４、特別図柄作動記憶ランプ３４ａ及び状態表示ランプ３６〜３９は、いずれも主制御ＣＰＵ７２からの制御信号に基づいて表示動作を制御されている。主制御ＣＰＵ７２は、遊技の進行状況に応じてこれら表示装置３３，３４及びランプ３３ａ，３４ａ，３６〜３９に対する制御信号を出力し、各ＬＥＤの点灯状態を制御している。
【０１７５】
その他に上記のガラス枠ユニット４にはガラス枠開放スイッチ９１が設置されており、また上記のプラ枠アセンブリ７にはプラ枠開放スイッチ９３が設置されている。ガラス枠ユニット４が単独で開放されると、ガラス枠開放スイッチ９１からの接点信号が主制御装置７０（主制御ＣＰＵ７２）に入力され、また外枠アセンブリ２からプラ枠アセンブリ７が開放されると、プラ枠開放スイッチ９３からの接点信号が主制御装置７０（主制御ＣＰＵ７２）に入力される。主制御ＣＰＵ７２は、これら接点信号からガラス枠ユニット４やプラ枠アセンブリ７の開放状態を検出することができる。
【０１７６】
パチンコ機１の裏側には、払出制御装置９２が装備されている。この払出制御装置９２（払出制御コンピュータ）は、上述した払出装置ユニット１７２の動作を制御する。払出制御装置９２には、払出制御ＣＰＵ９４を実装した回路基板（払出制御基板）が装備されており、この払出制御ＣＰＵ９４もまた、図示しないＣＰＵコアとともにＲＯＭ９６、ＲＡＭ９８等の半導体メモリを集積したＬＳＩとして構成されている。払出制御装置９２（払出制御ＣＰＵ９４）は、主制御ＣＰＵ７２からの賞球指示コマンドに基づいて払出装置ユニット１７２の動作を制御し、要求された個数の遊技球の払出動作を実行させる。
【０１７７】
払出装置ユニット１７２の図示しない賞球ケース内には、払出モータ１０２（ステッピングモータ）とともに払出装置基板１００が設置されており、この払出装置基板１００には払出モータ１０２の駆動回路が設けられている。払出装置基板１００は、払出制御装置９２（払出制御ＣＰＵ９４）からの払出数指示信号に基づいて払出モータ１０２の回転角度を具体的に制御し、指示された数の遊技球を賞球ケースから払い出させる。払い出された遊技球は、流路ユニット１７３内の払出流路を通って上記の受け皿ユニット６に送られる。
【０１７８】
また、例えば賞球ケースの上流位置には払出路球切れスイッチ１０４が設置されている他、払出モータ１０２の下流位置には払出計数スイッチ１０６が設置されている。払出モータ１０２の駆動により実際に賞球が払い出されると、その都度、払出計数スイッチ１０６からの計数信号が払出装置基板１００に入力される。また賞球ケースの上流位置で球切れが発生すると、払出路球切れスイッチ１０４からの接点信号が払出装置基板１００に入力される。払出装置基板１００は、入力された計数信号や接点信号を払出制御装置９２（払出制御ＣＰＵ９４）に送信する。払出制御ＣＰＵ９４は、払出装置基板１００から受信した信号に基づき、実際の払出数や球切れ状態を検知することができる。
【０１７９】
またパチンコ機１には、例えば下皿６ｃの内部（パチンコ機１の正面からみて奧の位置）に満タンスイッチ１６１が設置されている。実際に払い出された賞球（遊技球）は上記の流路ユニット１７３を通じて上皿６ｂに放出されるが、上皿６ｂが遊技球で満杯になると、それ以上に払い出された遊技球は上述したように下皿６ｃへ流れ込む。さらに下皿６ｃが遊技球で満杯になると、それによって満タンスイッチ１６１がＯＮになり、満タン検出信号が払出制御装置９２（払出制御ＣＰＵ９４）に入力される。これを受けて払出制御ＣＰＵ９４は、主制御ＣＰＵ７２から賞球指示コマンドを受信してもそれ以上の賞球動作を一旦保留とし、未払出の賞球残数をＲＡＭ９８に記憶させておく。なお、ＲＡＭ９８の記憶は電源断時にもバックアップが可能であり、遊技中に停電（瞬間的な停電を含む）が発生しても、未払出の賞球残数情報が消失してしまうことはない。
【０１８０】
またパチンコ機１の裏側には、発射制御基板１０８とともに発射ソレノイド１１０が設置されている。また受け皿ユニット６内には球送りソレノイド１１１が設けられている。これら発射制御基板１０８、発射ソレノイド１１０及び球送りソレノイド１１１は上述した発射制御基板セット１７４を構成しており、このうち発射制御基板１０８には発射ソレノイド１１０及び球送りソレノイド１１１の駆動回路が設けられている。このうち球送りソレノイド１１１は、受け皿ユニット６内に蓄えられた遊技球を１個ずつ、発射機ケース内で所定の発射位置に送り出す動作を行う。また発射ソレノイド１１０は、発射位置に送り出された遊技球を打撃し、上記のように遊技領域８に向けて遊技球を１個ずつ連続的（間欠的）に打ち出す動作を行う。なお遊技球の発射間隔は、例えば０．６秒程度の間隔（１分間で１００個以内）である。
【０１８１】
一方、パチンコ機１の表側に位置する上記のグリップユニット１６には、発射レバーボリューム１１２、タッチセンサ１１４及び発射停止スイッチ１１６が設けられている。このうち発射レバーボリューム１１２は、遊技者による発射ハンドルの操作量（いわゆるストローク）に比例したアナログ信号を生成する。またタッチセンサ１１４は、静電容量の変化から遊技者の身体がグリップユニット１６（発射ハンドル）に触れていることを検出し、その検出信号を出力する。そして発射停止スイッチ１１６は、遊技者の操作に応じて発射停止信号（接点信号）を生成する。
【０１８２】
上記の受け皿ユニット６には受皿中継端子板１１８が設置されており、発射レバーボリューム１１２やタッチセンサ１１４、発射停止スイッチ１１６からの各信号は、受皿中継端子板１１８を経由して発射制御基板１０８に送信される。また、発射制御基板１０８からの駆動信号は、受皿中継端子板１１８を経由して球送りソレノイド１１１に印加される。遊技者が発射ハンドルを操作すると、その操作量に応じて発射レバーボリューム１１２でアナログ信号が生成され、このときの信号に基づいて発射ソレノイド１１０が駆動される。これにより、遊技者の操作量に応じて遊技球を打ち出す強さが調整されるものとなっている。なお発射制御基板１０８の駆動回路は、タッチセンサ１１４からの検出信号がオフ（ローレベル）の場合か、もしくは発射停止スイッチ１１６から発射停止信号が入力された場合は発射ソレノイド１１０の駆動を停止する。この他に、受皿中継端子板１１８には遊技球等貸出装置接続端子板１２０が接続されており、この遊技球等貸出装置接続端子板１２０に上記のＣＲユニットが接続されていない場合、同じく発射制御基板１０８の駆動回路は発射ソレノイド１１０の駆動を停止する。
【０１８３】
また、受け皿ユニット６にはＣＲ基板１２２が内蔵されており、このＣＲ基板１２２には上記の球貸ボタン１０や返却ボタン１２にそれぞれ接続されるスイッチや、度数表示部の表示器（３桁分の７セグメントＬＥＤ）が設けられている。球貸ボタン１０又は返却ボタン１２が操作されると、その操作信号がＣＲ基板１２２から受皿中継端子板１１８、遊技球等貸出装置接続端子板１２０を経由してＣＲユニットに送信される。またＣＲユニットからは、有価媒体の残り度数を表す度数信号が遊技球等貸出装置接続端子板１２０から受皿中継端子板１１８を経由してＣＲ基板１２２に送信される。ＣＲ基板１２２上の図示しない表示回路は、度数信号に基づいて表示器を駆動し、有価媒体の残り度数を数値表示する。
【０１８４】
またパチンコ機１は制御上の構成として、演出制御装置１２４を備えている。この演出制御装置１２４は、上記の複合サブ制御基板ユニット１７１に内蔵されている。演出制御装置１２４は、パチンコ機１における遊技の進行に伴う演出の制御を行うものである。演出制御装置１２４にもまた、中央演算処理装置である演出制御ＣＰＵ１２６を実装した回路基板（複合サブ制御基板）が装備されている。演出制御ＣＰＵ１２６には、図示しないＣＰＵコアとともにメインメモリとしてＲＯＭ１２８やＲＡＭ１３０等の半導体メモリが内蔵されている。なお演出制御装置１２４は、パチンコ機１の裏側で上記の裏カバーユニット１７８に覆われる位置に設けられている。
【０１８５】
また演出制御装置１２４には、図示しない入出力ドライバや各種の周辺ＩＣが装備されている他、ランプ駆動回路１３２や音響駆動回路１３４が装備されている。演出制御ＣＰＵ１２６は、主制御ＣＰＵ７２から送信される演出用のコマンドに基づいて演出の制御を行い、ランプ駆動回路１３２や音響駆動回路１３４に指令を与えて各種ランプ４６〜５２や盤面ランプ５３を発光させたり、スピーカ５４，５５，５６から実際に効果音や音声等を出力させたりする処理を行う。
【０１８６】
ランプ駆動回路１３２は、例えば図示しないＰＷＭ（パルス幅変調）ＩＣやＭＯＳＦＥＴ等のスイッチング素子を備えており、このランプ駆動回路１３２は、ＬＥＤを含む各種ランプに印加する駆動電圧をスイッチング（又はデューティ切替）して、その発光・点滅等の動作を管理する。なお各種ランプには、上記のガラス枠トップランプ４６，４８やガラス枠サイドランプ５０，受け皿ランプ５２の他に、遊技盤８に設置された装飾・演出用の盤面ランプ５３が含まれる。盤面ランプ５３は上記の演出ユニットに内蔵されるＬＥＤや、可変始動入賞装置２６、可動入球役物装置２８、可変入賞装置３０、装飾ユニット４０等に内蔵されるＬＥＤに相当するものである。なお、ここでは受け皿ランプ５２がガラス枠電飾基板１３６に接続されている例を挙げているが、受け皿ユニット６に受け皿電飾基板を設置し、受け皿ランプ５２については受け皿電飾基板を介してランプ駆動回路１３２に接続される構成であってもよい。
【０１８７】
また音響駆動回路１３４は、例えば図示しないサウンドＲＯＭや音響制御ＩＣ、アンプ等を内蔵したサウンドジェネレータであり、この音響駆動回路１３４は、ガラス枠上スピーカ５４及び受け皿スピーカ５６を駆動して音響出力を行う。
【０１８８】
本実施形態ではガラス枠ユニット４の内面にガラス枠電飾基板１３６が設置されており、ランプ駆動回路１３２や音響駆動回路１３４からの駆動信号はガラス枠電飾基板１３６を経由して各種ランプ４６〜５２やスピーカ５４，５５，５６に印加されている。またガラス枠電飾基板１３６には、上記の演出切替ボタン４１が接続されており、遊技者が演出切替ボタン４１を操作すると、その接点信号がガラス枠電飾基板１３６を通じて演出制御装置１２４に入力される。なお、ここではガラス枠電飾基板１３６に演出切替ボタン４１を接続した例を挙げているが、上記の受け皿電飾基板を設置する場合、演出切替ボタン４１は受け皿電飾基板に接続されていてもよい。
【０１８９】
その他、遊技盤８にはパネル電飾基板１３８が設置されており、ランプ駆動回路１３２からの駆動信号がパネル電飾基板１３８を経由して盤面ランプ５３に印加されている。また、可動入球役物装置２８内には演出用の球検出器として、上述したノーマルルートスイッチ２０２やスペシャルルートスイッチ２０４、逆転検知スイッチ２０５が設けられている。これらの検出信号は、パネル電飾基板１３８を中継して送信され、図示しない入出力ドライバを介して演出制御ＣＰＵに入力される。
【０１９０】
上記の液晶表示器４２は遊技盤８の裏側に設置されており、遊技盤８に形成された略矩形の開口を通じてのその表示画面が視認可能となっている。また、遊技盤８の裏側にはインバータ基板１５８が設置されており、このインバータ基板１５８は液晶表示器４２のバックライトに印加される交流電源を生成している。さらに、遊技盤８の裏側には演出表示制御装置１４４が設置されており、液晶表示器４２による表示動作は、演出表示制御装置１４４により制御されている。演出表示制御装置１４４には、汎用の中央演算処理装置である表示制御ＣＰＵ１４６とともに、表示プロセッサであるＶＤＰ１５２を実装した回路基板（演出表示制御基板）が装備されている。このうち表示制御ＣＰＵ１４６は、図示しないＣＰＵコアとともにＲＯＭ１４８、ＲＡＭ１５０等の半導体メモリを集積したＬＳＩとして構成されている。またＶＤＰ１５２は、図示しないプロセッサコアとともに画像ＲＯＭ１５４やＶＲＡＭ１５６等の半導体メモリを集積したＬＳＩとして構成されている。なおＶＲＡＭ１５６は、その記憶領域の一部をフレームバッファとして利用することができる。
【０１９１】
演出制御ＣＰＵ１２６のＲＯＭ１２８には、演出の制御に関する基本的なプログラムが格納されており、演出制御ＣＰＵ１２６は、このプログラムに沿って演出の制御を実行する。演出の制御には、上記のように各種ランプ４６〜５３等やスピーカ５４，５５，５６を用いた演出の制御が含まれる他、液晶表示器４２を用いた画像表示による演出の制御が含まれる。演出制御ＣＰＵ１２６は、表示制御ＣＰＵ１４６に対して演出に関する基本的な情報（例えば演出番号）を送信し、これを受け取った表示制御ＣＰＵ１４６は、基本的な情報に基づいて具体的に演出用の画像を表示する制御を行う。
【０１９２】
表示制御ＣＰＵ１４６は、ＶＤＰ１５２に対してさらに詳細な制御信号を出力する。これを受け取ったＶＤＰ１５２は、制御信号に基づいて画像ＲＯＭ１５４にアクセスし、そこから必要な画像データを読み出してＶＲＡＭ１５６に転送する。さらにＶＤＰ１５２は、ＶＲＡＭ１５６上で画像データを１フレーム（単位時間あたりの静止画像）ごとにフレームバッファに展開し、ここでバッファされた画像データに基づき液晶表示器４２の各画素（フルカラー画素）を個別に駆動する。
【０１９３】
その他、プラ枠アセンブリ７の裏側には電源制御ユニット１６２が装備されている。この電源制御ユニット１６２はスイッチング電源回路を内蔵し、電源コード１６４を通じて島設備から外部電力（例えばＡＣ２４Ｖ等）を取り込むと、そこから必要な電力（例えばＤＣ＋３４Ｖ、＋１２Ｖ等）を生成することができる。電源制御ユニット１６２で生成された電力は、主制御装置７０や払出制御装置９２、演出制御装置１２４、インバータ基板１５８に分配されている。さらに、払出制御装置９２を経由して発射制御基板１０８に電力が供給されている他、遊技球等貸出装置接続端子板１２０を経由してＣＲユニットに電力が供給されている。なお、ロジック用の低電圧電力（例えばＤＣ＋５Ｖ）は、各装置に内蔵された電源用ＩＣ（３端子レギュレータ等）で生成される。
【０１９４】
また、プラ枠アセンブリ７の裏側には外部端子板１６０が設置されている。主制御装置７０（主制御ＣＰＵ７２）及び払出制御装置９２（払出制御ＣＰＵ９４）は、外部端子板１６０を通じてパチンコ機１の外部に向けて外部情報（特別図柄変動開始情報、特別図柄停止図柄確定回数情報、賞球払出情報、大当り中、時間短縮機能作動中といった遊技ステータス情報）を出力することができる。盤用外部端子板１６０から出力される信号は、例えば遊技場のホールコンピュータで集計される。
【０１９５】
〔遊技フロー〕
次に図１６は、本実施形態のパチンコ機１による遊技の流れを一例として示すゲームフロー図である。パチンコ機１による通常遊技は、遊技球を遊技領域８ａ内に打ち込む（発射する）ことで開始される。以下、遊技球の打ち出しを前提として遊技の流れについて説明する。
【０１９６】
〔Ｇ０１：通過始動〕
遊技球が遊技領域８ａ内を流下する過程で上記の始動ゲート２０を通過すると、始動ゲートスイッチ８０によって遊技球の通過が検出され、これを契機として普通図柄抽選が行われる。普通図柄抽選は、上記のように可変始動入賞装置２６を作動させるか否かに関わる抽選（作動抽選）である。
【０１９７】
〔Ｇ０２：当り判定〕
普通図柄抽選は、例えば主制御装置７０において当り決定乱数を内部的に取得し、この乱数値を予め定められた比較値（ある程度の範囲をもった当り値）と比較することで行われる（作動抽選実行手段）。また普通図柄抽選においては、当り決定乱数とともに当り種別決定乱数もまた合わせて取得されており、当り決定乱数が当り値の範囲内に該当していた場合、当り種別決定乱数の値を参照して当選種類が決定される。なお、ここで非当選となった場合はひとまずゲームフローが終了となり、改めて通過始動（Ｇ０１）からゲームフローを開始することになる。
【０１９８】
また本実施形態では、普通図柄抽選での当選種類として例えば「当選Ａ」及び「当選Ｂ」の２つが用意されている。このうち一方の「当選Ａ」に比較して、他方の「当選Ｂ」は選択比率が３０倍〜５０倍程度に高く設定されている。
【０１９９】
特に図示していないが、普通図柄抽選が行われると、普通図柄表示装置３３において普通図柄が所定の変動時間にわたり変動表示された後、抽選結果を表す態様で停止表示される。なお、変動表示中に次の通過始動（始動ゲート２０の通過）が発生した場合、そこで取得された乱数が記憶される（最大４個）。
【０２００】
〔Ｇ０４：普通電動役物作動〕
普通図柄抽選で当選し、普通図柄表示装置３３において普通図柄が当りの態様で停止表示されると、可変始動入賞装置２６が作動する。なお本実施形態では、同じ当選でも上記の「当選Ａ」に該当した場合の作動時間（開放時間）は比較的長く設定されている（例えば５．５秒〜６．０秒程度）が、「当選Ｂ」に該当した場合の作動時間は極端に短く設定されている（例えば０．０６秒〜０．１秒程度）。この程度の極端な短時間の作動では、ほとんど可変始動入賞装置２６（始動入賞口２６ａ）への入賞は発生しにくい。一方、「当選Ａ」に該当した場合はある程度の充分な開放時間が確保されるため、その間に始動入賞口２６ａに遊技球が入賞する可能性は充分にある。
【０２０１】
〔Ｇ０６：特図始動入賞判定〕
可変始動入賞装置２６の作動に伴い、始動入賞口２６ａへの入賞が発生したか否かが判定される。本実施形態では、始動入賞口２６ａへの入賞を契機として特別図柄抽選（内部抽選）が行われるが、特別図柄抽選の当り確率（小当り確率）は１（＝１／１）に設定されているため、入賞の発生がそのまま当選に該当する。したがって、特に主制御装置７０において内部的に当り判定乱数を取得する必要はないが、敢えて取得することとしてもよい。本実施形態では、特に始動入賞口２６ａへの入賞を契機として直接的に可変入賞装置３０（下大入賞口）が開放する当り（いわゆる直当り、直撃当り）を設けていないが、ここで取得した当り判定乱数を用いて直当り判定を行ってもよい。なお、ここで入賞が発生しなかった場合はひとまずゲームフローが終了となり、改めて通過始動（Ｇ０１）からゲームフローを開始することになる。
【０２０２】
本実施形態では、特別図柄表示装置３４による特別図柄の変動パターンをランダムに変化させるため、ここでは変動パターン決定乱数を取得するものとする。また特別図柄抽選においては、この後に可動入球役物装置２８内で特定領域通過（Ｖ入賞）が発生した場合、大当り終了後に付加される時間短縮機能の作動回数（０回を含めてもよい）を決定する抽選を合わせて実行している。このため、特別図柄抽選にも複数の当選種類が用意されており、本実施形態では例えば大きく分けて「特図当選１」、「特図当選２」、「特図当選３」の３種類が設けられているものとする。ただし、各当選種類にはさらに小分類として複数の当選種類（例えば「特図当選１ａ〜１ｊ」、「特図当選２ａ〜２ｊ」等）が設けられているものとする。
【０２０３】
特別図柄抽選が実行されると、変動パターン決定乱数に基づいて決定された変動パターン（変動時間）にわたって特別図柄表示装置３４により特別図柄の変動表示が行われた後、抽選結果を表す態様で特別図柄が停止表示される。本実施形態では特別図柄に「はずれ」の表示態様がなく、このときの停止表示態様は「特図当選１」〜「特図当選３」のいずれに該当したかを表すものとなっている。なお、上記のように各当選種類にはさらに細かな小分類が設けられており、それら全ての当選種類（例えば３０種類〜１２０種類程度）に対応して個別に停止表示態様が設定されているため、それだけ当選図柄の停止表示態様を多様化し、見かけ上の結果判別を困難にしている。
【０２０４】
〔Ｇ０７：可動入球役物装置作動開始〕
いずれにしても、特別図柄表示装置３４により特別図柄が確定停止表示されると、これを作動契機として可動入球役物装置２８が作動（開閉動作）を開始する。可動入球役物装置２８の作動は、上記のように可動片２８ａを開放位置に変化させるものであるが、本実施形態では可動片２８ａの開放を少なくとも２回に分けて行っている。すなわち可動片２８ａの開放は、１回目（初回）と２回目以降とに分けて行われ、このうち１回目の開放は、上大入賞口２８ｂへの入賞が困難となる短時間（例えば０．１秒以下）で行われるが、２回目以降の開放は、上大入賞口２８ｂへの入賞を容易化させるのに充分な時間（例えば０．８秒〜１．５秒程度）をかけて行われる。したがって、可動入球役物装置２８が作動を開始すると、少なくとも２回目以降の開閉動作（可動片２８ａの開閉）が完了するまで可動入球役物装置２８の作動は終了していないことになる。可動入球役物装置２８の２回目以降の開放は、複数回にわたり行われる態様であってもよい。
【０２０５】
〔Ｇ０８：第１ストッパ作動開始〕
可動入球役物装置２８の作動開始により、第１ストッパ１９０が作動（解除動作）を開始する。第１ストッパ１９０の作動は、上記のように制止位置と解除位置との間を変位するものであるが、本実施形態では第１ストッパ１９０の作動（解除動作）を複数回にわたり行うこととしている。具体的には、第１ストッパソレノイド２２０の通電状態（ＯＮ）で第１ストッパ１９０が遊技球を貯留する制止位置に変位した後、時間をおいて第１ストッパソレノイド２２０が非通電状態（ＯＦＦ）となって第１ストッパ１９０が遊技球を放出する解除位置に復帰する。このような動作を１回分の解除動作とすると、第１ストッパ１９０の作動開始により、複数回にわたって解除動作が行われることになる。
【０２０６】
〔Ｇ１０：役物入賞判定〕
次に、可動入球役物装置２８の作動時に遊技球が流入（図中に「役物入賞」と表記）したか否かが判定される。ここで遊技球の流入があった場合、ゲームフローはさらに可動入球役物装置２８内での振り分け動作に進行していくことになる。また振り分け動作に際して、第１ストッパ１９０による解除動作が行われる。
【０２０７】
〔Ｇ１１：役物装置作動終了判定〕
ここまでに可動入球役物装置２８の作動時に遊技球が入賞していなくても、可動入球役物装置２８の作動が終了していなければ、ゲームフロー上は役物入賞判定（Ｇ１０）が継続される。入賞が発生しないまま可動入球役物装置２８が作動を終了すると、ひとまずゲームフローが終了となり、改めて通過始動（Ｇ０１）からゲームフローを開始することになる。
【０２０８】
〔Ｇ１２：特定領域通過判定〕
ゲームフローが可動入球役物装置２８内での振り分け動作に進行すると、最終的に特定領域を遊技球が通過（Ｖ入賞）したか否かの判定が行われる。その結果、最終的に特定領域を通過することなく可動入球役物装置２８から遊技球が排出された場合、残念ながらゲームフローはそこで終了となり、改めて通過始動（Ｇ０１）からゲームフローを開始することになる。
【０２０９】
〔Ｇ１４：可変入賞装置作動（大当り図柄抽選演出）〕
これに対し、可動入球役物装置２８内で遊技球の特定領域通過（Ｖ入賞）が発生した場合、可変入賞装置３０が作動する。このとき可変入賞装置３０の作動は、いわゆる第１種特別電動役物遊技（大当り遊技）の場合と同様である。具体的には、例えば１回あたりの下大入賞口の開放時間（例えば３０秒程度）が経過するか、もしくは開放時間内に規定個数（例えば９個）の遊技球の入賞があるかのいずれかの条件が満たされるまでを１ラウンドとし、このラウンドを予め定められた連続作動回数（例えば１５回）にわたって繰り返すというものである。このような大当り中（可変入賞装置３０の作動中）は、通常時に閉止状態にある下大入賞口への入賞を短期間内に数多く発生させることができるため、その間に遊技者はまとまって多くの賞球を獲得することができる。なお、本実施形態では〔Ｇ０８〕可動入球役物装置作動を１ラウンド目としているため、全体としてのラウンド数に１回分が加算される（例えば１５回＋１回）。
【０２１０】
また本実施形態では、可変入賞装置３０の作動中（大当り中）に演出上で大当り図柄抽選が行われる。大当り図柄抽選演出は、今回の大当りが終了した後、どの程度の時短回数（時間短縮機能が作動する普通図柄抽選の上限回数）が付加されるかを遊技者に教示（又は開示、示唆等）するものである。なお大当り図柄演出抽選は、大当り中ではなく、大当り開始前に行われるものであってもよい。
【０２１１】
特に図示していないが、「大当り図柄抽選演出」は、例えば「レギュラーボーナス」、「ビッグボーナス」、「スーパーボーナス」といった大当り図柄の種別を象徴した呼称を液晶表示器４２の画面内に表示させる態様となる。このとき、例えば「レギュラーボーナス」よりも「ビッグボーナス」の方が付加される時短回数が多く、また、「ビッグボーナス」よりも「スーパーボーナス」の方が付加される時短回数が多い。したがって、「大当り図柄抽選演出」でいずれの呼称が表示されるかは、遊技者にとって大きな関心事となる。なお本実施形態では、例えば上記の「レギュラーボーナス」が「時短２回当り（Ｇ１６）」に対応し、「ビッグボーナス」が「時短４回当り（Ｇ１８）」に対応し、そして、「スーパーボーナス」が「時短６回当り（Ｇ２０）」に対応している。
【０２１２】
また実際の演出は、例えば上記の「レギュラーボーナス」、「ビッグボーナス」、「スーパーボーナス」といった各候補の大当り図柄が次々と画面に現れては消える動作を行うことで、あたかも大当り図柄抽選が行われているかのような態様で進行する。すなわち、例えば最初に「レギュラーボーナス」の呼称が表示された後、次にその呼称が「ビッグボーナス」、「スーパーボーナス」という順に変化していき、再び「レギュラーボーナス」から「ビッグボーナス」、「スーパーボーナス」へと変化していくように各呼称の表示がくるくると変化していく。そして、最終的にいずれかの呼称（「レギュラーボーナス」、「ビッグボーナス」又は「スーパーボーナス」）が停止表示されると、それが今回の大当り図柄種別であったことを表す演出が行われる。今回の「大当り図柄種別」は、「大当り終了後にどの程度の時短回数が付加されるか」を教示（開示、示唆等）するものとなる。
【０２１３】
このように、今回の大当り図柄種別がいずれに該当するかは、その後に付加される時短回数に関わってくるため、大当り図柄抽選演出は遊技者にとって興味深いものとなる。ただし実際の制御上では、今回の大当りの直前に行われた特別図柄抽選（Ｇ０６）において当選種別が既に決定済みであるため、ここでの大当り図柄抽選演出は、先に行われた抽選結果を演出的に表現していることになる。
【０２１４】
〔Ｇ２４：時間短縮状態への移行〕
いずれにしても、通常状態（非時間短縮状態）からの大当り（いわゆる初当り）では「時短２回（Ｇ１６）」、「時短４回（Ｇ１８）」又は「時短６回（Ｇ２０）」のいずれかに該当することで、大当りの終了後に予め設定された回数の時間短縮状態（特定遊技状態）に移行する。時間短縮状態に移行すると、普通図柄抽選において普通図柄の変動時間が通常よりも短縮（例えば作動記憶数に応じて１２秒〜３秒程度→１秒以下に短縮）されるとともに、「当選Ｂ」について開放時間が通常よりも延長（例えば０．０８秒→５．８秒）される。したがって時間短縮状態では、通常よりも遊技者に有利な作動条件（開放時間延長）に基づいて可変始動入賞装置２６の作動が制御されることになる。
【０２１５】
そして、時間短縮状態に移行すると、始動ゲート２０の通過に伴う可変始動入賞装置２６の開放（長時間開放）が高頻度（特に「当選Ｂ」の確率１／１．０４）で行われることになるため、それだけ可変始動入賞装置２６への入賞が発生しやすくなる。その結果、可動入球役物装置２８の作動も頻繁に発生することとなるため、ゲームフローは可動入球役物装置２８内での振り分け動作にまで進行しやすくなる。
【０２１６】
〔時短中の大当り図柄〕
なお、時間短縮状態に移行している間に特定領域通過が発生した場合、当選種類は「特図当選４」又は「特図当選５」の２種類の中から選択されるものとする。このうち「特図当選４」については、上記と同じ時短回数を６回とする当選種類に該当し、「特図当選５」については、時短回数を０回（時短なし）とする当選種類に該当する。なお、ここでも各当選種類にはさらに小分類として、複数の当選種類（例えば「特図当選４ａ〜４ｊ」、「特図当選５ａ〜５ｊ」等）が設けられているものとする。
【０２１７】
〔可動入球装置内でのゲームフロー〕
次に、可動入球役物装置２８内で進行するゲームフローについて説明する。図１７は、可動入球役物装置２８内に遊技球が流入した場合に行われるゲームの流れを概略的に示すゲームフロー図である。なお、ここでいう「ゲームフロー」は、遊技球の転動や振り分け動作を伴って進行するゲームの流れに相当する。
【０２１８】
〔役物入賞〕
上大入賞口２８ｂへの入賞（可動入球役物装置２８への遊技球の流入）により、可動入球役物装置２８内でのゲームフローが開始される。入賞が発生するのは、１回目の可動片２８ａの開放時ではなく、２回目以降の可動片２８ａの開放時である。上記のように２回目以降の可動片２８ａの開放は、１回目の開放終了後から一定でない時間をおいて不規則に行われる。このため、毎回の可動入球役物装置２８の作動契機で上大入賞口２８ｂへの入賞が発生するタイミングを多様化することができる。
【０２１９】
〔Ｇ５０：ルート振り分け〕
いずれにしても、入賞が発生すると、可動入球役物装置２８内では上記のように先ず２つのルート振分体４４，４５によるルート振り分けが行われる。
【０２２０】
〔Ｇ５２：ノーマルルート〕
最初のルート振分体４４でノーマル振り分け孔４４ａに入るか、もしくは２つ目のルート振分体４５でノーマル振り分け孔４５ａに入った遊技球は、上記のようにノーマルルートへと振り分けられる。
【０２２１】
〔Ｇ５４：第１ストッパにて貯留〕
ノーマルルートに振り分けられた遊技球は、上記のように流下通路２８ｇ内で貯留される。このとき第１ストッパ１９０は、上記の第１ストッパソレノイド２２０により貯留位置に移動されているものとする。
【０２２２】
〔Ｇ５６：画像演出実行〕
第１ストッパ１９０による貯留のタイミングに同期して、ノーマルルートスイッチ２０２からの検出信号に基づき、液晶表示器４２の画面内で上記のノーマルパターン演出による画像演出が実行される。この画像演出は、例えば「これから遊技球が第１回転体４４０に向かって放出される」ということを予告する内容であり、それによって遊技球の行き先に遊技者の注意を惹き付けさせる効果を発揮する。
【０２２３】
〔Ｇ５８：第１ストッパ解除〕
第１ストッパ１９０による遊技球の貯留が解除されるタイミングに同期して、これまで行われていた画像演出が概ね終了する。なお第１ストッパ１９０をはじめ、その他の第２ストッパ１９２及び第３ストッパ１９４は、１回目の可動片２８ａの開閉動作を開始契機として、予め定められた動作パターン（タイムスケジュール）に従って順番に貯留を解除する動作（解除動作）を行うが、解除動作の動作パターンが２回目以降の開放と連動していないため、遊技者の見た目上、どのタイミングで第１ストッパ１９０の解除動作が行われるかの予測を付けにくくすることができる。
【０２２４】
またストッパ１９０〜１９４の解除は、例えば可動片２８ａの１回目の開閉動作を開始契機として、最初に第１ストッパ１９０、次に第２ストッパ１９２、最後に第３ストッパ１９４の順番で行われる。第１ストッパ１９０の解除動作は複数回にわたり行われるが、複数回分の解除動作は、例えば第１の所定時間（例えば１０秒〜２０秒台前半程度）内で終了する。次に、可動片２８ａの開放から第２の所定時間（例えば２０秒台前半程度）が経過すると、２番目に第２ストッパ１９２の貯留が解除され、さらに可動片２８ａの開放から第３の所定時間（例えば２０秒代後半程度）が経過すると、最後に第３ストッパ１９４の貯留が解除されるものとなっている。なお、第２ストッパ１９２と第３ストッパ１９４の解除動作は１回ずつ行われることとする。これら第１の所定時間、第２の所定時間、第３の所定時間は、第１の所定時間より第２の所定時間が長く、第２の所定時間より第３の所定時間が長く設定されている。これにより、先ず第１ストッパ１９０の解除で遊技球の振り分け動向を遊技者に注目させ、次に第２ストッパ１９２の解除でスペシャルルートでの遊技球の動向を遊技者に注目させ、さらに最後の第３ストッパ１９４の解除で最後の振り分け動向を遊技者に着目させるというゲームの流れをつくることができる。
【０２２５】
〔Ｇ６０：第１回転体到達〕
貯留を解除された遊技球は、上記のように流下通路２８ｇの下流部分を通じて第１回転体４４０に到達する。このとき、遊技球の振り分け動向に遊技者の注目を集めることができる。
【０２２６】
〔Ｇ６２：特定領域通過判定〕
ここで上記のＶ入賞孔４４０ｂに遊技球が入り込むと、その遊技球がＶ入賞通路を通過する際に中央（左側）の特定領域スイッチ８２により特定領域の通過が検出される。
【０２２７】
〔Ｇ６４：可変入賞装置作動〕
特定領域通過が検出されると、上記のようにゲームフローは大当り遊技に進行し、可変入賞装置３０が作動することになる。
【０２２８】
〔Ｇ７８：逆転チャンス判定〕
第１回転体４４０で特定領域通過が検出されなかった場合、次に逆転チャンスが発生したか否かの判定が内部的に行われる。この判定は、例えば上記の逆転検知スイッチ２０５を用いて行うことができる。演出制御上で特に検出信号が入力されなければ、逆転チャンスが発生しなかったと判定することができる。この場合、可動入球役物装置２８内でのゲームフローは終了し、改めて最初のゲームフロー（図１６）が再開されることになる。またこの他に、排出検知スイッチ２０６を用いて逆転チャンスの判定を行ってもよい。例えば、第１ストッパ１９０による最初の解除動作の終了後、特定領域通過が検出されることなく一定時間内に排出検知スイッチ２０６により遊技球の排出が検出された場合、特に逆転チャンスは発生しなかったと判定することができる。
【０２２９】
これに対し、第１回転体４４０で遊技球が逆転ルート振分部に入り込み、逆転ルート誘導路を通って第３ストッパ１９４に受け入れられると、逆転検知スイッチ２０５から検出信号が入力されるため、それによって逆転チャンスが発生したと判定することができる。なお、ここでは逆転検知スイッチ２０５を用いて判定を行っているが、排出検知スイッチ２０６から一定時間内に検出信号が入力されなかった場合、逆転チャンスが発生したと判定するものであってもよい。
【０２３０】
〔Ｇ８０：第３ストッパにて貯留〕
いずれにしても、逆転チャンスが発生した場合、第３ストッパ１９４にて一時的に遊技球が貯留されている。なお第３ストッパ１９４は、上記の第３ストッパモータ２２４により予め貯留位置（下降位置）に移動されている。
【０２３１】
〔Ｇ８２：画像演出実行〕
第３ストッパ１９４による貯留のタイミングに同期して、液晶表示器４２の画面内で画像演出が実行される。この画像演出は、例えば「これから遊技球が持ち上げられ、第２回転体４４２に向かって放出される」ということを予告する内容であり、それによって遊技球の行き先に遊技者の注意を惹き付けさせる効果を発揮する。特にこの場合は第１回転体４４０でＶ入賞を逃した後の逆転チャンスであるため、遊技者の期待感も大きく高まることになる。
【０２３２】
〔Ｇ８４：第３ストッパ解除〕
第３ストッパ１９４による遊技球の貯留が解除されるタイミングに同期して、これまで行われていた画像演出が概ね終了する。貯留の解除は、第３ストッパモータ２２４により第３ストッパ１９４を放出位置まで上昇させることで行われる。なおこの間、画像演出が継続されていてもよい。
【０２３３】
〔Ｇ７４：第２回転体到達〕
貯留を解除された遊技球は、上記のように案内通路２８ｎ上を右方向に転動し、第２回転体４４２に到達する。なお、第２回転体４４２での振り分け動作については、次のスペシャルルートでの流れの中で説明する。
【０２３４】
〔Ｇ６６：スペシャルルート〕
２つ目のルート振分体４５でスペシャル振り分け孔４５ｂに入った遊技球は、上記のようにスペシャルルートへと振り分けられる。
【０２３５】
〔Ｇ６８：第２ストッパにて貯留〕
スペシャルルートに振り分けられた遊技球は、上記のように案内通路２８ｅ内で第２ストッパ１９２にて貯留される。なお第２ストッパ１９２は、上記の第２ストッパソレノイド２２２により予め貯留位置に移動されている。
【０２３６】
〔Ｇ７０：画像演出実行〕
第２ストッパ１９２による貯留のタイミングに同期して、スペシャルルートスイッチ２０４からの検出信号に基づき、液晶表示器４２の画面内で上記のスペシャルパターン演出による画像演出が実行される。この画像演出は、例えば「これから遊技球が第２回転体４４２に向かって放出される」ということを予告する内容であり、それによって遊技球の行き先に遊技者の注意を惹き付けさせ、はらはらどきどきさせる効果を発揮する。特に第２回転体４４２の場合、特定領域通過（Ｖ入賞）の確率が第１回転体４４０よりも高いため、遊技者の期待感もそれだけ高くなっている。なお、先に第１ストッパ１９０で遊技球が貯留されている場合、第１回転体４４０での振り分け動作が完了するまでの間は、例えば「スペシャルルートチャンス！」といった文字情報を画面内の右上隅位置に表示しておき、「ノーマルルートでＶ入賞を逃しても、次にスペシャルルートのチャンスがある」という内容を遊技者にアピールすることとしてもよい。
【０２３７】
〔Ｇ７２：第２ストッパ解除〕
第２ストッパ１９２による遊技球の貯留が解除されるタイミングに同期して、これまで行われていた画像演出が概ね終了する。
【０２３８】
〔Ｇ７４：第２回転体到達〕
貯留を解除された遊技球は、上記のように球誘導体２８ｋを経て流下通路２８ｍを流下し、案内通路２８ｎを介して第２回転体４４２に到達する。またこのとき、上記のように球誘導体２８ｋにより落下タイミングに変化が与えられるため、そこでも遊技球の振り分け動向に遊技者の注目を集めることができる。特に第２回転体４４２による特定領域通過の振り分け率は高いため、ここで一気に遊技者の興趣を高めることができる。
【０２３９】
〔Ｇ７６：特定領域通過判定〕
このように、スペシャルルートから遊技球が到達した場合に加えて、上記の逆転チャンスを経て到達した場合についても、ここで上記のＶ入賞孔４４２ｂに遊技球が入り込むと、その遊技球がＶ入賞通路を通過する際に右側の特定領域スイッチ８２により特定領域の通過が検出される。
【０２４０】
〔Ｇ６４：可変入賞装置作動〕
そして特定領域通過が検出されると、上記のようにゲームフローは大当り遊技に進行し、可変入賞装置３０が作動することになる。
【０２４１】
これに対し、特定領域通過が検出されることなく、中央（左側）又は右側の排出検知スイッチ２０６により、可動入球役物装置２８に入賞した全ての遊技球の排出が検出された場合、そこで可動入球役物装置２８内でのゲームフローは終了となり、改めて最初のゲームフロー（図１６）が再開されることになる。
【０２４２】
以上が本実施形態のパチンコ機１による遊技の基本的な流れであるが、特に可動入球役物装置２８内で行われる遊技球の振り分け動作の結果（特定領域を通過するか否か）は、その後の遊技の流れに大きく影響するものである。特に、上大入賞口２８ｂへの入賞が発生した場合、基本的にルート振り分けでノーマルルートに遊技球が振り分けられる頻度が最も高いため、役物入賞時は第１回転体４４０での振り分け動作がメインとなる傾向にある。
【０２４３】
このため多くの遊技者にとっては、可動入球役物装置２８の作動契機が発生した場合、第１回転体４４０がどのような状態にあるかを注意深く観察することにより、そこから今回の役物入賞でＶ入賞が発生するかを予測することに対して興味が向きやすい。以下、この点について説明する。
【０２４４】
〔Ｖ入賞予測原理〕
図１８は、第１回転体４４０での振り分け動作でＶ入賞が発生するかを予測する際の一般的な原理を示した図である。一般的な予測原理について説明する前に、ここで先ず、可動入球役物装置２８内の可動体に関する一般的な前提を説明し、その後に本実施形態で特有の事項について説明する。
【０２４５】
〔Ｃ０：羽根開放〕
上記のように、特別図柄が変動した後、当選図柄で確定停止表示されると、可動入球役物装置２８の作動契機が発生する。一般的に、このような作動契機の発生を条件として可動片２８ａ（いわゆる羽根）の開放が行われる。
【０２４６】
可動片２８ａの開放により、上大入賞口２８ｂへの入賞が可能となる。この後、ルート振り分けを経て、遊技球は例えばノーマルルートを流下していく。一般的に第１ストッパ１９０は、可動片２８ａの開放に合わせて貯留位置に移動している。これにより、ノーマルルートを流下してきた遊技球が第１ストッパ１９０にて貯留されることになる。なお、上記のように２個の遊技球がノーマルルートに振り分けられた場合、入賞やルート振り分けの時間差で後から第１ストッパ１９０に到達した遊技球（２個目）は排出される。
【０２４７】
〔Ｃ１：第１ストッパ解除〕
一般的に第１ストッパ１９０の解除は、可動片２８ａの開放（Ｃ０：羽根開放）を１の契機として、予め決められたタイミングで（例えば一定時間後に）行われることとなっている。この一定時間は、入賞した遊技球がルート振り分けを経てノーマルルートを流下し、第１ストッパ１９０まで到達するのに必要な時間よりも長く設定されている。これにより、遊技球が第１ストッパ１９０を素通りしたり、第１ストッパ１９０が遊技球を堰き止めずに空振りしたりするのを防止している。
【０２４８】
いずれにしても、第１ストッパ１９０が解除されると、その下流に位置する流下通路２８ｇに沿って遊技球が転動し、第１回転体４４０に向けて放出される。第１ストッパ１９０の解除から第１回転体４４０に到達するまでの所要時間は、構造的にみて平均的な転動時間に収まる。
【０２４９】
〔Ｃ２：開放タイミングでのＶ入賞孔位置〕
上記のように第１回転体４４０は、電源投入から常時一定の動作（例えば等速回転）を行っており、この一定動作は可動入球役物装置２８の作動とは連動していない。このため、可動入球役物装置２８による可動片２８ａの開放タイミングで、第１回転体４４０がどのような状態にあるか、例えばＶ入賞孔４４０ｂが回転方向でどの角度に位置しているかは常に同じではない。一般的には時計の針と文字盤の位置関係になぞらえて、「Ｖ入賞孔４４０ｂが何時の位置にある」等と称している。図１８の例でいえば、「Ｖ入賞孔４４０ｂが６時の位置にある」ということになる。
【０２５０】
〔Ｖ入賞孔位置からのＶ入賞予測原理〕
一方で（１）可動入球役物装置２８による可動片２８ａの開閉動作と第１ストッパ１９０の解除動作とは一般的に連動している。また（２）第１ストッパ１９０の解除から第１回転体４４０に遊技球が到達するまでの時間も平均的に安定している。したがって、これら（１），（２）の材料を考え合わせると、（３）入賞した遊技球がどのタイミングで第１回転体４４０に放出されるかも予めおおよそ一定していると見ることができる。そうすると、「上記（３）のタイミングでＶ入賞孔４４０ｂが近接してくればＶ入賞が発生し、それ以外ならＶ入賞が発生しない」という推論が一般的に成り立つことになる。以下、この推論について技術的に検証する。
【０２５１】
〔比較例〕
図１９は、本実施形態のパチンコ機１と対比される一般的なパチンコ機について、その各部の動作を比較例として示すタイミングチャートである。比較例の対象となる一般的なパチンコ機は、本実施形態のパチンコ機１に類する遊技性を持つものとする。
【０２５２】
〔普通図柄〕
図１９中（Ａ）：遊技中、ある時刻ｔ０に普通図柄が変動を開始し、変動時間Ｔ１の経過後に当り図柄の態様で停止表示された場合を想定する。
【０２５３】
〔普通電動役物ソレノイド〕
図１９中（Ｂ）：当り図柄の態様で停止表示された普通図柄の確定時間Ｔ２が経過すると、普通電動役物の作動契機が発生し、時刻ｔ１に普通電動役物ソレノイドがＯＮになる。これにより、普通電動役物（いわゆる電チュー）が開放され、始動口への入賞が可能となる。この比較例では、普通電動役物の開放中に入賞が発生した場合を想定している。
【０２５４】
〔特別図柄〕
図１９中（Ｃ）：始動口への入賞を契機として内部抽選が行われ、時刻ｔ２から特別図柄の変動表示が開始される。このとき設定された変動時間Ｔ３の経過後、特別図柄が当選図柄の態様で停止表示されたとする。
【０２５５】
〔上大入賞口ソレノイド〕
図１９中（Ｄ）：当選図柄の態様で停止表示された特別図柄の確定時間Ｔ４が経過すると、本実施形態でいう可動入球役物装置２８に相当する役物装置の作動契機が発生する（時刻ｔ３）。これにより、上大入賞口ソレノイドがＯＮになり、役物装置の開放が行われ、上大入賞口への入賞が可能となる。この比較例では、上大入賞口の開放中に入賞が発生した場合を想定している。
【０２５６】
〔第１ストッパソレノイド〕
図１９中（Ｅ）：また比較例では、上大入賞口の開放タイミング（時刻ｔ３）に合わせて第１ストッパソレノイドがＯＮになっている。なお第１ストッパソレノイドは、本実施形態の第１ストッパソレノイド２２０に相当する構成である。
【０２５７】
〔第１ストッパで貯留〕
図中に破線の矢印で示されているように、上大入賞口に入賞した遊技球は、本実施形態でいうノーマルルートに相当する誘導路を通じて流下していき、第１ストッパにて貯留される。なお破線矢印の傾斜は、遊技球の入賞から貯留までに、遊技球が流下する平均的な時間を要したことを表している。
【０２５８】
〔貯留解除〕
上大入賞口の開放後、予め決められた時間Ｔ５が経過すると（時刻ｔ４）、第１ストッパソレノイドがＯＦＦになる。これにより、遊技球の貯留が解除され、本実施形態でいう第１回転体４４０に相当する対象（回転体）に向けて放出されることになる。
【０２５９】
〔球放出〕
ここでも図中に破線の矢印で示されているように、貯留解除で放出された遊技球は、本実施形態でいう第１ストッパ１９０より下流の流下通路２８ｇに相当する通路を転動し、回転体に到達する。同様に破線矢印の傾斜は、貯留解除から回転体へ到達するまでに、遊技球が転動する平均的な時間を要したことを表している。
【０２６０】
〔Ｖ入賞孔接近タイミング〕
図１９中（Ｆ）：比較例においても、第１回転体４４０に相当する回転体は電源投入から一定動作を行っている。このため回転体のＶ入賞孔が接近してくるタイミングは、上大入賞口の開放タイミングと無関係の一定周期（例えば１秒以下〜１秒程度）で訪れている。なお、図中に示される波形の「接近」は、流下通路の末端にＶ入賞孔が最も接近しており、このタイミングで遊技球が回転体に到達したとすると、Ｖ入賞孔に振り分けられる確率が極めて高いことを表している。その他の「離隔」は、Ｖ入賞孔が流下通路の末端から離隔しており、このタイミングで遊技球が回転体に到達した場合、アウト振り分け孔に振り分けられる確率が極めて高いことを表している。
【０２６１】
〔アウト振り分け〕
この比較例では、放出された遊技球が回転体に到達するタイミング（時刻ｔ５）でＶ入賞孔が「離隔」の状態にあるため、遊技球は回転体のアウト振り分け孔へ振り分けられることになる。
【０２６２】
〔比較例の総括〕
比較例において、以下の事項が明らかである。
（１）図中に太い矢印で示されているように、上大入賞口の開放タイミングから回転体に遊技球が到達するまでの所要時間ＴＸは、毎回の役物遊技を平均して略一定である。
（２）仮に、所要時間ＴＸの最後とＶ入賞孔の接近タイミングがうまく一致していれば、極めて高い確率でＶ入賞が発生したはずである。今回の比較例で言えば、回転体の周期が位相差Ｐ１だけ遅れていたか、もしくは位相差Ｐ２だけ進んでいれば、所要時間ＴＸの最後とＶ入賞孔の接近タイミングが一致し、Ｖ入賞が発生していたと考えられる。
（３）これから逆算すると、上大入賞口の開放タイミング（所要時間ＴＸの最初）でＶ入賞孔がどの位置にあれば、Ｖ入賞が発生しやすいかを予測することが可能である。今回の比較例で言えば、可動体の一定動作が図中に２点鎖線で示される波形を示す周期に一致していた場合、極めて高い確率でＶ入賞が発生すると予測できるが、それ以外の場合はＶ入賞が発生しにくいと予測することができる。
【０２６３】
〔Ｖ入賞予測位置〕
以上より、上大入賞口の開放タイミングで回転体がどのような状態（Ｖ入賞孔が何時の位置にあったか）を注意深く観察すれば、事前にＶ入賞するか否かの推論が一般的に成り立つことが分かる。
【０２６４】
〔本実施形態に特有の動作〕
次に図２０は、本実施形態のパチンコ機１に特有の動作を示すタイミングチャートである。
【０２６５】
〔普通図柄〕
図２０中（Ａ）：本実施形態のパチンコ機１において遊技中、ある時刻ｔ１０に普通図柄が変動を開始し、変動時間Ｔ１１の経過後に当り図柄の態様で停止表示された場合を想定する。なお変動時間Ｔ１１は、毎回の変動ごとに設定される。
【０２６６】
〔普通電動役物ソレノイド〕
図２０中（Ｂ）：当り図柄の態様で停止表示された普通図柄の確定時間Ｔ１２（例えば０．５秒程度）が経過すると、普通電動役物、つまり可変始動入賞装置２６の作動契機が発生し、時刻ｔ１１に普通電動役物ソレノイド２１２がＯＮになる。これにより、可変始動入賞装置２６が開放動作し、始動入賞口２６ａへの入賞が可能となる。本実施形態においても、可変始動入賞装置２６の開放中に始動入賞口２６ａへの入賞が発生した場合を想定する。
【０２６７】
〔特別図柄〕
図２０中（Ｃ）：始動入賞口２６ａへの入賞を契機として内部抽選が行われ、時刻ｔ１２から特別図柄表示装置３４において特別図柄の変動表示が開始される。このとき設定された変動時間Ｔ１３の経過後、特別図柄が当選図柄の態様で停止表示されたとする。なお変動時間Ｔ１３もまた、毎回の変動ごとに設定される。
【０２６８】
〔上大入賞口ソレノイド〕
図２０中（Ｄ）：当選図柄の態様で停止表示された特別図柄の確定時間Ｔ１４（例えば０．５秒程度）が経過すると、可動入球役物装置２８の作動契機が発生する（時刻ｔ１３）。これにより、上大入賞口ソレノイド２１４がＯＮになり、可動片２８ａによる初回（１回目）の開閉動作が行われる。
【０２６９】
〔初回の開閉動作〕
初回の開閉動作は、上大入賞口２８ｂへの入賞が困難となる短期開放時間Ｔ１５（例えば０．１秒程度）内で行われ、上大入賞口ソレノイド２１４はＯＦＦになる。具体的には、可動片２８ａが閉鎖位置から開放位置に変位し、閉鎖位置に復帰するまでの動作が短期開放時間Ｔ１５内で行われる。この程度の短時間内であれば、上大入賞口２８ｂへの入賞が不能ではないものの、入賞の発生を困難にすることができる。
【０２７０】
〔待機時間〕
初回の開閉動作が終了した後、待機時間Ｔ１６にわたり上大入賞口２８ｂが閉鎖状態となる（上大入賞口ソレノイド２１４がＯＦＦ）。待機時間Ｔ１６は、例えば特別図柄の当選図柄種別に応じて予め設定されており、停止表示された当選図柄の種類が異なれば（例えば特図当選図柄Ａ，Ｂの違い等）、そのとき設定される待機時間Ｔ１６の長さも異なってくる。これにより、２回目以降の開閉動作がどのタイミングで行われるのかを予測しにくくすることができる。
【０２７１】
〔２回目以降の開閉動作〕
待機時間Ｔ１６の経過後、上大入賞口ソレノイド２１４が再度ＯＮになり、２回目の開閉動作が行われる。このときの開放時間Ｔ１７は、上大入賞口２８ｂへの入賞を容易化させる充分な時間（例えば０．８秒程度）に設定されている。この開放時間Ｔ１７もまた、当選図柄の種類に応じて予め決定されているものとする。そして開放時間Ｔ１７が経過すると、上大入賞口ソレノイド２１４がＯＦＦになり、可動片２８ａが閉鎖位置に復帰する。これにより、２回目の開閉動作は終了したことになる。図２０の例では、２回目の開放中に上大入賞口２８ｂに遊技球の入賞が発生しなかった場合を想定している。
【０２７２】
〔次の待機時間〕
２回目の開閉動作が終了した後、次の待機時間Ｔ１８にわたり上大入賞口２８ｂが閉鎖状態となる（上大入賞口ソレノイド２１４がＯＦＦ）。この待機時間Ｔ１８もまた、当選図柄の種類に応じて予め決定されているものとする。
【０２７３】
〔３回目の開閉動作〕
待機時間Ｔ１８の経過後、上大入賞口ソレノイド２１４がまた再度ＯＮになり、３回目の開閉動作が行われる。このときの開放時間Ｔ１９もまた、上大入賞口２８ｂへの入賞を容易化させる充分な時間（例えば０．８秒程度）に設定されている。開放時間Ｔ１９も同様に、当選図柄の種類に応じて予め決定されているものとする。そして開放時間Ｔ１９が経過すると、上大入賞口ソレノイド２１４がＯＦＦになり、可動片２８ａが閉鎖位置に復帰する。これにより、３回目の開閉動作は終了したことになる。図２０の例では、３回目の開放中に上大入賞口２８ｂに遊技球の入賞が発生した場合を想定している。
【０２７４】
〔２回目以降の開閉動作のまとめ〕
このように本実施形態では、作動契機の発生を条件として、可動入球役物装置２８が複数回にわたり開閉動作を行っている。特に、初回開閉動作後の待機時間Ｔ１６、２回目の開放時間Ｔ１７、次の待機時間Ｔ１８及び３回目の開放時間Ｔ１９は、当選図柄の種類に応じて予め設定されており、そのときの当選図柄の種類に応じて長さが異なってくることになる。これにより、２回目以降の開閉動作がどのタイミングで行われ、また、どの程度の開放時間が設けられているかの予測を付きにくくし、実際に上大入賞口２８ｂへの入賞が発生するタイミングを多様に変化させることができる。
【０２７５】
〔第１ストッパソレノイド〕
図２０中（Ｅ）：また本実施形態では、可動入球役物装置２８による１回目の開閉動作が行われると、これを開始契機（時刻ｔ１３）として第１ストッパソレノイド２２０がＯＮになり、以後は不規則に時間をおいてＯＮからＯＦＦ又はＯＦＦからＯＮに変化する。このようなＯＮとＯＦＦの動作パターン（図示の波形）は、例えば停止表示された当選図柄の種別に応じて予め決定されている。なお、第１ストッパソレノイド２２０がＯＮになると第１ストッパ１９０が貯留位置（制止状態）に移動し、ＯＦＦになると解除位置（解除状態）に移動する。ただし、１回目の開閉動作での入賞は困難であるため、時刻ｔ１３で第１ストッパ１９０が貯留位置に移動しても、原則として遊技球の貯留は行われないし、この後に第１ストッパ１９０が解除位置に移動しても遊技球は放出されない（例外あり）。
【０２７６】
〔解除動作〕
第１ストッパ１９０の解除動作は、上記のように予め決定されたＯＮ／ＯＦＦの動作パターンに基づいて行われる。このとき解除動作の動作パターンは、可動入球役物装置２８による２回目以降の開閉動作の態様（時間Ｔ１７〜Ｔ１９の幅を持つＯＮ／ＯＦＦパターン）との関係が不規則となっている。つまり、２回目以降の開閉動作が行われるそれぞれのタイミングと、毎回の解除動作が行われるタイミングとの間には、特に因果関係が成立しない。
【０２７７】
〔比較例との対比〕
この点、先の比較例においては、上大入賞口の開放後、予め決められた時間Ｔ５で第１ストッパの貯留が解除されていたが、本実施形態では、実際に入賞が可能となる２回目以降の開閉動作から決まった時間で第１ストッパ１９０が解除動作を行うという規則性がない。
【０２７８】
〔第１ストッパで貯留〕
また上記のように、第１ストッパソレノイド２２０は不規則な動作パターンでＯＮ／ＯＦＦされているが、その流れの中で第１ストッパ１９０による貯留が行われる。例えば３回目の開閉動作で上大入賞口２８ｂへの入賞が発生したとすると、図中に破線の矢印で示されているように、その遊技球はルート振り分けを経て流下通路２８ｇを流下していくが、このとき動作パターン上で第１ストッパ１９０が貯留位置にあると、そこで貯留されることになる。ここでも破線矢印の傾斜は、ルート振り分け動作を経て遊技球が第１ストッパ１９０に到達するまでに平均的な時間を要したことを表している。
【０２７９】
〔時刻ｔ１４：貯留解除〕
動作パターン上で次に第１ストッパ１９０の解除動作が行われると、貯留されていた遊技球が第１回転体４４０に向けて放出されることになる。
【０２８０】
〔球放出〕
そして図中に中太破線の矢印で示されているように、第１ストッパ１９０の解除動作で放出された遊技球は、上記のように流下通路２８ｇを転動して第１回転体４４０に到達する。ここでも破線矢印の傾斜は、第１ストッパ１９０による解除動作から第１回転体４４０へ遊技球が到達するまでに平均的な転動時間を要したことを表している。
【０２８１】
〔Ｖ入賞孔接近タイミング〕
図２０中（Ｆ）：本実施形態においても、第１回転体４４０は電源投入から一定動作を行っており、このため第１回転体４４０のＶ入賞孔４４０ｂが接近してくるタイミングは、作動契機の発生（時刻ｔ１３）と無関係の一定周期（例えば１秒以下〜１秒程度）で訪れている。
【０２８２】
〔アウト振り分け〕
図２０の例では、放出された遊技球が第１回転体４４０に到達するタイミング（時刻ｔ１５）でＶ入賞孔４４０ｂが「離隔」の状態にあったため、遊技球はアウト振り分け孔４４０ａへ振り分けられる。なお便宜上、ここでは逆転ルート振分部４４０ｃへの振り分けを除外している。
【０２８３】
〔時刻ｔ１６：第１ストッパ動作終了〕
この後、例えば排出検知スイッチ２０６で遊技球の排出が検知されると、第１ストッパソレノイド２２０はＯＦＦになり、ここで動作を終了する。
【０２８４】
〔実施形態の総括〕
本実施形態において、以下の事項が明らかである。
〔１〕図中に細破線の矢印で示されているように、第１ストッパ１９０の解除動作は複数回にわたり行われ、解除動作が何回目かによって遊技球が第１回転体４４０に到達するタイミングは異なってくる。
〔２〕図２０の例では、仮に１回目の解除動作が行われる前に入賞が発生していたとすると、Ｖ入賞孔４４０ｂの接近タイミングが到達のタイミングにうまく一致するため、Ｖ入賞が発生するはずであった。しかし、実際には１回目の開閉動作で上大入賞口２８ｂへの入賞は困難であり、Ｖ入賞は発生していない。
〔３〕仮に１回目の開閉動作で上大入賞口２８ｂに入賞していても、ルート振り分けの所要時間によっては１回目の解除動作に間に合わないこともある。この場合、１回目の解除動作後、２回目に貯留位置へ移動した第１ストッパ１９０で遊技球が貯留されることになる。
〔４〕貯留された遊技球は、２回目の解除動作で放出されることになるが、ここではＶ入賞孔４４０ｂの接近タイミングが到達のタイミングと一致していない。したがって、２回目の解除動作ではＶ入賞が発生しないことになる。
〔５〕以下同様に、３回目〜５回目の解除動作で遊技球が放出されても、Ｖ入賞孔４４０ｂの接近タイミングが到達のタイミングと一致せず、いずれもＶ入賞が発生しないことになる。
〔６〕また、Ｖ入賞が発生するための第１回転体４４０の周期についても、解除動作の回数によって位相差が異なってくる。すなわち、２回目の解除動作については位相差Ｐ１０の遅れが必要であるが、３回目の解除動作については位相差Ｐ１１の遅れが必要であり、４回目の解除動作については位相差Ｐ１２の遅れが必要であり、５回目の解除動作については位相差Ｐ１３の遅れが必要であるというように、各位相差Ｐ１１〜Ｐ１３が異なっている。
〔７〕これらから考えると、本実施形態の場合、上大入賞口２８ｂの開放タイミング（１回目と２回目以降）でＶ入賞孔４４０ｂがどの位置にあればＶ入賞が発生しやすいかを一概に決めることはできない。
〔８〕したがって、上大入賞口２８ｂの開放タイミングで第１回転体４４０がどのような状態であった（Ｖ入賞孔４４０ｂが何時の位置にあったか）を注意深く観察したとしても、事前にＶ入賞するか否かの推論が成立しなくなる。
【０２８５】
これにより、遊技球の入賞のタイミングや第１ストッパ１９０で解除動作が行われるタイミングの違いにより多様なゲームフローを発生させ、事前の予測（先バレ）を困難にして最後まで緊張感や期待感を持続させることができる。
【０２８６】
また、遊技球の入賞のタイミングが同じであっても（例えば２回目の開閉動作で入賞したとする）、その後の解除動作のタイミングが当選図柄の種類で違ってくることにより、ますます遊技の結果に対して意外性を発揮させることができる。
【０２８７】
さらに、多様な動作のタイミングや動作パターンを持たせることで、意図的にＶ入賞を発生させようとする技法（いわゆる攻略打ち）の試みを抑止し、万人に公正な遊技を提供することができる。
【０２８８】
以上が本実施形態に特有な可動入球役物装置２８による開閉動作や第１ストッパ１９０による解除動作を含めたパチンコ機１による遊技の流れであるが、このような遊技の進行やそれに伴う演出は上記の主制御装置７０及び演出制御装置１２４を中心とする電子機器によって制御されている。また、図２０に示される各種動作の流れは、主制御装置７０（主制御ＣＰＵ７２）が実行する各種の制御処理を通じて実現されている。以下、主制御装置７０の主制御ＣＰＵ７２により実行される制御上の処理について、電源投入時を含めて説明する。
【０２８９】
〔リセットスタート（メイン）処理〕
パチンコ機１に電源が投入されると、主制御ＣＰＵ７２はリセットスタート処理を開始する。リセットスタート処理は、前回の電源遮断時に保存されたバックアップ情報を元に遊技状態を復旧（いわゆる復電）したり、逆にバックアップ情報をクリアしたりすることで、パチンコ機１の初期状態を整えるための処理である。またリセットスタート処理は、初期状態の調整後にパチンコ機１の安定した遊技動作を保証するためのメイン処理（メイン制御プログラム）として位置付けられる。
【０２９０】
図２１及び図２２は、リセットスタート処理の手順例を示すフローチャートである。以下、主制御ＣＰＵ７２が行う処理について、各手順を追って説明する。
【０２９１】
ステップＳ１０１：主制御ＣＰＵ７２は、先ずスタックポインタにスタック領域の先頭アドレスをセットする。
【０２９２】
ステップＳ１０２：続いて主制御ＣＰＵ７２は、ベクタ方式の割込モード（モード２）を設定し、デフォルトであるＲＳＴ方式の割込モード（モード０）を修正する。これにより、以後、主制御ＣＰＵ７２は任意のアドレス（ただし最下位ビットは０）を割込ベクタとして参照し、指定の割込ハンドラを実行することができる。
【０２９３】
ステップＳ１０３：主制御ＣＰＵ７２は、ここでリセット時待機処理を実行する。この処理は、リセットスタート（例えば電源投入）時にある程度の待機時間（例えば数千ｍｓ程度）を確保しておき、その間に主電源断検出信号のチェックを行うためのものである。具体的には、主制御ＣＰＵ７２は待機時間分のループカウンタをセットすると、ループカウンタの値をデクリメントしながら主電源断検出信号の入力ポートをビットチェックする。主電源断検出信号は、例えば周辺デバイスである電源監視ＩＣから入力される。そして、ループカウンタが０になる前に主電源断検出信号の入力を確認すると、主制御ＣＰＵ７２は先頭から処理を再開する。これにより、例えば図示しない主電源スイッチの投入と切断の操作が短時間（１〜２秒程度）内に繰り返し行われた場合のシステム保護を図ることができる。
【０２９４】
ステップＳ１０４：次に主制御ＣＰＵ７２は、ＲＡＭ７６のワーク領域に対するアクセスを許可する。具体的には、ワーク領域のＲＡＭプロテクト設定値をリセット（００Ｈ）する。これにより、以後はＲＡＭ７６のワーク領域に対するアクセスが許可された状態となる。
【０２９５】
ステップＳ１０５：また主制御ＣＰＵ７２、割り込みマスクを設定するためにマスクレジスタの初期設定を行う。具体的には、ＣＴＣ割り込みを有効にする値をマスクレジスタに格納する。
【０２９６】
ステップＳ１０６：主制御ＣＰＵ７２は、先に退避しておいたＲＡＭクリアスイッチからの入力信号を参照し、ＲＡＭクリアスイッチが操作（スイッチＯＮ）されたか否かを確認する。ＲＡＭクリアスイッチが操作されていなければ（Ｎｏ）、次にステップＳ１０７を実行する。
【０２９７】
ステップＳ１０７：次に主制御ＣＰＵ７２は、ＲＡＭ７６にバックアップ情報が保存されているか否か、つまり、バックアップ有効判定フラグがセットされているか否かを確認する。前回の電源遮断処理でバックアップが正常に終了し、バックアップ有効判定フラグ（例えば「Ａ５５ＡＨ」）がセットされていれば（Ｙｅｓ）、次に主制御ＣＰＵ７２はステップＳ１０８を実行する。
【０２９８】
ステップＳ１０８：主制御ＣＰＵ７２は、ＲＡＭ７６のバックアップ情報についてサムチェックを実行する。具体的には、主制御ＣＰＵ７２はＲＡＭ７６のワーク領域（使用禁止領域及びスタック領域を含むユーザワーク領域）のうち、バックアップ有効判定フラグ及びサムチェックバッファを除く全ての領域をサムチェックする。サムチェックの結果が正常であれば（Ｙｅｓ）、次に主制御ＣＰＵ７２はステップＳ１０９を実行する。
【０２９９】
ステップＳ１０９：主制御ＣＰＵ７２は、バックアップ有効判定フラグをリセット（例えば「００００Ｈ」）する。
ステップＳ１１０：また主制御ＣＰＵ７２は、前回の電源断発生直前に送信待ちであったコマンドをクリアする。
【０３００】
ステップＳ１１１：次に主制御ＣＰＵ７２は、演出制御復帰処理を実行する。この処理では、主制御ＣＰＵ７２は演出制御装置１２４に対し、復帰用のコマンド（例えば機種指定コマンド、特別図柄状態指定コマンド、作動記憶数増加時演出コマンド、作動記憶数減少時演出コマンド、回数切りカウンタ残数コマンド、大当り状態指定コマンド等）を送信する。これを受けて演出制御装置１２４は、前回の電源遮断時に実行中であった演出状態（例えば、内部確率状態、演出図柄の表示態様、作動記憶数の演出表示態様、音響出力内容、各種ランプの発光状態等）を復帰させることができる。
【０３０１】
ステップＳ１１２：主制御ＣＰＵ７２は、状態復帰処理を実行する。この処理では、主制御ＣＰＵ７２はバックアップ情報を元にＲＡＭ７６のワーク領域に各種の値をセットし、前回の電源遮断時に実行中であった遊技状態（例えば、特別図柄及び普通図柄それぞれの表示態様、内部確率状態、作動記憶内容、各種フラグ状態、乱数更新状態等）を復帰させる。また主制御ＣＰＵ７２は、バックアップされていたＰＣレジスタの値を復旧する。
【０３０２】
一方、電源投入時にＲＡＭクリアスイッチが操作されていた場合（ステップＳ１０６：Ｙｅｓ）や、バックアップ有効判定フラグがセットされていなかった場合（ステップＳ１０７：Ｎｏ）、あるいは、バックアップ情報が正常でなかった場合（ステップＳ１０８：Ｎｏ）、主制御ＣＰＵ７２はステップＳ１１３に移行する。
【０３０３】
ステップＳ１１３：主制御ＣＰＵ７２は、ＲＡＭ７６の使用禁止領域以外の記憶内容をクリアする。これにより、ＲＡＭ７６のワーク領域及びスタックエリアは全て初期化され、有効なバックアップ情報が保存されていても、その内容は消去される。
ステップＳ１１４：また主制御ＣＰＵ７２は、ＲＡＭ７６の初期設定を行う。
【０３０４】
ステップＳ１１５：主制御ＣＰＵ７２は、演出制御出力処理を実行する。この処理では、主制御ＣＰＵ７２が初期設定後に演出制御装置１２４に送信するべきコマンド（演出制御に必要なコマンド）を出力する。
【０３０５】
ステップＳ１１６：主制御ＣＰＵ７２は、払出制御出力処理を実行する。この処理では、主制御ＣＰＵ７２は払出制御装置９２に対して、賞球の払い出しを開始するための指示コマンドを出力する。
【０３０６】
ステップＳ１１７：主制御ＣＰＵ７２は、ＣＴＣ初期設定処理を実行し、周辺デバイスであるＣＴＣ（カウンタ／タイマ回路）の初期設定を行う。この処理では、主制御ＣＰＵ７２は割込ベクタレジスタを設定し、また、ＣＴＣに割り込みカウント値（例えば２ｍｓ）を設定する。これにより、次にＣＴＣ割り込みが発生すると、主制御ＣＰＵ７２はバックアップされていたＰＣレジスタのプログラムアドレスから処理を続行することができる。
【０３０７】
リセットスタート処理において以上の手順を実行すると、主制御ＣＰＵ７２は図２２に示されるメインループに移行する（接続記号Ａ→Ａ）。
【０３０８】
ステップＳ１１８，ステップＳ１１９：主制御ＣＰＵ７２は割込を禁止した上で、電源断発生チェック処理を実行する。この処理では、主制御ＣＰＵ７２は主電源断検出信号の入力ポートをビットチェックし、電源遮断の発生（駆動電圧の低下）を監視する。電源遮断が発生すると、主制御ＣＰＵ７２は普通電動役物ソレノイド２１２や上大入賞口ソレノイド２１４、下大入賞口ソレノイド２１６、第１ストッパソレノイド２２０、第２ストッパソレノイド２２２等に対応する出力ポートバッファをクリアすると、ＲＡＭ７６のワーク領域のうちバックアップ有効判定フラグ及びサムチェックバッファを除く全体の内容をバックアップし、サムチェックバッファにサム結果値を保存する。そして主制御ＣＰＵ７２はバックアップ有効判定フラグ領域に上記の有効値（例えば「Ａ５５ＡＨ」）を格納し、ＲＡＭ７６のアクセスを禁止して処理を停止（ＮＯＰ）する。一方、電源遮断が発生しなければ、主制御ＣＰＵ７２は次にステップＳ１２０を実行する。なお、このような電源断発生時の処理をマスク不能割込（ＮＭＩ）処理としてＣＰＵに実行させている公知のプログラミング例もある。
【０３０９】
ステップＳ１２０：主制御ＣＰＵ７２は、初期値更新乱数更新処理を実行する。この処理では、主制御ＣＰＵ７２は、各種のソフトウェア乱数の初期値を更新（変更）するための乱数をインクリメントする。本実施形態では、大当り決定乱数（ハードウェア乱数）を除く各種の乱数（例えば、普通図柄に対応する当り決定乱数、大当り図柄乱数、リーチ判定乱数、変動パターン決定乱数等）をプログラム上で発生させている。これらソフトウェア乱数は、別の割込処理（図２４中のステップＳ２０２）で所定範囲内のループカウンタにより更新されているが、この処理において乱数値が１巡するごとにループカウンタの初期値（全ての乱数が対象でなくてもよい）を変更している。初期値更新用乱数は、この初期値をランダムに変更するために用いられており、ステップＳ１２０では、その初期値更新用乱数の更新を行っている。なお、ステップＳ１１８で割込を禁止した後にステップＳ１２０を実行しているのは、別の割込管理処理（図２４中のステップＳ２０３）でも同様の処理を実行するため、これとの重複（競合）を防止するためである。なお上記のように、本実施形態において大当り決定乱数は乱数発生器７５により発生されるハードウェア乱数であり、その更新周期はタイマ割込周期（例えば数ｍｓ）よりもさらに高速（例えば数μｓ）であるため、大当り決定乱数の初期値を更新する必要はない。
【０３１０】
ステップＳ１２１，ステップＳ１２２：主制御ＣＰＵ７２は割込を許可し、その他乱数更新処理を実行する。この処理で更新される乱数は、ソフトウェア乱数のうち当選種類（当り種別）の判定に関わらない乱数（例えば普通図柄の変動に対応したリーチ判定乱数、変動パターン決定乱数等）である。この処理は、メインループの実行中にタイマ割込が発生し、主制御ＣＰＵ７２が別の割込管理処理（図２４）を実行した場合の残り時間で行われる。なお割込管理処理の内容については後述する。
【０３１１】
〔電源断発生チェック処理〕
図２３は、上記の電源断発生チェック処理の手順例を具体的に示すフローチャートである。
ステップＳ１３０：ここでは先ず、主制御ＣＰＵ７２は、電源断発生チェックのための条件を設定する。このチェック条件は、例えば主電源断検出信号が継続して出力されていることを確認するためのオンカウンタ値として設定することができる。
【０３１２】
ステップＳ１３２：次に主制御ＣＰＵ７２は、主電源断検出スイッチ入力用ポートをリードし、主電源断検出信号が出力されているか否かを確認（特定のビットをチェック）する。特に図示していないが、主電源断検出スイッチは例えば主制御装置７０に実装されており、この主電源断検出スイッチは、電源制御ユニット１６２から供給される駆動電圧を監視し、その電圧レベルが基準電圧を下回った場合に主電源断検出信号を出力する。なお、主電源断検出スイッチは電源制御ユニット１６２に内蔵されていてもよい。主制御ＣＰＵ７２は、現時点で主電源断検出信号が出力されていないことを確認すると（Ｎｏ）、この処理を抜けてリセットスタート処理に復帰する。一方、主電源断検出信号が出力されていることを確認した場合（Ｙｅｓ）、主制御ＣＰＵ７２は次のステップＳ１３４に進む。
【０３１３】
ステップＳ１３４：主制御ＣＰＵ７２は、上記のチェック条件を満たすか否かを確認する。具体的には、先のステップＳ１３０で設定したオンカウンタ値を例えば１減算し、その結果が０になったか否かを確認する。現時点で未だオンカウンタ値が０でなければ（Ｎｏ）、主制御ＣＰＵ７２はステップＳ１３２に戻って主電源断検出スイッチ入力用ポートを改めて確認する。そして、ステップＳ１３４からステップＳ１３２へのループを繰り返してチェック条件が満たされると（ステップＳ１３４：Ｙｅｓ）、主制御ＣＰＵ７２は次にステップＳ１３６に進む。
【０３１４】
ステップＳ１３６：主制御ＣＰＵ７２は、上記のように普通電動役物ソレノイド２１２や上大入賞口ソレノイド２１４、下大入賞口ソレノイド２１６、第１ストッパソレノイド２２０、第２ストッパソレノイド２２２に対応する出力ポートに加え、試験信号端子やコマンド制御信号に対応する出力ポートバッファをクリアする。
【０３１５】
ステップＳ１３８，ステップＳ１４０：次に主制御ＣＰＵ７２は、ＲＡＭ７６のワーク領域のうち、バックアップ有効判定フラグ及びサムチェックバッファを除く全体の内容を１バイト単位で加算し、全領域について加算を完了するまで繰り返す。
ステップＳ１４２：全領域についてサムの算出が完了すると（ステップＳ１４０：Ｙｅｓ）、主制御ＣＰＵ７２はサムチェックバッファにサム結果値を保存する。
【０３１６】
ステップＳ１４４：次に主制御ＣＰＵ７２は、上記のようにバックアップ有効判定フラグ領域に有効値を格納する。
ステップＳ１４６：また主制御ＣＰＵ７２は、ＲＡＭ７６のプロテクト値にアクセス禁止を表す「０１Ｈ」を格納し、ＲＡＭ７６のワーク領域（使用禁止領域及びスタック領域を含む）に対するアクセスを禁止する。
ステップＳ１４８：そして主制御ＣＰＵ７２は待機ループに入り、主電源断の遮断に備えて他の処理を全て停止する。主電源断の発生後は、図示しないバックアップ電源回路（例えば主制御装置７０に実装された容量素子を含む回路）からバックアップ用電力が供給されるため、ＲＡＭ７６の記憶内容は主電源断後も消失することなく保持される。なおバックアップ用電源回路は、例えば電源制御ユニット１６２に内蔵されていてもよい。
【０３１７】
以上の処理を通じて、バックアップ対象（サム加算対象）となるＲＡＭ７６のワーク領域に記憶されていた情報は、全て主電源断の後もＲＡＭ７６に記憶として保持されることになる。また保持されていた記憶は、先のリセットスタート処理（図２１）でチェックサムの正常を確認した上で、電源断時のバックアップ情報として復元される。
【０３１８】
〔割込管理処理（タイマ割込処理）〕
次に、割込管理処理（タイマ割込処理）について説明する。図２４は、割込管理処理の手順例を示すフローチャートである。主制御ＣＰＵ７２は、カウンタ／タイマ回路からの割込要求信号に基づき、所定時間（例えば数ｍｓ）ごとに割込管理処理を実行する。以下、各手順を追って説明する。
【０３１９】
ステップＳ２００：先ず主制御ＣＰＵ７２は、メインループの実行中に使用していたレジスタ（アキュムレータＡとフラグレジスタＦ、汎用レジスタＢ〜Ｌの各ペア）の値をＲＡＭ７６の退避領域に退避させる。値を退避させた後のレジスタ（Ａ〜Ｌ）には、割込管理処理の中で別の値を書き込むことができる。
【０３２０】
ステップＳ２０１：次に主制御ＣＰＵ７２は、ポート出力要求バッファ初期設定処理を実行する。この処理では、主制御ＣＰＵ７２は例えばポート０〜１３までの各ポート出力要求バッファに対応するＲＡＭを０クリア（値＝００Ｈを格納）する。
【０３２１】
ステップＳ２０２：次に主制御ＣＰＵ７２は、抽選乱数更新処理を実行する。この処理では、主制御ＣＰＵ７２は抽選用の各種乱数を発生させるためのカウンタの値を更新する。各カウンタの値は、ＲＡＭ７６のカウンタ領域にてインクリメントされ、それぞれ規定の範囲内でループする。各種乱数には、例えば特別図柄当り図柄乱数、普通図柄当り決定乱数、普通図柄当り図柄乱数等が含まれる。このうち特別図柄当り図柄乱数及び普通図柄当り図柄乱数は、例えば０〜９９の範囲で順番に更新される。
【０３２２】
ステップＳ２０３：主制御ＣＰＵ７２は、ここでも初期値更新乱数更新処理を実行する。処理の内容は、先に述べたものと同じである。
【０３２３】
ステップＳ２０４：主制御ＣＰＵ７２は、入力処理を実行する。この処理では、主制御ＣＰＵ７２は入出力ドライバ（Ｉ／Ｏ）７９から各種スイッチ信号を入力する。具体的には、始動ゲートスイッチ８０からの通過検出信号や、特図始動入賞口スイッチ７８、カウントスイッチ２０８、入賞口スイッチ２１０からの入賞検出信号の入力状態（ＯＮ／ＯＦＦ）をリードする。また主制御ＣＰＵ７２は、上大入賞口スイッチ２００、特定領域スイッチ８２からの検出信号の入力状態をリードする。その他にも主制御ＣＰＵ７２は、ここで上大入賞口スイッチ２００や特定領域スイッチ８２、排出検知スイッチ２０６等からの検出信号の入力状態をリードする。
【０３２４】
ステップＳ２０６：次に主制御ＣＰＵ７２は、スイッチ入力イベント処理を実行する。この処理では、先の入力処理で入力したスイッチ信号のうち、始動ゲートスイッチ８０、特図始動入賞口スイッチ７８からの入賞検出信号に基づいて遊技中に発生した事象の判定を行い、それぞれ発生した事象に応じて、さらに別の処理を実行する。
【０３２５】
本実施形態では、特図始動入賞口スイッチ７８から入賞検出信号（ＯＮ）が入力されると、主制御ＣＰＵ７２は特別図柄に対応した内部抽選の契機となる事象が発生したと判定する。また始動ゲートスイッチ８０から通過検出信号（ＯＮ）が入力されると、主制御ＣＰＵ７２は普通図柄に対応した作動抽選の契機となる事象が発生したと判定する。いずれかの事象が発生したと判定すると、主制御ＣＰＵ７２は、それぞれの発生事象に応じた処理を実行する。なお、スイッチ入力イベント処理の具体的な内容については、さらに別のフローチャートを用いて後述する。
【０３２６】
ステップＳ２０７：次に主制御ＣＰＵ７２は、遊技盤エラー状態が発生しているか否かを確認する。この確認は、例えば遊技盤エラー状態フラグの値を参照することで行われる。なお、遊技盤エラー状態フラグは、先のスイッチ入力イベント処理の中で設定される。遊技盤エラー状態フラグに値（０１Ｈ）がセットされている場合（Ｙｅｓ）、主制御ＣＰＵ７２はステップＳ２１０から以降の処理を行う。一方、遊技盤エラー状態フラグに値（０１Ｈ）がセットされていなければ（Ｎｏ）、主制御ＣＰＵ７２は次のステップＳ２０８に進む。
【０３２７】
ステップＳ２０８：主制御ＣＰＵ７２は、特別遊技管理処理を実行する。この処理では、主制御ＣＰＵ７２は先に述べた特別図柄表示装置３４による変動表示や停止表示を制御したり、その表示結果に応じて可変入賞装置３０の作動を制御したりする。なお、特別遊技管理処理の詳細については、さらに別のフローチャートを用いて後述する。
【０３２８】
ステップＳ２０９：また主制御ＣＰＵ７２は、普通遊技管理処理を実行する。この処理では、主制御ＣＰＵ７２は先に述べた普通図柄表示装置３３による変動表示や停止表示を制御したり、その表示結果に応じて可変始動入賞装置２６の作動を制御したりする。普通遊技管理処理の詳細についても、さらに別のフローチャートを用いて後述する。
【０３２９】
ステップＳ２１０：次に主制御ＣＰＵ７２は、モータ管理処理を実行する。この処理では、主制御ＣＰＵ７２は各種モータ（ルート振分体モータ２１８、第３ストッパモータ２２４、第１回転体モータ２２６、第２回転体モータ２２８等）の回転に関する原点位置を検出し、また、各種モータに対して駆動信号を出力する場合、その駆動信号を対応するポート出力要求バッファに格納する。主制御ＣＰＵ７２は、このモータ管理処理の中で上述した排出処理の一部（第３ストッパ１９４での排出処理）を実行する。モータ管理処理の詳細については、さらに別のフローチャートを用いて後述する。
【０３３０】
ステップＳ２１１：次に主制御ＣＰＵ７２は、賞球払出管理処理を実行する。この処理では、主制御ＣＰＵ７２は各種スイッチ８０，２００，２０８，２１０から入力された入賞検出信号に基づき、払出制御装置９２に対して賞球個数を指示する賞球指示コマンドを出力する。
【０３３１】
ステップＳ２１２：次に主制御ＣＰＵ７２は、セキュリティ管理処理を実行する。この処理では、主制御ＣＰＵ７２は図示しない不正検知スイッチ（例えば磁気センサ、加速度センサ等）からの入力信号の有無を確認し、入力信号があった場合はその報知動作（例えば枠ランプの点灯、警報音の出力）を指示する。
【０３３２】
ステップＳ２１３：次に主制御ＣＰＵ７２は、外部情報処理を実行する。この処理では、主制御ＣＰＵ７２は外部端子板１６０を通じて遊技場のホールコンピュータに出力する外部情報をポート出力要求バッファに格納する。なお主制御ＣＰＵ７２の外部情報信号は、上記のように払出制御装置９２を経由して外部端子板１６０から出力される。
【０３３３】
ステップＳ２１４：また主制御ＣＰＵ７２は、試験信号処理を実行する。この処理では、主制御ＣＰＵ７２が自己の内部状態（例えば、大当り中、時間短縮機能作動中、遊技盤エラー状態発生中）を表す各種の試験信号を生成し、これらをポート出力要求バッファに格納する。この試験信号により、例えば主制御装置７０の外部で主制御ＣＰＵ７２の内部状態を試験することができる。
【０３３４】
ステップＳ２１５：次に主制御ＣＰＵ７２は、出力管理処理を実行する。この処理では、主制御ＣＰＵ７２は先の外部情報処理（ステップＳ２１３）及び試験信号処理（ステップＳ２１４）でそれぞれポート出力要求バッファに格納された外部情報信号及び試験信号（バイトデータ）をポート出力する。また主制御ＣＰＵ７２は、ポート出力要求バッファに格納されている各種ソレノイド（普通電動役物ソレノイド２１２、上大入賞口ソレノイド２１４、下大入賞口ソレノイド２１６、第１ストッパソレノイド２２０、第２ストッパソレノイド２２２）の励磁状態（ＯＮ又はＯＦＦ）をポート出力する。さらに主制御ＣＰＵ７２は、各種モータ（ルート振分体モータ２１８、第１回転体モータ２２６、第２回転体モータ２２８、第３ストッパモータ２２４）に対する駆動信号をポート出力する。
【０３３５】
ステップＳ２１６：次に主制御ＣＰＵ７２は、表示出力管理処理を実行する。この処理では、主制御ＣＰＵ７２は普通図柄表示装置３３、普通図柄作動記憶ランプ３３ａ、特別図柄表示装置３４、特別図柄作動記憶ランプ３４ａ、各種状態表示ランプ３６，３７，３８等の点灯状態を制御する。具体的には、各ＬＥＤに対して印加する駆動信号（バイトデータ）をポート出力する。なお駆動信号は、先の特別遊技管理処理（ステップＳ２０８）や普通遊技管理処理（ステップＳ２０９）において各ＬＥＤに対して印加するバイトデータとしてポート出力要求バッファに格納されている。これにより、各ＬＥＤが所定の表示態様（図柄の変動表示や停止表示、作動記憶数表示、遊技状態表示等を行う態様）で駆動されることになる。
【０３３６】
ステップＳ２１７：主制御ＣＰＵ７２は、演出制御出力処理を実行する。この処理では、コマンドバッファ内に主制御ＣＰＵ７２が演出制御装置１２４に送信するべきコマンド（演出制御に必要なコマンド）があるか否かを確認し、未送信コマンドがある場合は出力対象のコマンドをポート出力する。
【０３３７】
ステップＳ２１８，ステップＳ２１９：そして主制御ＣＰＵ７２は、退避しておいたレジスタ（Ａ〜Ｌ）の値を復帰し、割込を許可する。この後、主制御ＣＰＵ７２は、メインループ（スタックポインタで指示されるプログラムアドレス）に復帰する。
【０３３８】
〔スイッチ入力イベント処理〕
図２５は、スイッチ入力イベント処理（図２４中のステップＳ２０６）の手順例を示すフローチャートである。以下、各手順を追って説明する。
【０３３９】
ステップＳ３０：先ず主制御ＣＰＵ７２は、遊技盤エラー状態が発生しているか否かを確認する。この確認は、上記のように遊技盤エラー状態フラグの値を参照することで行われる。このとき遊技盤エラー状態が発生していれば（Ｙｅｓ）、主制御ＣＰＵ７２はこの処理を抜けて割込管理処理（図２４）に復帰する。これに対し、特に遊技盤エラー状態が発生していなければ（Ｎｏ）、主制御ＣＰＵ７２は次のステップＳ３２に進む。
【０３４０】
ステップＳ３２：次に主制御ＣＰＵ７２は、現在の特別遊技管理ステータスの値を確認する。「特別遊技管理ステータス」は、特別図柄に対応する遊技の進行状況を管理（監視）するためのステータス値である。「特別遊技管理ステータス」の値は、主制御ＣＰＵ７２が特別遊技管理処理を実行する中で、実際の遊技の進行状況に応じて設定される。「特別遊技管理ステータス」は、特別図柄に対応する遊技の進行状況に応じて例えば「００Ｈ」〜「０ＢＨ」まで遷移する。特別遊技管理ステータスの値がいずれに設定されるかは、その時点で特別図柄に対応する遊技がどこまで進行しているかによって異なる。例えば、現在の進行状況が可動入球役物装置２８の作動中（初回及び２回目以降の開閉動作中）である場合、「特別遊技管理ステータス」の値は「４（０４Ｈ）」に設定されている。あるいは、現在の進行状況が可動入球役物装置２８を開放した後の閉鎖中（初回及び２回目以降の開閉動作終了後の閉鎖中）である場合、「特別遊技管理ステータス」の値は「５（０５Ｈ）」に設定されている。いずれにしても、ここでは「特別遊技管理ステータス」の値が「４（０４Ｈ）」又は「５（０５Ｈ）」のいずれかに設定されている場合（Ｙｅｓ）、主制御ＣＰＵ７２はステップＳ３６〜ステップＳ３９の処理を実行する。一方、「特別遊技管理ステータス」の値が「４（０４Ｈ）」又は「５（０５Ｈ）」のいずれにも設定されていない場合（Ｎｏ）、主制御ＣＰＵ７２はステップＳ３４に進む。なお、「特別遊技管理ステータス」の設定についてはさらに後述する。
【０３４１】
ステップＳ３４：この場合、主制御ＣＰＵ７２は、セキュリティエラーが発生しているか否かを確認する。例えば、図示しない磁気センサによる磁気の検出（磁石等を用いた不正行為）や振動センサによる振動の検出（台に衝撃を加える不正行為）、各種スイッチについて断線の検出、あるいは、入賞を発生させる装置（可変始動入賞装置２６、可動入球役物装置２８、可変入賞装置３０）の非作動時における不正な入賞の検出のいずれかのエラーが検出された場合、セキュリティエラー発生と判断し（Ｙｅｓ）、主制御ＣＰＵ７２はステップＳ３５に進む。
ステップＳ３５：この場合、主制御ＣＰＵ７２は遊技盤エラー状態フラグ（＝０１Ｈ）をセットし、上記の割込管理処理（図２４）に復帰する。
【０３４２】
これに対し、特にセキュリティエラーが発生していなければ（ステップＳ３４：Ｎｏ）、主制御ＣＰＵ７２は以下のステップＳ３６〜ステップＳ３９を実行する。
【０３４３】
ステップＳ３６：この場合、先ず主制御ＣＰＵ７２は特別図柄作動チェック処理を実行する。この処理では、主制御ＣＰＵ７２は特図始動入賞口スイッチ７８からの入力をチェックし、その結果に応じてそれぞれの処理を実行する。なお、特別図柄作動チェック処理の具体的な内容については、別のフローチャートを用いてさらに後述する。
【０３４４】
ステップＳ３７：また主制御ＣＰＵ７２は、普通図柄作動チェック処理を実行する。この処理では、主制御ＣＰＵ７２は始動ゲートスイッチ８０からの入力をチェックし、その結果に応じてそれぞれの処理を実行する。なお、普通図柄作動チェック処理の具体的な内容についても別のフローチャートを用いてさらに後述する。
【０３４５】
ステップＳ３８：次に主制御ＣＰＵ７２は、演出コマンド出力設定処理を実行する。この処理では、主制御ＣＰＵ７２は上記の特別図柄作動チェック処理（ステップＳ３６）及び普通図柄作動チェック処理（ステップＳ３７）での各チェック結果に基づき、始動入賞口２６ａへの入賞又は始動ゲート２０の通過にそれぞれ対応した演出コマンドを生成し、それらをポート出力要求バッファに格納する。
【０３４６】
ステップＳ３９：そして主制御ＣＰＵ７２は、各種入賞チェック処理を実行する。この処理では、主制御ＣＰＵ７２は各種入賞口に対応するスイッチ（入賞口スイッチ２１０）からの入力をチェックし、その結果に基づいて賞球制御用のカウンタを加算したり、外部情報出力用のカウンタを加算したりする。
以上の手順を終えると、主制御ＣＰＵ７２は割込管理処理（図２４）に復帰する。
【０３４７】
〔特別図柄作動チェック処理〕
次に、上記のスイッチ入力イベント処理の中で実行される特別図柄作動チェック処理（図２５中のステップＳ３６）について説明する。図２６は、特別図柄作動チェック処理の手順例を示すフローチャートである。以下、この処理を手順例に沿って説明する。
【０３４８】
ステップＳ１０：主制御ＣＰＵ７２は、特図始動入賞口スイッチ７８から入賞検出信号が入力されたか否かを確認する。この入賞検出信号の入力が確認された場合（Ｙｅｓ）、主制御ＣＰＵ７２は次のステップＳ１２を実行する。
【０３４９】
ステップＳ１２：主制御ＣＰＵ７２は、特別図柄作動記憶数カウンタの値を参照し、作動記憶数が４未満であるか否かを確認する。作動記憶数カウンタは、ＲＡＭ７６の特別図柄乱数記憶領域に記憶されている特別図柄当り決定乱数及び当り図柄乱数の個数（組数）を表すものである。すなわち、ＲＡＭ７６の特別図柄乱数記憶領域もまた４つのセクション（例えば各２バイト）に分けられており、各セクションには当り決定乱数及び当り図柄乱数を１個ずつセット（組）で記憶可能である。このとき、当り決定乱数及び当り図柄乱数のセットの記憶数が４個に達していなければ、特別図柄作動記憶数カウンタの値は４未満であり（Ｙｅｓ）、この場合、主制御ＣＰＵ７２は次のステップＳ１４に進む。
【０３５０】
ステップＳ１４：主制御ＣＰＵ７２は、特別図柄作動記憶数を１つ加算する。特別図柄作動記憶数カウンタは、例えばＲＡＭ７６の計数領域に記憶されており、主制御ＣＰＵ７２はその値をインクリメント（＋１）する。ここで加算されたカウンタの値に基づき、表示出力管理処理（図２４中のステップＳ２１６）で特別図柄作動記憶ランプ３４ａの点灯状態が制御されることになる。
【０３５１】
ステップＳ１６：そして主制御ＣＰＵ７２は、サンプリング回路７７を通じて乱数発生器７５から当り決定乱数値を取得する（抽選要素取得手段）。乱数値の取得は、乱数発生器７５のピンアドレスを指定して行う。主制御ＣＰＵ７２が８ビット処理の場合、アドレスの指定は上位及び下位で１バイトずつ２回に分けて行われる。主制御ＣＰＵ７２は、指定したアドレスから当り決定乱数値をリードすると、これを当り決定乱数として転送先のアドレスにセーブする。
【０３５２】
なお本実施形態では、上述したように特別図柄抽選の当り確率（小当り確率）は１（＝１／１）に設定されているため、入賞の発生がそのまま当選に該当する。したがって、特にこの処理において当り判定乱数を取得する必要がない場合、ステップＳ１６を省略してもよい。
【０３５３】
ステップＳ１７：次に主制御ＣＰＵ７２は、ＲＡＭ７６のカウンタ領域から当り図柄乱数値を取得する（抽選要素取得手段）。この場合の乱数値の取得もまた、ＲＡＭ７６のアドレスを指定して行う。主制御ＣＰＵ７２は、指定したアドレスから当り図柄乱数値をリードすると、これを転送元のアドレスに当り図柄乱数としてセーブする。
【０３５４】
ステップＳ１８：主制御ＣＰＵ７２は、セーブした当り決定乱数及び当り図柄乱数をともに乱数記憶領域に転送し、これら乱数を領域内の空きセクションにセットで記憶させる（抽選要素記憶手段）。複数のセクションには順番（例えば第１〜第４）が設定されており、現段階で第１〜第４の全てのセクションが空きであれば、第１セクションから順に各乱数が記憶される。あるいは、第１セクションが既に埋まっており、その他の第２〜第４セクションが空きであれば、第２セクションから順に各乱数が記憶されていく。
【０３５５】
ステップＳ２０：主制御ＣＰＵ７２は、特別図柄始動口入賞フラグをセットする。なお、主制御ＣＰＵ７２はスイッチ入力イベント処理に復帰すると、ここでセットしたフラグの値を上記の演出コマンド出力設定処理（図２５中のステップＳ３８）で参照し、演出制御装置１２４に対して出力する始動口入賞音制御コマンドを設定する。また各種入賞チェック処理（図２５中のステップＳ３９）では、ここでセットしたフラグの値を参照して賞球制御用のカウンタを加算する。
【０３５６】
以上の手順を終えるか、もしくは特図始動入賞口スイッチ７８から入賞検出信号の入力がなかった場合（ステップＳ１０：Ｎｏ）、あるいは特別図柄作動記憶数が４に達していた場合（ステップＳ１２：Ｎｏ）、主制御ＣＰＵ７２はスイッチ入力イベント処理に復帰する。したがって、既に特別図柄作動記憶数が４（上限数）に達していた場合、ステップＳ１６，Ｓ１７での各種乱数値の取得は制限される（抽選要素取得制限手段）。
【０３５７】
〔普通図柄作動チェック処理〕
次に、上記のスイッチ入力イベント処理（図２５）中で実行される普通図柄作動チェック処理（図２５中のステップＳ３７）について説明する。図２７は、普通図柄作動チェック処理の手順例を示すフローチャートである。以下、各手順を追って説明する。
【０３５８】
ステップＳ０１：主制御ＣＰＵ７２は、始動ゲートスイッチ８０から検出信号が入力されたか否かを確認する。この検出信号の入力が確認された場合（Ｙｅｓ）、主制御ＣＰＵ７２は次のステップＳ０２を実行する。
【０３５９】
ステップＳ０２：主制御ＣＰＵ７２は、普通図柄作動記憶数カウンタの値を参照し、作動記憶数が４未満であるか否かを確認する。作動記憶数カウンタは、ＲＡＭ７６の普通図柄乱数記憶領域に記憶されている普通図柄当り決定乱数及び当り図柄乱数の個数（組数）を表すものである。すなわち、ＲＡＭ７６の普通図柄乱数記憶領域は４つのセクション（例えば各２バイト）に分けられており、各セクションには当り決定乱数及び当り図柄乱数を１個ずつセット（組）で記憶可能である。このとき、当り決定乱数及び当り図柄乱数のセットの記憶数が４個に達していなければ、普通図柄作動記憶数カウンタの値は４未満であり（Ｙｅｓ）、この場合、主制御ＣＰＵ７２は次のステップＳ０４に進む。
【０３６０】
ステップＳ０４：主制御ＣＰＵ７２は、普通図柄作動記憶数を１つ加算する。普通図柄作動記憶数カウンタは、例えばＲＡＭ７６の計数領域に記憶されており、主制御ＣＰＵ７２はその値をインクリメント（＋１）する。ここで加算されたカウンタの値に基づき、表示出力管理処理（図２４中のステップＳ２１６）で普通図柄作動記憶ランプ３３ａの点灯状態が制御されることになる。
【０３６１】
ステップＳ０６：そして主制御ＣＰＵ７２は、サンプリング回路７７を通じて乱数発生器７５から普通図柄当り決定乱数値を取得する。乱数値の取得は、乱数発生器７５のピンアドレスを指定して行う。主制御ＣＰＵ７２が８ビット処理の場合、アドレスの指定は上位及び下位で１バイトずつ２回に分けて行われる。主制御ＣＰＵ７２は、指定したアドレスから当り決定乱数値をリードすると、これを当り決定乱数として転送先のアドレスにセーブする。
【０３６２】
ステップＳ０７：次に主制御ＣＰＵ７２は、ＲＡＭ７６のカウンタ領域から普通図柄当り図柄乱数値を取得する。この場合の乱数値の取得は、ＲＡＭ７６のアドレスを指定して行う。主制御ＣＰＵ７２は、指定したアドレスから当り図柄乱数値をリードすると、これを転送元のアドレスに普通図柄当り図柄乱数としてセーブする。
【０３６３】
ステップＳ０８：主制御ＣＰＵ７２は、セーブした当り決定乱数及び当り図柄乱数をともに普通図柄乱数記憶領域に転送し、これら乱数を領域内の空きセクションにセットで記憶させる。複数のセクションには順番（例えば第１〜第４）が設定されており、現段階で第１〜第４の全てのセクションが空きであれば、第１セクションから順に各乱数が記憶される。あるいは、第１セクションが既に埋まっており、その他の第２〜第４セクションが空きであれば、第２セクションから順に各乱数が記憶されていく。
【０３６４】
ステップＳ０９：主制御ＣＰＵ７２は、普通図柄通過始動フラグをセットする。なお、主制御ＣＰＵ７２はスイッチ入力イベント処理に復帰すると、ここでセットしたフラグの値を上記の演出コマンド出力設定処理（図２５中のステップＳ３８）で参照し、演出制御装置１２４に対して出力する普通図柄通過始動音制御コマンドを設定する。
【０３６５】
以上の手順を終えるか、もしくは始動ゲートスイッチ８０から検出信号の入力がなかった場合（ステップＳ０１：Ｎｏ）、あるいは普通図柄作動記憶数が４に達していた場合（ステップＳ０２：Ｎｏ）、主制御ＣＰＵ７２はスイッチ入力イベント処理に復帰する。
【０３６６】
〔普通遊技管理処理〕
次に、普通遊技管理処理の詳細について説明する。図２８は、普通遊技管理処理の構成例を示すフローチャートである。普通遊技管理処理は、普通遊技制御モジュール選択処理（ステップＳ１００１）、普通図柄変動開始待ち処理（ステップＳ２００１）、普通図柄変動中処理（ステップＳ３００１）、普通図柄停止表示中処理（ステップＳ４００１）、可変始動入賞装置管理処理（ステップＳ５００１）のサブルーチン群を含む構成である。ここでは先ず、各処理に沿って普通遊技管理処理の基本的な流れを説明する。
【０３６７】
ステップＳ１００１：普通遊技制御モジュール選択処理において、主制御ＣＰＵ７２は次に実行するべき処理（ステップＳ２００１〜ステップＳ５００１のいずれかの制御モジュール）のジャンプ先を選択する。例えば、主制御ＣＰＵ７２は次に実行するべき処理のプログラムアドレスをジャンプ先のアドレスとし、また戻り先のアドレスとして普通遊技管理処理の末尾を「ジャンプテーブル」にセットする。いずれの処理を次のジャンプ先として選択するかは、これまでに行われた処理の進行状況によって異なる。例えば、未だ普通図柄が変動表示を開始していない状況であれば、主制御ＣＰＵ７２は次のジャンプ先として普通図柄変動開始待ち処理（ステップＳ２００１）を選択する。一方、既に普通図柄変動開始待ち処理が完了していれば、主制御ＣＰＵ７２は次のジャンプ先として普通図柄変動中処理（ステップＳ３００１）を選択し、普通図柄変動中処理まで完了していれば、次のジャンプ先として普通図柄停止表示中処理（ステップＳ４００１）を選択するといった具合である。なお、本実施形態ではジャンプ先のアドレスを「ジャンプテーブル」で指定して処理を選択しているが、このような選択手法とは別に、「プロセスフラグ」や「処理選択フラグ」等を用いてＣＰＵが次に実行するべき処理を選択している公知のプログラミング例もある。このようなプログラミング例では、ＣＰＵが一通り各処理をＣＡＬＬし、その先頭ステップで一々フラグを参照して条件分岐（継続／リターン）することになるが、本実施形態の選択手法では、主制御ＣＰＵ７２が各処理を一々呼び出す手間は不要である。
【０３６８】
ステップＳ２００１：普通図柄変動開始待ち処理では、主制御ＣＰＵ７２は普通図柄の変動表示を開始するための条件を整える作業を行う。なお、具体的な処理の内容は、別のフローチャートを用いて後述する。
【０３６９】
ステップＳ３００１：普通図柄変動中処理では、主制御ＣＰＵ７２は変動タイマをカウントしつつ、普通図柄表示装置３３の駆動制御を行う。具体的には、２つあるＬＥＤに対してＯＮ又はＯＦＦの駆動信号を出力する。駆動信号は２つのＬＥＤについて対称に出力され、そのパターンが時間の経過に伴って変化するため、それによって普通図柄の変動表示（２つのＬＥＤが交互に点灯表示）が行われる。
【０３７０】
ステップＳ４００１：普通図柄停止表示中処理では、主制御ＣＰＵ７２は普通図柄表示装置３３の駆動制御を行う。ここでも同様に、２つあるＬＥＤに対してＯＮ又はＯＦＦの駆動信号を出力するが、駆動信号のパターンは一定であり、これにより普通図柄の停止表示が行われる。なお、このとき普通図柄に対応する抽選結果が当選であれば、当選図柄を表す方のＬＥＤについて駆動信号がＯＮになり、抽選結果が非当選であれば、非当選図柄を表す方のＬＥＤについて駆動信号がＯＮになる。
【０３７１】
ステップＳ５００１：可変始動入賞装置管理処理は、先の普通図柄停止表示中処理において当りの態様（「当選Ａ」又は「当選Ｂ」）で普通図柄が停止表示された場合に選択される。普通図柄が当りの表示態様で停止すると、この処理において主制御ＣＰＵ７２は、可変始動入賞装置２６を予め設定された作動条件に基づいて作動させる。
【０３７２】
可変始動入賞装置２６の作動中は、先の普通遊技制御モジュール選択処理（ステップＳ１００１）においてジャンプ先が可変始動入賞装置管理処理にセットされ、普通図柄の変動表示は行われない。また可変始動入賞装置管理処理においては、普通電動役物ソレノイド２１２が一定時間、規定回数（例えば１回）だけ励磁され、これにより可変始動入賞装置２６が決まったパターンで開放動作する（普通電動役物の作動）。この間に可変始動入賞装置２６に対して遊技球を入賞させることで、上述したゲームフロー上で可動入球役物装置２８の作動契機を発生させることができる。
【０３７３】
〔普通図柄変動開始待ち処理〕
次に図２９は、普通図柄変動開始待ち処理の手順例を示すフローチャートである。以下、各手順に沿って説明する。
【０３７４】
ステップＳ２１００：先ず主制御ＣＰＵ７２は、普通図柄作動記憶数が残存しているか（０より大であるか）否かを確認する。この確認は、ＲＡＭ７６に記憶されている普通図柄作動記憶数カウンタの値を参照して行うことができる。作動記憶数が０であった場合（Ｎｏ）、主制御ＣＰＵ７２はステップＳ２５００のデモ設定処理を実行する。
【０３７５】
ステップＳ２５００：この処理では、主制御ＣＰＵ７２はデモ演出用コマンドを生成する。デモ演出用コマンドは、上記の演出制御出力処理（図２４中のステップＳ２１７）において演出制御装置１２４に出力される。デモ設定処理を実行すると、主制御ＣＰＵ７２は普通遊技管理処理に復帰する。
【０３７６】
これに対し、普通図柄作動記憶数カウンタの値が０より大きければ（Ｙｅｓ）、主制御ＣＰＵ７２は次にステップＳ２２００を実行する。
【０３７７】
ステップＳ２２００：主制御ＣＰＵ７２は、普通図柄記憶シフト処理を実行する。この処理では、主制御ＣＰＵ７２はＲＡＭ７６の普通図柄乱数記憶領域に記憶されている抽選用乱数（普通図柄当り決定乱数、当り図柄乱数）を読み出し、これらを例えば別の共通記憶領域に保存する。このとき２つ以上のセクションに乱数が記憶されていれば、主制御ＣＰＵ７２は第１セクションから順に乱数を読み出し、残った乱数を１つずつ前のセクションに移動（シフト）させる。共通記憶領域に保存された各乱数は、次の当り判定処理で作動抽選に使用される。
【０３７８】
ステップＳ２２５０：次に主制御ＣＰＵ７２は、普通図柄作動記憶数減算処理を実行する。この処理では、主制御ＣＰＵ７２は、ＲＡＭ７６に記憶されている普通図柄作動記憶数カウンタの値を１つ減算し、減算後の値を「普通図柄変動開始時作動記憶数」に設定する。これにより、上記の表示出力管理処理（図２４中のステップＳ２１６）の中で普通図柄作動記憶ランプ３３ａによる記憶数の表示態様が変化（１減少）する。ここまでの手順を終えると、主制御ＣＰＵ７２は次にステップＳ２３００を実行する。
【０３７９】
ステップＳ２３００：主制御ＣＰＵ７２は、当り判定処理（作動抽選）を実行する。この処理では、主制御ＣＰＵ７２は、普通図柄当り値の範囲を設定し、この範囲内に読み出した乱数値が含まれるか否かを判断する（作動抽選実行手段）。なお本実施形態では、このとき設定される当り値の範囲は一定である。そして、読み出した乱数値が当り値の範囲内に含まれていれば、主制御ＣＰＵ７２は当りフラグをセットし、次にステップＳ２４００に進む。なお、本実施形態ではプログラム上で当り値の範囲を設定して当り判定を行っているが、予め当り判定テーブルをＲＯＭ７４に書き込んでおき、これを読み出して乱数値と対比しながら当り判定を行うプログラミング例もある。
【０３８０】
ステップＳ２４００：主制御ＣＰＵ７２は、先の当り判定処理で当りフラグに値（０１Ｈ）がセットされたか否かを判断する。当りフラグに値（０１Ｈ）がセットされていなければ（Ｎｏ）、主制御ＣＰＵ７２は次にステップＳ２４０４を実行する。
【０３８１】
ステップＳ２４０４：主制御ＣＰＵ７２は、はずれ時停止図柄決定処理を実行する。この処理では、主制御ＣＰＵ７２は、普通図柄表示装置３３によるはずれ時の停止図柄番号データをセットする。また主制御ＣＰＵ７２は、演出制御装置１２４に送信するための停止図柄指定コマンド及び抽選結果コマンド（はずれ時）を生成する。これらコマンドは、演出制御出力処理（図２４中のステップＳ２１７）において演出制御装置１２４に送信される。
【０３８２】
なお本実施形態では、普通図柄表示装置３３に２つのＬＥＤを用いているため、主制御ＣＰＵ７２の制御上、全ての停止図柄番号データに対して普通図柄表示装置３３による表示態様（非当選のＬＥＤが点灯表示）は共通である。このため、例えば、はずれ時の停止図柄番号データを１つの値（例えば０１Ｈ）に固定することができる。
【０３８３】
ステップＳ２４０６：次に主制御ＣＰＵ７２は、はずれ時変動パターン決定処理を実行する。この処理では、主制御ＣＰＵ７２は、普通図柄についてはずれ時の変動パターン番号を決定する。変動パターン番号は、変動パターンの種類を区別したり、そのときの変動時間を規定したりするものである。なおリーチ変動を行う場合を除き、はずれ時の変動時間は、例えばステップＳ２２５０で設定した「変動表示開始時作動記憶数（０個〜３個）」に基づいて決定される。
【０３８４】
以上のステップＳ２４０４，ステップＳ２４０６は、当り判定結果がはずれ時の制御手順であるが、判定結果が当り（ステップＳ２４００：Ｙｅｓ）の場合、主制御ＣＰＵ７２は以下の手順を実行する。
【０３８５】
ステップＳ２４１０：主制御ＣＰＵ７２は、当り時停止図柄決定処理を実行する。この処理では、主制御ＣＰＵ７２は当り図柄乱数に基づき、当選図柄の種類（当り時停止図柄番号）を決定する。当り図柄乱数値と当選図柄の種類との関係は、予め普通図柄判定データテーブルで規定されている。このため主制御ＣＰＵ７２は、当り時停止図柄決定処理において普通図柄判定テーブルを参照し、その記憶内容から当り図柄乱数に基づいて当選図柄の種類を決定することができる。なお本実施形態では、上述したように当選種別に大きく分けて２種類が用意されている。そのうち１つは「当選Ａ」であり、もう１つは「当選Ｂ」である。
【０３８６】
ステップＳ２４１２：次に主制御ＣＰＵ７２は、当り時変動パターン決定処理を実行する。この処理では、主制御ＣＰＵ７２はＲＡＭ７６のカウンタ領域から上記の変動パターン決定乱数を取得すると、その値に基づいて普通図柄の変動パターン（変動時間）を決定する。本実施形態のパチンコ機１による遊技では、基本的に、普通図柄の当り時には図柄演出を含めて当りリーチ変動を行うため、ここではリーチ変動パターンが選択される。なお一般的に当りリーチ変動の場合、はずれ通常変動時よりも長い変動時間が決定される。
【０３８７】
ステップＳ２４１３：主制御ＣＰＵ７２は、当り時その他設定処理を実行する。この処理では、主制御ＣＰＵ７２は当り時停止図柄番号に基づいて、普通図柄表示装置３３による停止図柄（当り図柄）の表示態様を決定する。ただし主制御ＣＰＵ７２の制御上、全ての当り時停止図柄番号に対して普通図柄表示装置３３による表示態様（当選のＬＥＤが点灯表示）は共通である。また主制御ＣＰＵ７２は、演出制御装置１２４に送信する停止図柄コマンド及び抽選結果コマンド（当り時）を生成する。これら停止図柄コマンド及び抽選結果コマンドもまた、演出制御出力処理において演出制御装置１２４に送信される。
【０３８８】
ステップＳ２４１４：次に主制御ＣＰＵ７２は、普通図柄変動開始処理を実行する。この処理では、主制御ＣＰＵ７２は変動パターン番号（はずれ時／当り時）に基づいて変動パターンデータを選択し、変動パターンに対応する変動時間の値を変動タイマにセットする。合わせて主制御ＣＰＵ７２は、ＲＡＭ７６のフラグ領域に普通図柄の変動開始フラグをセットする。そして主制御ＣＰＵ７２は、演出制御装置１２４に送信する変動開始コマンドを生成する。この変動開始コマンドもまた、上記の演出制御出力処理において演出制御装置１２４に送信される。以上の手順を終えると、主制御ＣＰＵ７２は普通遊技管理処理に復帰する。
【０３８９】
〔図２８：普通図柄変動中処理，普通図柄停止表示中処理〕
普通遊技管理処理に復帰すると、主制御ＣＰＵ７２は普通図柄変動中処理（ステップＳ３００１）を次のジャンプ先に設定する。普通図柄変動中処理では、上記のように主制御ＣＰＵ７２は変動タイマの値をレジスタからタイマカウンタにロードし、その後、時間の経過（クロックパルスのカウント数）に応じてタイマカウンタの値をデクリメントする。そして主制御ＣＰＵ７２は、タイマカウンタの値を参照しつつ、その値が０になるまで上記のように普通図柄の変動表示を制御する。そして、タイマカウンタの値が０になると、主制御ＣＰＵ７２は普通図柄停止表示中処理（ステップＳ４００１）を次のジャンプ先に設定する。
【０３９０】
また普通図柄停止表示中処理では、主制御ＣＰＵ７２は停止図柄決定処理（図２９中のステップＳ２４０４，ステップＳ２４１０）で決定した停止図柄に基づいて普通図柄の停止表示を制御する。また主制御ＣＰＵ７２は、演出制御装置１２４に送信する図柄停止コマンドを生成する。図柄停止コマンドは、上記の演出制御出力処理において演出制御装置１２４に送信される。特別図柄停止表示中処理の中で停止図柄を所定時間にわたり表示させると、主制御ＣＰＵ７２は図柄変動中フラグを消去する。
【０３９１】
〔可変始動入賞装置管理処理〕
次に、可変始動入賞装置管理処理について説明する。図３０は、可変始動入賞装置管理処理の構成例を示すフローチャートである。可変始動入賞装置管理処理は、遊技プロセス選択処理（ステップＳ５１０１）、開放パターン設定処理（ステップＳ５２０１）、開閉動作処理（ステップＳ５３０１）、閉鎖処理（ステップＳ５４０１）、終了処理（ステップＳ５５０１）のサブルーチン群を含む構成である。
【０３９２】
ステップＳ５１０１：遊技プロセス選択処理において、主制御ＣＰＵ７２は次に実行するべき処理（ステップＳ５２０１〜ステップＳ５５０１のいずれか）のジャンプ先を選択する。すなわち主制御ＣＰＵ７２は、ジャンプテーブルから次に実行するべき処理のプログラムアドレスをジャンプ先のアドレスとして選択し、また戻り先のアドレスとして可変始動入賞装置管理処理の末尾をスタックポインタにセットする。いずれの処理を次のジャンプ先として選択するかは、これまでに行われた処理の進行状況によって異なる。例えば、未だ可変始動入賞装置２６の作動（開閉動作）を開始していない状況であれば、主制御ＣＰＵ７２は次のジャンプ先として開放パターン設定処理（ステップＳ５２０１）を選択する。一方、既に開放パターン設定処理が完了していれば、主制御ＣＰＵ７２は次のジャンプ先として開閉動作処理（ステップＳ５３０１）を選択し、開閉動作処理まで完了していれば、次のジャンプ先として閉鎖処理（ステップＳ５４０１）を選択する。また、開閉動作処理及び閉鎖処理を実行されると、主制御ＣＰＵ７２は次のジャンプ先として終了処理（ステップＳ５５０１）を選択する。以下、それぞれの処理についてさらに詳しく説明する。
【０３９３】
〔開放パターン設定処理〕
ステップＳ５２０１：開放パターン設定処理では、主制御ＣＰＵ７２は可変始動入賞装置２６の作動条件として、例えば開放時間と開放回数を設定する。ここで、開放時間の設定については、時間短縮機能の作動時と非作動時とで異なる。以下、この点について説明する。
【０３９４】
〔図３１：図柄別作動条件設定テーブルを参照〕
図３１は、図柄別作動条件設定テーブルの構成例を示す図である。この図柄別作動条件設定テーブルは、普通図柄の当選種別である「当選Ａ」と「当選Ｂ」のそれぞれについて、時間短縮機能の非作動時（通常中）と作動時（時短中）とで普通図柄の変動時間や可変始動入賞装置２６の作動条件を異なる設定とするためのものである。
【０３９５】
図３１中（Ａ）：先ず「当選Ａ」図柄については、上述したように時間短縮機能の非作動時と作動時で当り確率（１／５４）は変化しない。ただし、変動時間については通常中が比較的長時間（通常変動時間）に設定されているのに対し、時短中は短縮された変動時間（１．０秒）に設定されている。通常変動時間は、例えば変動パターン決定乱数を用いて複数通り（例えば数秒〜百数十秒の範囲内）に設定されるため、時短中の変動時間に比較して長くなっている。なお、作動時間や作動回数の条件については通常中と時短中で同じである。
【０３９６】
図３１中（Ｂ）：次に「当選Ｂ」図柄についても、上述したように時間短縮機能の非作動時と作動時で当り確率（１／１．０４）は変化しない。ただし、変動時間については通常中が比較的長時間（通常変動時間）に設定されているのに対し、時短中は短縮された変動時間（１．０秒）に設定されている。さらに、作動時間の条件は通常中に比較して時短中は延長されている（０．０８秒→５．８秒）。なお、作動回数の条件については通常中と時短中で同じである。
【０３９７】
主制御ＣＰＵ７２は、開放パターン設定処理（図３０中のステップＳ５２０１）において時間短縮機能作動フラグの値（「０１Ｈ」又は「００Ｈ」）を参照し、値「０１Ｈ」がセットされていれば、作動条件設定テーブルの下段に定められた作動条件（特に作動時間）を設定する。これにより、時短中は当り確率の高い「当選Ｂ」に対応する開放時間が通常中に比較して延長されるため、それだけ頻繁に可変始動入賞装置２６への入賞が発生しやすくなる。
【０３９８】
なお主制御ＣＰＵ７２は、先の変動パターン決定処理（図２９中のステップＳ２４０６，ステップＳ２４１２）で変動パターン（変動時間）を設定する場合についても、図３１の作動条件設定テーブルを使用することができる。
【０３９９】
〔図３０：可変始動入賞装置管理処理を参照〕
ステップＳ５３０１：次の開閉動作処理では、主制御ＣＰＵ７２は先のステップＳ５２０１で設定した作動条件（開放時間）に基づいて普通電動役物ソレノイド２１２を駆動する。これにより、特に時短中は「当選Ａ」及び「当選Ｂ」のいずれに該当しても、開放時間が延長（５．８秒）された状態となる。また主制御ＣＰＵ７２は、次のジャンプ先として閉鎖処理（ステップＳ５４０１）を設定する。
【０４００】
ステップＳ５４０１：閉鎖処理では、主制御ＣＰＵ７２は開放時間の経過をタイマカウンタ値に基づいてカウントする。そして、タイマカウンタの値が０以下になれば、主制御ＣＰＵ７２は普通電動役物ソレノイド２１２を非作動状態に切り替える。そして主制御ＣＰＵ７２は、次のジャンプ先として終了処理（ステップＳ５５０１）を設定する。
【０４０１】
ステップＳ５５０１：終了処理では、主制御ＣＰＵ７２は可変始動入賞装置２６の作動を終了する際の条件を整える。例えば、主制御ＣＰＵ７２は普通電動役物作動フラグの値（０１Ｈ）をリセットする。そして主制御ＣＰＵ７２は、普通図柄遊技処理の中の普通遊技制御モジュール選択処理（図２８中のステップＳ１００１）でのジャンプ先を普通図柄変動開始待ち処理に設定する。以上の手順を終えると、主制御ＣＰＵ７２は可変始動入賞装置管理処理に復帰する。
【０４０２】
〔特別遊技管理処理〕
次に、特別遊技管理処理の詳細について説明する。図３２は、特別遊技管理処理の構成例を示すフローチャートである。特別遊技管理処理は、特別遊技制御モジュール選択処理（ステップＳ１０００）、特別図柄変動開始待ち処理（ステップＳ１５００）、特別図柄変動中処理（ステップＳ２０００）、特別図柄停止表示中処理（ステップＳ２５００）、役物装置作動開始待ち処理（ステップＳ３０００）、役物装置開放処理（ステップＳ３５００）、役物装置閉鎖処理（ステップＳ４０００）、役物装置作動終了処理（ステップＳ４５００）、可変入賞装置作動開始処理（ステップＳ５０００）、可変入賞装置開放処理（ステップＳ５５００）、可変入賞装置閉鎖処理（ステップＳ６０００）、可変入賞装置作動終了処理（ステップＳ６５００）、残存球エラーコマンド設定処理（ステップＳ７０００）及びソレノイド制御処理（ステップＳ７５００）のサブルーチン群を含む構成である。ここでは先ず、各処理に沿って特別遊技管理処理の基本的な流れを説明する。
【０４０３】
ステップＳ１０００：特別遊技制御モジュール選択処理において、主制御ＣＰＵ７２は次に実行するべき処理（ステップＳ１５００〜ステップＳ６５００のいずれか）のジャンプ先を選択する。例えば、主制御ＣＰＵ７２は次に実行するべき処理のプログラムアドレスをジャンプ先のアドレスとし、また戻り先のアドレスとして残存球エラーコマンド設定処理（ステップＳ７０００）のプログラムアドレスを「ジャンプテーブル」にセットする。いずれの処理を次のジャンプ先として選択するかは、これまでに行われた処理の進行状況によって異なる。例えば、未だ特別図柄が変動表示を開始していない状況であれば、主制御ＣＰＵ７２は次のジャンプ先として特別図柄変動開始待ち処理（ステップＳ１５００）を選択する。一方、既に特別図柄変動開始待ち処理が完了していれば、主制御ＣＰＵ７２は次のジャンプ先として特別図柄変動中処理（ステップＳ２０００）を選択し、特別図柄変動中処理まで完了していれば、次のジャンプ先として特別図柄停止表示中処理（ステップＳ２５００）を選択するといった具合である。なお、本実施形態ではジャンプ先のアドレスを「ジャンプテーブル」で指定して処理を選択しているが、このような選択手法とは別に、「プロセスフラグ」や「処理選択フラグ」等を用いてＣＰＵが次に実行するべき処理を選択している公知のプログラミング例もある。
【０４０４】
また、上記のように主制御ＣＰＵ７２が次のジャンプ先を選択するにあたり、現在までの処理の進行状況は「特別遊技管理ステータス」の値で表されている。例えば、未だ特別図柄が変動表示を開始していない状況であれば、主制御ＣＰＵ７２は現在までの「特別遊技管理ステータス」の値を「００Ｈ」として設定している。一方、既に特別図柄変動開始待ち処理が完了していれば、主制御ＣＰＵ７２は現在までの「特別遊技管理ステータス」の値を「０１Ｈ」に設定し、特別図柄変動中処理まで完了していれば、現在までの「特別遊技管理ステータス」の値を「０２Ｈ」に設定するといった具合である。なお、このような「特別遊技管理ステータス」の値の設定についてはさらに後述する。いずれにしても、主制御ＣＰＵ７２は特別遊技制御モジュール選択処理において「特別遊技管理ステータス」の値を参照し、その時点でジャンプ先となる処理（ステップＳ１５００〜ステップＳ６５００のいずれか）を選択することができる。
【０４０５】
なお、特別遊技制御モジュール選択処理（ステップＳ１０００）でジャンプ先として選択されるのは、上記のようにステップＳ１５００〜ステップＳ６０００までであり、残存球エラーコマンド設定処理（ステップＳ７０００）及びソレノイド制御処理（ステップＳ７５００）はいずれも毎回の割り込みで実行される。
【０４０６】
ステップＳ１５００：上記のように「特別遊技管理ステータス」の値が「００Ｈ」である場合、主制御ＣＰＵ７２は特別遊技管理処理において特別図柄変動開始待ち処理を実行する。この特別図柄変動開始待ち処理では、主制御ＣＰＵ７２は特別図柄の変動表示を開始するための条件を整える作業を行う。特に図示していないが、例えば主制御ＣＰＵ７２は特別図柄作動記憶数が１以上である場合、特別図柄の当り決定乱数及び当り図柄乱数の記憶を共通記憶領域に保存してその他の記憶をシフトし、特別図柄の変動開始時作動記憶数を減算する。また主制御ＣＰＵ７２は、共通記憶領域に保存した当り決定乱数を当り値と比較し、当り判定を行う。なお本実施形態では、特別図柄抽選の当り確率（いわゆる小当り確率）が１であるため、このときの当り判定は確認的な処理となる。
【０４０７】
次に主制御ＣＰＵ７２は、ステップＳ１５００において当り時停止図柄を決定する。上述したように、本実施形態では通常時（時間短縮機能非作動時）に得られる特別図柄の当選種別として「特図当選１」〜「特図当選３」の３種類が設けられているが、各当選種類にはさらに小分類として複数の当選種類が設けられているため、その中のいずれに該当するかを当り図柄乱数に基づいて決定する。なお、ここで決定した当り時停止図柄（大きく分けて「特図当選１」〜「特図当選３」）に基づいて、大当り終了後に付加される時間短縮機能の上限回数（通常時は０回を含まない）が決定されることになる。また時間短縮機能作動時については、特別図柄について得られる当選種別が「特図当選４」又は「特図当選５」のいずれかとなる。これら「特図当選４」及び「特図当選５」のそれぞれにも小分類として複数の当選種類が設けられているため、この場合も主制御ＣＰＵ７２は当り図柄乱数に基づいていずれの当選種類に該当するかを決定する。そして、ここで決定した当り時停止図柄（大きく分けて「特図当選４」又は「特図当選５」）に基づいて、時間短縮機能作動時の大当り終了後に付加される上限回数（時短中は０回を含む）が決定される。
【０４０８】
ただし、本実施形態では特別図柄抽選での当選がそのまま大当りではなく、あくまで可動入球役物装置２８の開放契機（＝小当り）であり、実際に大当り（可変入賞装置３０の開放）に進むためには、可動入球役物装置２８内で特定領域通過を発生させる必要がある。このため、主制御ＣＰＵ７２はここで決定した当り時停止図柄（当選種別）の結果をＲＡＭ７６のバッファ領域に保存し、次に特別図柄の当り判定が行われるまで抽選結果を表すフラグ（抽選結果フラグ）を記憶させている。なお主制御ＣＰＵ７２は、次回の特別図柄変動開始待ち処理において特別図柄の記憶シフトを行った場合、そこで前回の抽選結果フラグを消去することとしてもよい。
【０４０９】
この他に主制御ＣＰＵ７２は、特別図柄変動開始待ち処理において変動タイマの値をセットする。例えば、主制御ＣＰＵ７２は変動パターン番号に基づいて変動パターンデータを選択し、変動パターンに対応する変動時間の値を変動タイマにセットする。また主制御ＣＰＵ７２は、変動パターンに対応する停止図柄表示時間の値を表示タイマにセットする。合わせて主制御ＣＰＵ７２は、ＲＡＭ７６のフラグ領域に特別図柄の変動開始フラグをセットする。そして主制御ＣＰＵ７２は、演出制御装置１２４に送信する変動開始コマンドを生成する。この変動開始コマンドもまた、上記の演出制御出力処理において演出制御装置１２４に送信される。また主制御ＣＰＵ７２は、特別図柄変動開始待ち処理の手順を完了すると、「特別遊技管理ステータス」の値を「０１Ｈ」に更新する。
【０４１０】
ステップＳ２０００：「特別遊技管理ステータス」の値が「０１Ｈ」である場合、主制御ＣＰＵ７２は特別遊技管理処理において特別図柄変動中処理を実行する。この特別図柄変動中処理では、主制御ＣＰＵ７２は変動タイマをカウントしつつ、特別図柄表示装置３４の駆動制御を行う。具体的には、２つある７セグメントＬＥＤの各セグメント及びドット（０番〜７番）に対してＯＮ又はＯＦＦの駆動信号（１バイトデータ）を出力する。駆動信号のパターンは時間の経過に伴って変化し、それによって特別図柄の変動表示が行われる。この後、変動タイマのカウントが０になると、主制御ＣＰＵ７２は「特別遊技管理ステータス」の値を「０２Ｈ」に更新する。
【０４１１】
ステップＳ２５００：「特別遊技管理ステータス」の値が「０２Ｈ」に更新された場合、主制御ＣＰＵ７２は特別遊技管理処理において特別図柄停止表示中処理を実行する。この特別図柄停止表示中処理では、主制御ＣＰＵ７２は停止表示タイマをカウントしつつ、特別図柄表示装置３４の駆動制御を行う。ここでも同様に、２つある７セグメントＬＥＤの各セグメント及びドットに対してＯＮ又はＯＦＦの駆動信号を出力するが、駆動信号のパターンは一定であり、これにより特別図柄の停止表示が行われる。なお、このとき特別図柄の停止表示態様は、先の特別図柄変動開始待ち処理で決定された当選種類（小分類）に対応している。この後、停止表示タイマのカウントが０になると、主制御ＣＰＵ７２は「特別遊技管理ステータス」の値を「０３Ｈ」に更新する。
【０４１２】
ステップＳ３０００：「特別遊技管理ステータス」の値が「０３Ｈ」に更新された場合、主制御ＣＰＵ７２は特別遊技管理処理において役物装置作動開始待ち処理を実行する。この役物作動開始待ち処理では、主制御ＣＰＵ７２は特別遊技タイマとして上大入賞口開放開始タイマのカウントダウンを実行する。なお上大入賞口開放開始タイマのカウント時間は、上述した可動入球役物装置２８（上大入賞口）の開放開始を遊技者に意識させるために必要な演出時間（例えば数秒間）に基づいて設定されている。この後、上大入賞口開放開始タイマのカウントが０になると、主制御ＣＰＵ７２は「特別遊技管理ステータス」の値を「０４Ｈ」に更新する。
【０４１３】
ステップＳ３５００：「特別遊技管理ステータス」の値が「０４Ｈ」に更新された場合、主制御ＣＰＵ７２は特別遊技管理処理において役物装置開放処理を実行する。この役物装置開放処理では、主制御ＣＰＵ７２は可動入球役物装置２８の開閉動作を制御する。具体的には、主制御ＣＰＵ７２は上大入賞口開放時間タイマ又は待機時間タイマをカウントしつつ、上大入賞口ソレノイド２１４に対する駆動信号（ＯＮ又はＯＦＦ）を設定する。これにより、可動入球役物装置２８の開放及び閉鎖の動作（初回及び２回目以降の開閉動作）が行われる。また可動入球役物装置２８の開閉動作（初回及び２回目以降）を終了して可動入球役物装置２８を閉鎖する場合、主制御ＣＰＵ７２は「特別遊技管理ステータス」の値を「０５Ｈ」に更新する。なお、役物装置開放処理の詳細については、さらに別のフローチャートを用いて後述する。
【０４１４】
ステップＳ４０００：「特別遊技管理ステータス」の値が「０５Ｈ」に更新された場合、主制御ＣＰＵ７２は特別遊技管理処理において役物装置閉鎖処理を実行する。この役物装置閉鎖処理では、主制御ＣＰＵ７２は可動入球役物装置２８の閉鎖に伴う各種の内部処理を実行する。各種の内部処理には、例えば可動入球役物装置２８の開放時に入賞した遊技球の排出完了を確認したり、特定領域通過の有無を確認したり、回数切り機能の作動状態を確認したりする処理が含まれる。これら処理を終了する場合、主制御ＣＰＵ７２は「特別遊技管理ステータス」の値を「０６Ｈ」に更新する。なお、役物装置閉鎖処理の詳細についても、さらに別のフローチャートを用いて後述する。
【０４１５】
また主制御ＣＰＵ７２は、この役物装置閉鎖処理において特定領域の通過を検出した場合、大当りフラグに値（０１Ｈ）をセットし、大当り状態指定コマンドを設定する。合わせて主制御ＣＰＵ７２は、その時点で記憶されている抽選結果フラグに基づき、大当り種別コマンドを生成する。これらコマンドは、演出制御出力処理（図２４中のステップＳ２１７）において演出制御装置１２４に送信される。これを受けて演出制御装置１２４（演出制御ＣＰＵ１２６）が上記のように大当り図柄抽選演出の実行を制御することができる。
【０４１６】
ステップＳ４５００：「特別遊技管理ステータス」の値が「０６Ｈ」に更新された場合、主制御ＣＰＵ７２は特別遊技管理処理において役物装置作動終了処理を実行する。この役物装置作動終了処理では、主制御ＣＰＵ７２は可動入球役物装置２８の作動終了に伴う各種の内部処理を実行する。各種の内部処理には、例えば可動入球役物装置２８の作動終了を確定させるエンディング時間の経過を確認したり、大当り状態移行コマンドや時間短縮状態指定コマンドを設定したりする処理が含まれる。ここで大当り状態移行コマンドを設定する場合、主制御ＣＰＵ７２は「特別遊技管理ステータス」の値を「０７Ｈ」に更新する。一方、大当り状態移行コマンドを設定しない場合、主制御ＣＰＵ７２は「特別遊技管理ステータス」を初期値の「００Ｈ」に復帰させる。なお役物装置作動終了処理の詳細についても、さらに別のフローチャートを用いて後述する。
【０４１７】
ステップＳ５０００：可変入賞装置作動開始処理は、先の役物装置作動終了処理において「特別遊技管理ステータス」の値が「０７Ｈ」に更新された場合に実行される。この可変入賞装置作動開始処理では、主制御ＣＰＵ７２は可変入賞装置３０の作動開始に先立つ前処理を実行する。すなわち、主制御ＣＰＵ７２は特別遊技タイマとして大当り開始待ち時間タイマのカウントダウンを実行し、タイマのカウントが０になると、可変入賞装置３０の作動条件（実行ラウンド数、ラウンドごとの開放時間及び開放回数、インターバル時間等）を設定する。また主制御ＣＰＵ７２は、「特別遊技管理ステータス」の値を「０８Ｈ」に更新する。以後、大当り遊技中は遊技の進行状況に応じて「特別遊技管理ステータス」の値が「０８Ｈ」〜「０ＢＨ」まで更新され、そのときの値に応じてステップＳ５５００〜ステップＳ６５００が実行されることになる。また、可変入賞装置作動開始処理の詳細については、別のフローチャートを用いてさらに後述する。
【０４１８】
ステップＳ５５００：「特別遊技管理ステータス」の値が「０８Ｈ」に更新された場合、主制御ＣＰＵ７２は可変入賞装置開放処理を実行する。この可変入賞装置開放処理では、主制御ＣＰＵ７２は可変入賞装置３０の開閉動作を制御する。これにより、大当り遊技の１ラウンド分が実行されることになる。１ラウンド分の大当り遊技を終了して可変入賞装置３０を閉鎖する場合、主制御ＣＰＵ７２は「特別遊技管理ステータス」の値を「０９Ｈ」に更新する。可変入賞装置開放処理の詳細についても、別のフローチャートを用いてさらに後述する。
【０４１９】
ステップＳ５５５０：「特別遊技管理ステータス」の値が「０９Ｈ」に更新されると、主制御ＣＰＵ７２は次の可変入賞装置閉鎖有効処理を実行する。この可変入賞装置閉鎖有効処理では、主制御ＣＰＵ７２は大入賞口閉鎖有効時間タイマのカウントダウンを実行し、タイマのカウントが０になると、「特別遊技管理ステータス」の値を「０ＡＨ」に更新する。なお、この処理は可変入賞装置３０の開放から閉鎖に伴う時間を調整するために実行されるものであり、その詳細については省略する。
【０４２０】
ステップＳ６０００：「特別遊技管理ステータス」の値が「０ＡＨ」に更新されると、主制御ＣＰＵ７２は次の可変入賞装置閉鎖処理を実行する。この可変入賞装置閉鎖処理では、主制御ＣＰＵ７２は可変入賞装置３０の閉鎖完了に伴う内部処理を実行する。この内部処理において、主制御ＣＰＵ７２はこれまでに実行したラウンド数を確認し、実行済みのラウンド数が設定したラウンド数（連続作動回数）に達していなければ「特別遊技管理ステータス」の値を「０８Ｈ」に復帰させる。この場合、次回の特別遊技制御モジュール選択処理（ステップＳ１０００）において先の可変入賞装置開放処理（ステップＳ５５００）が再度選択されることになる。一方、既に実行済みのラウンド数が設定したラウンド数に達した場合、主制御ＣＰＵ７２は「特別遊技管理ステータス」の値を「０ＢＨ」に更新する（ステップＳ３０００〜Ｓ６０００：特別遊技実行手段）。なお可変入賞装置閉鎖処理の詳細については、別のフローチャートを用いてさらに後述する。
【０４２１】
ステップＳ６５００：「特別遊技管理ステータス」の値が「０ＢＨ」に更新された場合、主制御ＣＰＵ７２は可変入賞装置作動終了処理を実行する。この可変入賞装置作動終了処理では、主制御ＣＰＵ７２は大当りエンディング時間タイマのカウントダウンを実行する。タイマのカウントが０になると、主制御ＣＰＵ７２は特別図柄状態フラグを設定し、また、特別図柄停止図柄種別に応じて時間短縮機能の作動回数（上限回数）を設定する。そして主制御ＣＰＵ７２は、特別図柄状態指定コマンドを設定し、「特別遊技管理ステータス」を初期値の「００Ｈ」に復帰させる。これにより、以後は特別図柄の変動（又は作動記憶数の追加）が可能な状態となる。なお可変入賞装置作動終了処理の詳細についても、別のフローチャートを用いてさらに後述する。
【０４２２】
また主制御ＣＰＵ７２は、以下の手順を「特別遊技管理ステータス」の値にかかわらず実行する。
ステップＳ７０００：主制御ＣＰＵ７２は、残存球エラーコマンド設定処理を実行する。この残存球エラーコマンド設定処理では、主制御ＣＰＵ７２は、可動入球役物装置２８の作動終了後に排出球不足エラーの監視を行うとともに、排出球不足エラー時の報知用コマンドを設定する。主制御ＣＰＵ７２は、例えば「特別遊技管理ステータス」の値が「０４Ｈ」に更新されてから、次に「０５Ｈ」に更新されるまでの間にカウントした入賞球数と、排出時間内にカウントした排出球数とが一致するかを確認する。その結果、入賞球数と排出球数とが一致する場合は排出球不足状態フラグをリセット（００Ｈ）し、この処理を終了する。これに対し、両者が一致しない場合、主制御ＣＰＵ７２は排出球不足状態フラグをセット（０１Ｈ）し、排出球不足エラー状態コマンドを設定する。ここで設定した排出球不足エラー状態コマンドは、演出制御出力処理（図２４中のステップＳ２１７）で演出制御装置１２４に送信される。
【０４２３】
ステップＳ７５００：主制御ＣＰＵ７２は、ソレノイド制御処理を実行する。この処理では、主制御ＣＰＵ７２は第１ストッパソレノイド２２０及び第２ストッパソレノイド２２２の作動状態（ＯＮ又はＯＦＦ）を制御する。ソレノイド制御処理の詳細については、別のフローチャートを用いてさらに後述する。
【０４２４】
〔特別遊技進行状況〕
図３３は、特別遊技管理処理の実行に伴い変化していく「特別遊技管理ステータス」の値と、それぞれの値に対応した特別遊技の進行状況を一覧にして示した図である。本実施形態において特別遊技（特別図柄に対応する遊技）は、例えば（１）「特別図柄変動待ち状態」を初期状態として開始される。そこから可変始動入賞装置２６への入賞が発生すると、これを契機として特別遊技の進行状況は次の（２）「特別図柄変動表示中状態」に遷移し、さらに（３）「特別図柄停止図柄表示中状態」を経て（４）「役物装置作動開始演出中状態」に進み、（５）「役物装置開放状態」、（６）「役物装置開放後閉鎖状態」、（７）「役物装置作動終了演出中状態」へと遷移していく。
【０４２５】
このとき、可動入球役物装置２８（役物装置）内で特定領域の通過（Ｖ入賞）が発生しなかった場合、特別遊技の進行状況は（１）「特別図柄変動待ち状態」に戻り、そこから繰り返しとなる。一方、（５）「役物装置開放状態」以降に可動入球役物装置２８（役物装置）内で特定領域の通過（Ｖ入賞）が発生すると、特別遊技の進行状況は（８）大当り開始演出中状態に遷移し、そこから（９）「大入賞口開閉動作中状態」、（１０）「大入賞口開放後閉鎖状態」、（１１）「大入賞口閉鎖時間中状態」、（１２）「大当りエンディング演出中状態」へと遷移していく。そして（１２）「大当りエンディング演出中状態」まで終了すると、特別遊技の進行状況は（１）「特別図柄変動待ち状態」に戻り、そこから繰り返しとなる。以下、より具体的に説明する。
【０４２６】
（１）「特別図柄変動待ち状態」
パチンコ機１による遊技の開始初期において、特別遊技の進行状況は（１）「特別図柄変動待ち状態」にある。この状態は、特別図柄の始動条件が満たされていることを意味し、例えば特別図柄が変動中でなく、前回の変動表示が行われた場合は特別図柄の停止表示が既に確定している。この状態で、主制御ＣＰＵ７２は「特別遊技管理ステータス」の値を「００Ｈ」に設定しており、特別遊技管理処理において特別図柄変動開始待ち処理（ステップＳ１５００）が選択される。
【０４２７】
（２）「特別図柄変動表示中状態」
上記の（１）「特別図柄変動待ち状態」で可変始動入賞装置２６への入賞が発生するか、もしくは、特別図柄の作動記憶が残存していた場合、特別図柄の変動表示が開始されて進行状況が（２）「特別図柄変動表示中状態」に遷移する。この状態は、特別図柄表示装置３４において特別図柄が変動表示中であることを意味する。この間、主制御ＣＰＵ７２は「特別遊技管理ステータス」の値を「０１Ｈ」に設定しており、特別遊技管理処理において特別図柄変動中処理（ステップＳ２０００）が選択される。
【０４２８】
（３）「特別図柄停止図柄表示中状態」
特別図柄の変動時間が経過して特別図柄が停止表示されると、進行状況が（３）「特別図柄停止図柄表示中状態」に遷移する。この状態は、特別図柄表示装置３４において特別図柄が停止表示中であることを意味する。この間、主制御ＣＰＵ７２は「特別遊技管理ステータス」の値を「０２Ｈ」に設定しており、特別遊技管理処理において特別図柄停止表示中処理（ステップＳ２５００）が選択される。
【０４２９】
（４）「役物装置作動開始演出中状態」
特別図柄の停止表示時間が経過して特別図柄（小当り図柄）の停止表示が確定すると、進行状況が（４）「役物装置作動開始演出中状態」に遷移する。この状態は、特図当選（小当り）を契機とした可動入球役物装置２８の作動開始待ちであることを意味する。この間、主制御ＣＰＵ７２は「特別遊技管理ステータス」の値を「０３Ｈ」に設定しており、特別遊技管理処理において役物装置作動開始待ち処理（ステップＳ３０００）が選択される。また主制御ＣＰＵ７２は、「特別遊技管理ステータス」の値が「０３Ｈ」に更新されたことを契機として、ソレノイド制御処理（ステップＳ７５００）及びモータ管理処理（図２４中のステップＳ２１０）において排出処理の制御を開始する。
【０４３０】
（５）「役物装置開放状態」
可動入球役物装置２８が作動すると、進行状況が（５）「役物装置開放状態」に遷移する。この状態は、可動入球役物装置２８の作動に伴う上大入賞口２８ｂの開閉動作中であることを意味する。この間、主制御ＣＰＵ７２は「特別遊技管理ステータス」の値を「０４Ｈ」に設定しており、特別遊技管理処理において役物装置開放処理（ステップＳ３５００）が選択される。
【０４３１】
（６）「役物装置開放後閉鎖状態」
可動入球役物装置２８の開閉動作（初回及び２回目以降）が終了して上大入賞口２８ｂが閉鎖されると、進行状況が（６）「役物装置開放後閉鎖状態」に遷移する。この状態は、可動入球役物装置２８において上大入賞口２８ｂの閉鎖中であることを意味する。この間、主制御ＣＰＵ７２は「特別遊技管理ステータス」の値を「０５Ｈ」に設定しており、特別遊技管理処理において役物装置閉鎖処理（ステップＳ４０００）が選択される。
【０４３２】
（７）「役物装置作動終了演出中状態」
上大入賞口２８ｂの閉止後、さらに進行状況が（７）「役物装置作動終了演出中状態」に遷移する。この状態は、可動入球役物装置２８内での遊技球の振り分け動作を用いた遊技を終了させる期間にあることを意味する。この間、主制御ＣＰＵ７２は「特別遊技管理ステータス」の値を「０６Ｈ」に設定しており、特別遊技管理処理において役物装置作動終了処理（ステップＳ４５００）が選択される。なお、可動入球役物装置２８内で特定領域の通過（Ｖ入賞）が発生しなかった場合、進行状況は（１）「特別図柄変動待ち状態」に復帰する。
【０４３３】
（８）「大当り開始演出中状態」
可動入球役物装置２８内で特定領域の通過（Ｖ入賞）が発生すると、進行状況は（８）「大当り開始演出中状態」に遷移する。この状態は、可変入賞装置３０の作動開始待ち期間であることを意味する。この間、主制御ＣＰＵ７２は「特別遊技管理ステータス」の値を「０７Ｈ」に設定しており、特別遊技管理処理において可変入賞装置作動開始処理（ステップＳ５０００）が選択される。
【０４３４】
（９）「大入賞口開閉動作中状態」
可変入賞装置３０が作動を開始すると、進行状況は（９）「大入賞口開閉動作中状態」に遷移する。この状態は、下大入賞口の開放中であることを意味する。この間、主制御ＣＰＵ７２は「特別遊技管理ステータス」の値を「０８Ｈ」に設定しており、特別遊技管理処理において可変入賞装置開放処理（ステップＳ５５００）が選択される。
【０４３５】
（１０）「大入賞口開放後閉鎖状態」
可変入賞装置３０により下大入賞口が閉止されると、進行状況は（１０）「大入賞口開放後閉鎖状態」に遷移する。この状態は、ラウンドの終了に伴い下大入賞口が閉止された直後の状態であることを意味する。このとき主制御ＣＰＵ７２は「特別遊技管理ステータス」の値を「０９Ｈ」に設定しており、特別遊技管理処理において可変入賞装置閉鎖有効処理（ステップＳ５５５０）が選択される。
【０４３６】
（１１）「大入賞口閉鎖時間中状態」
可変入賞装置３０の閉止後、進行状況は（１１）「大入賞口閉鎖時間中状態」に遷移する。この状態は、ラウンド終了後の待機状態にあることを意味する。このとき主制御ＣＰＵ７２は「特別遊技管理ステータス」の値を「０ＡＨ」に設定しており、特別遊技管理処理において可変入賞装置閉鎖処理（ステップＳ６０００）が選択される。なお、大当り中のラウンド数を全て消化していない場合、この後の進行状況は（９）「大入賞口開閉動作中状態」に復帰する。
【０４３７】
（１２）「大当りエンディング演出中状態」
大当り最終ラウンド終了後の待機時間が経過すると、進行状況は（１２）「大当りエンディング演出中状態」に遷移する。この状態は、大当りエンディング演出状態にあることを意味する。このとき主制御ＣＰＵ７２は「特別遊技管理ステータス」の値を「０ＢＨ」に設定しており、特別遊技管理処理において可変入賞装置作動終了処理（ステップＳ６５００）が選択される。
【０４３８】
以上のように、特別遊技管理処理（図３２）において主制御ＣＰＵ７２は、特別遊技の進行状況の変化に応じて「特別遊技管理ステータス」の値を「００Ｈ」〜「０ＢＨ」に変化させ、そのときの進行状況に応じた特別遊技制御モジュールを選択することができる。
【０４３９】
〔役物装置開放処理〕
図３４は、役物装置開放処理（図３２中のステップＳ３５００）の手順例を示すフローチャートである。上記のように役物装置開放処理は、特別遊技管理処理において特別図柄の変動表示が行われ、特別図柄が当選（確率１／１）の態様で停止表示された後、役物装置作動開始待ち処理（図３２中のステップＳ３０００）による上大入賞口開放開始タイマのカウントダウンを経て実行される。この場合、「特別遊技管理ステータス」の値は「０４Ｈ」に更新されている。以下、手順例に沿って説明する。
【０４４０】
ステップＳ３５０２：先ず主制御ＣＰＵ７２は、上大入賞口開放時間タイマがセット済みであるかを確認する。上大入賞口開放時間タイマの値は、例えばＲＡＭ７６のタイマ領域にセットされ、その後に更新される。「特別遊技管理ステータス」の値が「０４Ｈ」に更新された当初には、未だ上大入賞口開放時間タイマの値がセットされていない（Ｎｏ）。したがって、主制御ＣＰＵ７２はステップＳ３５２８に進む。
【０４４１】
ステップＳ３５２８：続いて主制御ＣＰＵ７２は、待機時間タイマがセット済みであるかを確認する。待機時間タイマの値もまた、例えばＲＡＭ７６のタイマ領域にセットされ、その後に更新されていく。ここでも同様に、「特別遊技管理ステータス」の値が「０４Ｈ」に更新された当初には、未だ待機時間タイマの値がセットされていない（Ｎｏ）。したがって主制御ＣＰＵ７２は、ステップＳ３５０６に進むことになる。
【０４４２】
ステップＳ３５０６：次に主制御ＣＰＵ７２は、上大入賞口ソレノイドＯＮフラグ、又は上大入賞口ＯＦＦフラグがセット済みであるかを確認する。上大入賞口ソレノイドＯＮフラグ又は上大入賞口ソレノイドＯＦＦフラグは、例えばＲＡＭ７６のフラグセット領域に格納されるものであるが、「特別遊技管理ステータス」の値が「０４Ｈ」に更新された当初には、未だいずれのフラグもセットされていない（Ｎｏ）。したがって主制御ＣＰＵ７２は、次にステップＳ３５０８を実行する。
【０４４３】
ステップＳ３５０８：主制御ＣＰＵ７２は、特別図柄当選図柄別開閉動作パターン設定処理を実行する。この処理において、主制御ＣＰＵ７２は今回の当選図柄の種類（「特図当選１ａ〜１ｊ」、「特図当選２ａ〜２ｊ」等）に応じた当選図柄別開閉動作パターンを設定する。当選図柄別開閉動作パターンは、上大入賞口ソレノイド２１４に対するＯＮ／ＯＦＦの制御信号の出力波形に対応するものであり（図２０中（Ｄ））、具体的には当選図柄の種類に応じて初回の短期開放時間Ｔ１５、待機時間Ｔ１６、２回目の開放時間Ｔ１７、次の待機時間Ｔ１８、３回目の開放時間Ｔ１９を予め設定したものである。このような当選図柄別開閉動作パターンの設定情報は、例えばＲＯＭ７４に「特別図柄当選図柄別開閉動作パターンテーブル」として記憶されており、主制御ＣＰＵ７２は、今回の当選図柄種別に応じて設定情報を読み出し、ＲＡＭ７６の動作パターン領域に保存する。保存される設定情報は、例えば以下の項目を含む。
（１）開閉回数カウンタ最大値（初回及び２回目以降の開閉動作の合計回数）
（２）開閉回数カウンタ別の開放時間及び待機時間（初回の短期開放時間Ｔ１５、１回目の待機時間Ｔ１６、２回目の開放時間Ｔ１７、２回目の待機時間Ｔ１８、３回目の開放時間Ｔ１９等）
なお当選図柄別開閉動作パターンには、４回目以降の待機時間及び開放時間の設定情報を含むものが予め設定されていてもよい。
【０４４４】
ステップＳ３５１０：次に主制御ＣＰＵ７２は、上大入賞口ソレノイドＯＮフラグをセットする。これにより、以降の割込周期では上大入賞口ソレノイドＯＮフラグがセット済みとなり（ステップＳ３５０６：Ｙｅｓ）、上述したステップＳ３５０８及びステップＳ３５１０はスキップされる。
【０４４５】
ステップＳ３５１２：主制御ＣＰＵ７２は、スイッチ入力処理を実行する。この処理では、主制御ＣＰＵ７２は上大入賞口スイッチ２００からの入賞検出信号に基づき、可動入球役物装置２８（上大入賞口２８ｂ）への入賞球数カウンタを更新する。入賞球数カウンタの値は、例えばＲＡＭ７６のカウント数領域に記憶されている。またスイッチ入力処理においては、主制御ＣＰＵ７２は排出検知スイッチ２０６及び特定領域スイッチ８２からの各検出信号も合わせて確認する。なお、本モジュールを最初に呼び出した時点で上大入賞口ソレノイド２１４は非作動であり、上大入賞口２８ｂは未だ開放していないので、初回に入賞球数カウンタが加算されることはない。
【０４４６】
ステップＳ３５１３：次に主制御ＣＰＵ７２は、スイッチ入力処理で排出検知があったか否かを確認する。具体的には、排出検知スイッチ２０６又は特定領域スイッチ８２から検出信号が入力されたかを確認する。未だ検出信号が入力されていなければ（Ｎｏ）、主制御ＣＰＵ７２は次にステップＳ３５１４を実行する。
【０４４７】
ステップＳ３５１４：主制御ＣＰＵ７２は、入賞球数カウンタの値が最大個数（例えば４〜１０個程度）に達したか否かを確認する。上記のように本モジュールの初回呼び出し時にカウンタは加算されていないので（Ｎｏ）、主制御ＣＰＵ７２は次にステップＳ３５１６に進む。
【０４４８】
ステップＳ３５１６：主制御ＣＰＵ７２は、上大入賞口開放時間が終了したか否かを確認する。具体的には、上大入賞口開放時間タイマを参照し、その値が０以下でなければ、主制御ＣＰＵ７２は開放時間が終了していない（Ｎｏ）と判断する。この場合、主制御ＣＰＵ７２はステップＳ３５２６へジャンプする。
【０４４９】
ステップＳ３５２６：そして主制御ＣＰＵ７２は、ＲＡＭ７６のフラグセット領域から上大入賞口ソレノイドＯＮフラグを読み込み、その値に基づいて上大入賞口ソレノイド２１４の制御信号として「作動（ＯＮ）」を設定する。これにより、上大入賞口ソレノイド２１４が励磁されて上大入賞口２８ｂが開放された状態となる（図２０中（Ｄ）の時刻ｔ１３でＯＦＦ→ＯＮ）。
【０４５０】
〔初回以降のモジュール呼び出し時〕
ステップＳ３５０２：初回以降の呼び出し時、主制御ＣＰＵ７２は上大入賞口開放時間タイマがセット済みであることを確認し（Ｙｅｓ）、ステップＳ３５０４を実行する。
ステップＳ３５０４：そして主制御ＣＰＵ７２は、開放時間タイマカウントダウン処理を実行し、設定済みの開放時間タイマの値をデクリメントする。
【０４５１】
ステップＳ３５０６：ここでは既に上大入賞口ソレノイドＯＮフラグがセット済みであるため（Ｙｅｓ）、主制御ＣＰＵ７２はステップＳ３５１２にジャンプする。
【０４５２】
次回以降の本モジュール呼び出し時において、実際に上大入賞口２８ｂへの入賞が発生すると、スイッチ入力処理（ステップＳ３５１２）において入賞球数カウンタの値が加算されることになる。ただし、可動入球役物装置２８の初回の開放時に入賞が発生することは困難であるため、カウント数が最大値に達するより前に開放時間（短期開放時間Ｔ１５）が終了する（ステップＳ３５１６：Ｙｅｓ）。この場合、主制御ＣＰＵ７２はステップＳ３５１８を実行する。
【０４５３】
ステップＳ３５１８：主制御ＣＰＵ７２は、開閉回数カウンタをインクリメントする。開閉回数カウンタの値は、例えばＲＡＭ７６のカウント領域に初期値「０」で保存されており、インクリメントにより更新されていく。例えば、初回の開閉動作が終了したことに伴い、主制御ＣＰＵ７２は開閉回数カウンタの値を「０」から「１」に更新する。
【０４５４】
ステップＳ３５２０：そして主制御ＣＰＵ７２は、更新後の開閉回数カウンタの値を最大値と比較する。開閉回数カウンタの値が最大値未満であれば（Ｙｅｓ）、主制御ＣＰＵ７２は次にステップＳ３５２２を実行する。
【０４５５】
ステップＳ３５２２：主制御ＣＰＵ７２は、更新後の開放回数カウンタに応じた待機時間タイマをセットする。上記のように、開閉回数カウンタの値が「１」に更新されていれば、主制御ＣＰＵ７２は１回目の待機時間Ｔ１６（図２０中（Ｄ））に相当する待機時間タイマをセットする。
【０４５６】
ステップＳ３５２４：そして主制御ＣＰＵ７２は、ここで上大入賞口ＯＦＦフラグをＲＡＭ７６のフラグセット領域にセットする。
【０４５７】
ステップＳ３５２６：続いて主制御ＣＰＵ７２は、上大入賞口ソレノイドＯＦＦフラグの値に基づいて、上大入賞口ソレノイド２１４の制御信号として「非作動（ＯＦＦ）」を設定する。これにより、上大入賞口ソレノイド２１４が非励磁となり、上大入賞口２８ｂが閉鎖された状態となる（図２０中（Ｄ）の待機時間Ｔ１６の初期でＯＮ→ＯＦＦ）。
【０４５８】
この後の本モジュール呼び出し時において、上大入賞口開放時間タイマはセット済みでないが（ステップＳ３５０２：Ｎｏ）、待機時間タイマがセット済みである（ステップＳ３５２８：Ｙｅｓ）と主制御ＣＰＵ７２は判断する。この場合、主制御ＣＰＵ７２はステップＳ３５３０を実行する。
【０４５９】
ステップＳ３５３０：ここで主制御ＣＰＵ７２は、待機時間タイマカウントダウン処理を実行し、設定済みの待機時間タイマの値をデクリメントする。
ステップＳ３５３２：また主制御ＣＰＵ７２は、待機時間中もスイッチ入力処理を実行する。処理の内容は、先のステップＳ３５１２と同じである。
【０４６０】
ステップＳ３５３３：主制御ＣＰＵ７２は、スイッチ入力処理で排出検知があったか否かを確認する。未だ検出信号が入力されていなければ（Ｎｏ）、主制御ＣＰＵ７２は次にステップＳ３５３４を実行する。
【０４６１】
ステップＳ３５３４：そして主制御ＣＰＵ７２は、待機時間（１回目の待機時間Ｔ１６）が終了したか否かを確認する。具体的には、待機時間タイマを参照し、その値が０以下でなければ、主制御ＣＰＵ７２は待機時間が終了していない（Ｎｏ）と判断する。この場合、主制御ＣＰＵ７２はステップＳ３５２６へジャンプする。
【０４６２】
ステップＳ３５２６：この場合、主制御ＣＰＵ７２は引き続き上大入賞口ソレノイド２１４の制御信号として「非作動（ＯＦＦ）」を設定する。これにより、待機時間中は上大入賞口２８ｂが閉鎖中となる（図２０中（Ｄ）の待機時間Ｔ１６中にＯＦＦ）。
【０４６３】
この後、排出検知が有効になることなく（ステップＳ３５３３：Ｎｏ）待機時間が経過し、待機時間タイマの値が０以下になると（ステップＳ３５３４：Ｙｅｓ）、主制御ＣＰＵ７２はステップＳ３５３６を実行する。
【０４６４】
〔２回目以降の開閉動作の制御〕
ステップＳ３５３６：この場合、主制御ＣＰＵ７２は開閉回数カウンタの値に応じた上大入賞口開放時間タイマを新たにセットする。具体的には、２回目の開放時間Ｔ１７（０．８秒）に相当する上大入賞口開放時間タイマの値をセットする。
【０４６５】
ステップＳ３５３８：そして主制御ＣＰＵ７２は、上大入賞口ソレノイドＯＮフラグをセットすると、ステップＳ３５２６へジャンプする。
【０４６６】
ステップＳ３５２６：主制御ＣＰＵ７２は、ＲＡＭ７６のフラグセット領域から上大入賞口ソレノイドＯＮフラグを読み込み、その値に基づいて上大入賞口ソレノイド２１４の制御信号として「作動（ＯＮ）」を再び設定する。これにより、上大入賞口ソレノイド２１４が再度励磁され、上大入賞口２８ｂが２回目に開放された状態となる（図２０中（Ｄ）の開放時間Ｔ１７の初期でＯＦＦ→ＯＮ）。
【０４６７】
〔２回目の開放中〕
２回目の開放中、主制御ＣＰＵ７２は上大入賞口開放時間タイマがセット済みであるため（ステップＳ３５０２：Ｙｅｓ）、開放時間タイマカウントダウン処理（ステップＳ３５０４）を継続する。
【０４６８】
〔２回目の開放時間Ｔ１７終了時〕
この後、排出検知が有効にならず（ステップＳ３５１３：Ｎｏ）、またカウント数が最大値に達しないまま（ステップＳ３５１４：Ｎｏ）、２回目の開放時間Ｔ１７が経過すると、上大入賞口開放時間タイマの値が０以下になる（ステップＳ３５１６：Ｙｅｓ）。この場合、主制御ＣＰＵ７２はステップＳ３５１８を実行する。
【０４６９】
〔２回目の待機時間Ｔ１８設定〕
ステップＳ３５１８：主制御ＣＰＵ７２は、開閉回数カウンタを「２」にインクリメントする。
ステップＳ３５２０：開閉回数カウンタの最大値が「３」であるとすると、ここでは最大値未満であるため（Ｙｅｓ）、主制御ＣＰＵ７２はステップＳ３５２２を実行する。
ステップＳ３５２２：これにより、主制御ＣＰＵ７２は開閉回数カウンタが「２」であるため、２回目の待機時間Ｔ１８に相当する待機時間タイマをセットする。
【０４７０】
以後、主制御ＣＰＵ７２がステップＳ３５２４及びステップＳ３５２６を実行することにより、上大入賞口ソレノイド２１４が非励磁（ＯＦＦ）となり、上大入賞口２８ｂが閉鎖された状態となる（図２０中（Ｄ）の待機時間Ｔ１８の初期でＯＮ→ＯＦＦ）。
【０４７１】
〔２回目の待機時間Ｔ１８終了時〕
また、２回目の待機時間Ｔ１８が終了すると（ステップＳ３５３４：Ｙｅｓ）、開閉回数カウンタの値「２」に応じて３回目の開放時間Ｔ１９に相当する上大入賞口開放時間タイマがセットされる（ステップＳ３５３６）。
【０４７２】
〔３回目の開閉動作開始〕
以後、主制御ＣＰＵ７２がステップＳ３５２６を実行することにより、上大入賞口ソレノイド２１４が励磁（ＯＮ）され、上大入賞口２８ｂが開放された状態となる（図２０中（Ｄ）の開放時間Ｔ１９の初期でＯＦＦ→ＯＮ）。
【０４７３】
〔３回目の開放時間経過時〕
そして、排出検知が有効にならず（ステップＳ３５１３：Ｎｏ）、またカウント数が最大値に達しないまま（ステップＳ３５１４：Ｎｏ）、３回目の開放時間Ｔ１９が経過すると（ステップＳ３５１６：Ｙｅｓ）、主制御ＣＰＵ７２はステップＳ３５１８で開閉回数カウンタの値を「３」にインクリメントする。
【０４７４】
ステップＳ３５２０：この場合、開閉回数カウンタの値が最大値に達するため（Ｎｏ）、主制御ＣＰＵ７２はステップＳ３５２５に進むことになる。
【０４７５】
ステップＳ３５２５：主制御ＣＰＵ７２は、上大入賞口ソレノイドＯＦＦフラグをセットする。これにより、ＲＡＭ７６のフラグセット領域にセットされていたＯＮフラグがＯＦＦフラグに書き換えられる。
【０４７６】
ステップＳ３５４０：そして主制御ＣＰＵ７２は「特別遊技管理ステータス」の値を「０５Ｈ」に設定する。これにより、次回以降の本モジュールの呼び出しはされなくなり、特別遊技進行状況が次段階へ移行することになる。
【０４７７】
ステップＳ３５４２：また主制御ＣＰＵ７２は、役物装置閉鎖コマンドを設定する。このコマンドは、可動入球役物装置２８の閉鎖を演出制御装置１２４（演出制御ＣＰＵ１２６）に通知するためのものである。ここで設定されたコマンドは、演出制御出力処理（図２４中のステップＳ２１７）において演出制御装置１２４に送信される。
【０４７８】
ステップＳ３５２６：主制御ＣＰＵ７２は、ＲＡＭ７６のフラグセット領域にセットされている上大入賞口ソレノイドＯＦＦフラグの値に基づき、上大入賞口ソレノイド２１４の制御信号として「非作動（ＯＦＦ）」を設定する。これにより、上大入賞口ソレノイド２１４の励磁が停止されて上大入賞口２８ｂが閉鎖された状態となる（図２０中（Ｄ）の開放時間Ｔ１９終了時にＯＮ→ＯＦＦ）。
【０４７９】
〔排出検知時及びカウント最大時〕
なお、途中で排出検知が有効になるか（ステップＳ３５１３，Ｓ３５３３：Ｙｅｓ）、もしくはカウント数が最大値に達した場合（ステップＳ３５１４：Ｙｅｓ）、主制御ＣＰＵ７２はステップＳ３５２５以降の手順を実行する。これにより、開閉動作の途中でも上大入賞口２８ｂが閉鎖され、以後の開閉動作が行われなくなる。
【０４８０】
以上の手順を実行すると、主制御ＣＰＵ７２は残存球エラーコマンド設定処理（ステップＳ７０００）のプログラムアドレスに復帰する。また上記のように、これ以降は「特別遊技管理ステータス」の値が「０５Ｈ」に更新されているため、ひとまず（次回の特別図柄変動まで）本モジュールの呼び出しはされなくなる。
【０４８１】
〔役物装置閉鎖処理〕
次に図３５は、役物装置閉鎖処理（図３２中のステップＳ４０００）の手順例を示すフローチャートである。上記のように役物装置閉鎖処理は、「特別遊技管理ステータス」の値が「０５Ｈ」に更新された場合に実行される。以下、手順例に沿って説明する。
【０４８２】
ステップＳ４００２：先ず主制御ＣＰＵ７２は、スイッチ入力処理を実行する。この処理では、主制御ＣＰＵ７２は主に排出検知スイッチ２０６からの検出信号を確認し、排出球数カウンタの値を加算する。排出球数カウンタの値は、例えばＲＡＭ７６のカウント数領域に格納されている。また主制御ＣＰＵ７２は、この処理において特定領域スイッチ８２からの通過検出信号の有無を確認する。特定領域スイッチ８２の有効時間内に通過検出信号が入力された場合、ここで主制御ＣＰＵ７２は大当りフラグの値（０１Ｈ）をセットする。
【０４８３】
ステップＳ４００４：次に主制御ＣＰＵ７２は、有効球数管理開始タイマカウントダウン処理を実行する。この処理では、主制御ＣＰＵ７２は、上大入賞口２８ｂを通じて有効に入賞した遊技球の排出カウントを開始するタイミングを計る。有効球数管理開始タイマは、例えば初回の開閉動作開始から所定時間に設定することかできる。ここでいう所定時間は、例えば上大入賞口２８ｂに入賞した遊技球が第１ストッパ１９０に到達するまでの平均的な流下時間に基づいて設定することができる。
【０４８４】
〔有効球数管理開始前〕
ステップＳ４００８：主制御ＣＰＵ７２は、先のステップＳ４００４でカウントダウンした後の有効球数管理開始タイマの値に基づき、現時点で有効球数の管理中であるか否かを確認する。すなわち、上記の有効球数管理開始タイマ（例えば３秒程度）が未だ０に達していなければ（Ｎｏ）、主制御ＣＰＵ７２は本モジュールを終了して特別遊技管理処理に復帰する。ただし、この間に有効化されているスイッチで遊技球を検出した場合、その検出結果（排出球数）はＲＡＭ７６に記憶される。
【０４８５】
〔有効球数管理開始後〕
この後、ステップＳ４００８で有効球数管理開始タイマの値が０に達したことを確認すると（ステップＳ４００８：Ｙｅｓ）、主制御ＣＰＵ７２はステップＳ４０１０を実行する。また、既にタイマの値が０に達していた場合も同様に、主制御ＣＰＵ７２はステップＳ４０１０を実行する。
【０４８６】
ステップＳ４０１０：この場合、主制御ＣＰＵ７２は、第３ストッパモータ位置検出スイッチ２２５からの検出信号をロードする。第３ストッパモータ位置検出スイッチ２２５は、第３ストッパモータ２２４が原点位置にある場合（第３ストッパ１９４が貯留位置にある場合）にＯＮ信号を出力する。
【０４８７】
ステップＳ４０１２：そして主制御ＣＰＵ７２は、第３ストッパモータ２２４が原点位置に停止中であるか否かを判断する。上記のように、第３ストッパモータ２２４が正規の解除動作（第３ストッパ１９４を貯留位置と放出位置との間で昇降させる動作）を行っている場合、第３ストッパ１９４は未だ原点位置で停止していない。この場合、主制御ＣＰＵ７２は本モジュールを終了して特別遊技管理処理に復帰する。一方、第３ストッパモータ２２４が正規の解除動作を完了し、原点位置で停止している場合（Ｙｅｓ）、主制御ＣＰＵ７２はステップＳ４０１４以降を実行する。
【０４８８】
ステップＳ４０１４：主制御ＣＰＵ７２は、残存球排出チェック処理を実行する。この処理では、主制御ＣＰＵ７２は上述した入賞球数カウンタの値と排出球数カウンタの値とを比較する。なお排出球数カウンタの値には、中央（左）排出検知スイッチ２０６及び右側排出検知スイッチ２０６によりそれぞれ検出された遊技球の数を合計した値のほか、特定領域スイッチ８２により検出された遊技球の数も含まれる。
【０４８９】
ステップＳ４０１６：そして主制御ＣＰＵ７２は、上記の比較結果に基づいて有効球の排出が完了したか否かを判断する。すなわち、入賞球数カウンタの値より排出球数カウンタの値が小さければ、主制御ＣＰＵ７２は未だ有効球の排出が完了していないと判断する（Ｎｏ）。この場合、主制御ＣＰＵ７２は本モジュールを終了して特別遊技管理処理に復帰する。これに対し、入賞球数カウンタの値より排出球数カウンタの値が小さくなければ（両者が一致した場合）、主制御ＣＰＵ７２は有効球の排出が完了したと判断し（Ｙｅｓ）、次のステップＳ４０１８に進む。
【０４９０】
ステップＳ４０１８：ここで主制御ＣＰＵ７２は、回数切りカウンタの値をロードする。ここでいう「回数切りカウンタ」は、変動時間短縮機能を作動させる場合、その上限回数としてＲＡＭ７６の時短回数カウント領域にセットされている値である。変動時間短縮機能の非作動時（通常時）であれば、回数切りカウンタの値は通常「０」に維持されている。一方、変動時間短縮機能の作動時（時短中）であれば、回数切りカウンタの値が「４」又は「６」のいずれかを初期値として設定されている。
【０４９１】
ステップＳ４０２０：主制御ＣＰＵ７２は、ロードしたカウンタ値が０であるか否かを確認する。このとき、既に回数切りカウンタ値が０であれば（Ｙｅｓ）、主制御ＣＰＵ７２はステップＳ４０２８に進む。一方、回数切りカウンタ値が０でなかった場合（Ｎｏ）、主制御ＣＰＵ７２は次にステップＳ４０２２を実行する。
【０４９２】
ステップＳ４０２２：主制御ＣＰＵ７２は、回数切りカウンタ値をデクリメント（１減算）する。
ステップＳ４０２４：そして主制御ＣＰＵ７２は、その減算結果が０でないか否かを判断する（終了判定手段）。減算の結果、回数切りカウンタの値が０でなかった場合（Ｙｅｓ）、主制御ＣＰＵ７２はステップＳ４０２８に進む。これに対し、回数切りカウンタの値が０になった場合（Ｎｏ）、主制御ＣＰＵ７２はステップＳ４０２６を実行する。
【０４９３】
ステップＳ４０２６：ここで主制御ＣＰＵ７２は、回数切り機能作動時のフラグ（時間短縮機能作動フラグ）をリセットする。これにより、本実施形態では可動入球役物装置２８からの有効球の排出完了を契機として時間短縮状態が終了（時短ＯＦＦ）することになる（通常状態復帰手段）。したがって、これ以後に始動ゲート２０を遊技球が通過しても、普通図柄の作動条件には通常時（非時間短縮状態）の内容が適用されるため、「時間短縮状態」に比較して可変始動入賞装置２６が開放される頻度が低下することになる。
【０４９４】
ステップＳ４０２８：ここで主制御ＣＰＵ７２は、「特別遊技管理ステータス」の値を「０６Ｈ」に設定する。これにより、正規の入賞球数と排出球数とが一致したこと（ステップＳ４０１６：Ｙｅｓ）を条件として役物ゲームが終了になる（役物遊技終了手段）。
【０４９５】
ステップＳ４０３０：また主制御ＣＰＵ７２は、大当りフラグの値（０１Ｈ）がセットされているか否かを確認する。特に大当りフラグの値がセットされていなければ（Ｎｏ）、主制御ＣＰＵ７２は特別遊技管理処理に復帰する。一方、大当りフラグの値がセットされている場合（Ｙｅｓ）、主制御ＣＰＵ７２はステップＳ４０３２を実行する。
【０４９６】
ステップＳ４０３２：この場合、主制御ＣＰＵ７２は大当り状態指定コマンドを設定する。以上の手順を終えると、主制御ＣＰＵ７２は特別遊技管理処理に復帰する。
【０４９７】
〔役物装置作動終了処理〕
次に図３６は、役物装置作動終了処理（図３２中のステップＳ４５００）の手順例を示すフローチャートである。上記のように役物装置作動終了処理は、「特別遊技管理ステータス」の値が「０６Ｈ」に更新された場合に実行される。以下、手順例に沿って説明する。
【０４９８】
ステップＳ４５０２：主制御ＣＰＵ７２は、エンディング時間タイマカウントダウン処理を実行する。この処理では、主制御ＣＰＵ７２はエンディング時間タイマに初期値を設定し、その後、時間の経過に伴って（本モジュールの呼び出しごとに）タイマをカウントダウンする。このときエンディング時間タイマの初期値は、例えば可動入球役物装置２８からの有効球の排出完了時を基点として、そこから可変始動入賞装置２６の延長された開放時間（例えば５．８秒）より長い時間（特定期間）に設定される。これにより、「時間短縮状態」に移行した場合に「エンディング時間」の終了時点を跨いで可変始動入賞装置２６の開放が継続される事態の発生を抑え、可動入球役物装置２８内での遊技（役物ゲーム）終了後に特別図柄が不用意に変動してしまうことを防止することができる（始動条件充足抑制手段）。また液晶表示器４２の画面内では、この「エンディング時間」を利用して、可動入球役物装置２８内でのゲームフローを終了させるエンディング演出が行われる。
【０４９９】
ステップＳ４５０４：次に主制御ＣＰＵ７２は、エンディング時間が終了したか否かを確認する。具体的には、エンディング時間タイマの値が未だ０になっていなければ、主制御ＣＰＵ７２はエンディング時間が終了していないと判断する（Ｎｏ）。この場合、主制御ＣＰＵ７２は本モジュールを終了して特別遊技管理処理に復帰する。
【０５００】
この後、時間の経過に伴ってエンディング時間タイマの値が０になると、主制御ＣＰＵ７２はエンディング時間が終了したと判断し（Ｙｅｓ）、ステップＳ４５０６以降を実行する。
【０５０１】
ステップＳ４５０６：主制御ＣＰＵ７２は、上記の大当り状態指定コマンドの値（０１Ｈ）がセットされているか否かを確認する。特に大当り状態指定コマンドの値がセットされていない場合（Ｎｏ）、主制御ＣＰＵ７２はステップＳ４５１２に進む。これに対し、大当り状態指定コマンドの値がセットされていれば（Ｙｅｓ）、主制御ＣＰＵ７２はステップＳ４５０８に進む。
【０５０２】
ステップＳ４５０８：この場合、主制御ＣＰＵ７２は大当り状態移行コマンドを設定する。
ステップＳ４５１０：また主制御ＣＰＵ７２は、時間短縮状態指定コマンドを設定する。ここでの設定は、上述した「特図当選１」〜「特図当選３」のいずれか（通常時）、あるいは「特図当選４」又は「特図当選５」のいずれか（時間短縮機能作動時）に基づいて行われる。すなわち（１）通常時においては、「特図当選１」〜「特図当選３」のいずれについても時間短縮状態指定コマンドが「０１Ｈ」に設定される。一方、（２）時間短縮機能作動時の場合、例えば「特図当選４」については時間短縮状態指定コマンドが「０１Ｈ」に設定されるが、「特図当選５」については時間短縮状態指定コマンドがリセット値（＝００Ｈ）に維持されるものとする。
【０５０３】
以上のように、大当り状態指定コマンドの値がセットされていないか（ステップＳ４５０６：Ｎｏ）、もしくは大当り状態指定コマンドの値がセットされている場合（ステップＳ４５０６：Ｙｅｓ）にステップＳ４５０８，Ｓ４５１０を実行すると、主制御ＣＰＵ７２はステップＳ４５１２を実行する。
【０５０４】
ステップＳ４５１２：ここで主制御ＣＰＵ７２は、エンディング時間終了コマンドを設定する。このエンディング時間終了コマンドは、演出制御装置１２４（演出制御ＣＰＵ１２６）に対して可動入球役物装置２８内でのゲームフローが終了したことを通知するためのものである。ここで設定したエンディング時間終了コマンドは、演出制御出力処理（図２４中のステップＳ２１７）で演出制御装置１２４に送信される。
【０５０５】
ステップＳ４５１４：そして主制御ＣＰＵ７２は、大当り状態移行コマンドの値に基づいて「特別遊技管理ステータス」の値を設定する。すなわち、ここでは大当り状態移行コマンドの値（０１Ｈ）が設定されているか否かによって結果が異なる。具体的には、先のステップＳ４５０８で大当り状態移行コマンドを設定した場合、主制御ＣＰＵ７２は「特別遊技管理ステータス」の値を「０７Ｈ」に設定（更新）する。この場合、上記のように特別遊技管理処理において可変入賞装置作動開始処理（図３２中のステップＳ５０００）が実行されることになる。
【０５０６】
これに対し、ステップＳ４５０８を実行していない（大当り状態移行コマンドを設定していない）場合、主制御ＣＰＵ７２は「特別遊技管理ステータス」の値を「００Ｈ」に復帰させる。この場合、以後の特別遊技管理処理において可変入賞装置作動開始処理（図３２中のステップＳ５０００）は選択されず、特別図柄変動開始待ち処理（図３２中のステップＳ１５００）が実行されることになる。いずれにしても、以上の手順を実行すると主制御ＣＰＵ７２は特別遊技管理処理に復帰する。
【０５０７】
〔可変入賞装置作動開始処理〕
図３７は、可変入賞装置作動開始処理（図３２中のステップＳ５０００）の手順例を示すフローチャートである。以下、大当り状態移行コマンドが設定された場合（「特別遊技管理ステータス」の値が「０７Ｈ」に更新された場合）の処理について説明する。
【０５０８】
ステップＳ５００２：先ず主制御ＣＰＵ７２は、大当り開始待ち時間タイマカウントダウン処理を実行する。この処理では、主制御ＣＰＵ７２は大当り開始待ち時間タイマに初期値を設定し、その後、時間の経過に伴って（本モジュールの呼び出しごとに）タイマをカウントダウンする。大当り開始待ち時間タイマの初期値は、可動入球役物装置２８の作動終了時から可変入賞装置３０の作動を開始するまでの待ち時間（例えば数秒程度）として設定される。また液晶表示器４２の画面内では、この「大当り開始待ち時間」を利用して、大当り遊技の開始前演出が行われる。
【０５０９】
ステップＳ５００４：次に主制御ＣＰＵ７２は、大当り開始待ち時間が経過したか否かを確認する。すなわち、大当り開始待ち時間タイマの値が未だ０になっていなければ、主制御ＣＰＵ７２は大当り開始待ち時間が経過していないと判断する（Ｎｏ）。この場合、主制御ＣＰＵ７２は本モジュールを終了して特別遊技管理処理に復帰する。
【０５１０】
この後、時間の経過に伴って大当り開始待ち時間タイマの値が０になると、主制御ＣＰＵ７２は大当り開始待ち時間が経過したと判断し（Ｙｅｓ）、ステップＳ５００６以降を実行する。
【０５１１】
ステップＳ５００６：この場合、主制御ＣＰＵ７２は実行ラウンド数を設定する。本実施形態では、実行ラウンド数（連続作動回数）は「１６ラウンド」の１通りであるが、上述したように可動入球役物装置２８の初回開放（小当りの動作）が１ラウンド目に相当する。したがって、ここでは実行ラウンド数として残りの「１５ラウンド」を設定することとする。ここで設定した実行ラウンド数は、プログラム上で対応する値（１５回なら「１４」）として、例えばＲＡＭ７６のバッファ領域に格納される。なお、ここで実行ラウンド数を「１６ラウンド」に設定しておき、ラウンド数カウンタの初期値を「１」に設定する態様であってもよい。
【０５１２】
ステップＳ５００８：次に主制御ＣＰＵ７２は、大当り時開放タイマを設定する。ここで設定したタイマの値は、可変入賞装置３０を作動する際の１回あたりの開放時間となる。本実施形態では、大当り時開放タイマの値として例えば２９．０秒程度が設定される。この程度の開放時間であれば、その間に充分な数（例えば９個程度）の遊技球を大入賞口に入賞させることができる。
【０５１３】
ステップＳ５０１０：そして主制御ＣＰＵ７２は、大当り時インターバルタイマ（大入賞口閉鎖時間タイマ）を設定する。ここで設定したタイマの値は、大当り中のラウンド間での待機時間、又は最終ラウンド終了時の待機時間となる。なおタイマの値は、例えば２〜３秒程度に設定される。
【０５１４】
ステップＳ５０１２：そして主制御ＣＰＵ７２は「特別遊技管理ステータス」の値を「０８Ｈ」に更新し、特別遊技管理処理に復帰する。
【０５１５】
〔可変入賞装置開放処理〕
図３８は、可変入賞装置開放処理（図３２中のステップＳ５５００）の手順例を示すフローチャートである。先の可変入賞装置作動開始処理（図３７中のステップＳ５０１２）で「特別遊技管理ステータス」の値が「０８Ｈ」に更新されると、以後は可変入賞装置開放処理が実行される。この処理は主に、大当り遊技（特別遊技）中の動作として可変入賞装置３０の開閉動作を制御するためのものである。以下、手順例に沿って説明する。
【０５１６】
ステップＳ５５０２：主制御ＣＰＵ７２は、大入賞口を開放させる。具体的には、下大入賞口ソレノイド２１６に対して印加する駆動信号を出力する。これにより、可変入賞装置３０が作動して閉止状態から開放状態に移行する。
【０５１７】
ステップＳ５５０４：次に主制御ＣＰＵ７２は、開放タイマカウントダウン処理を実行する。この処理では、主制御ＣＰＵ７２は先の可変入賞装置作動開始処理（図３７中のステップＳ５００８）で設定した大当り時開放タイマのカウントダウンを実行する。
【０５１８】
ステップＳ５５０６：続いて主制御ＣＰＵ７２は、開放時間が終了したか否かを確認する。具体的には、カウントダウン処理後の大当り時開放タイマの値が０以下であるか否かを確認し、未だ開放タイマの値が０以下になっていなければ（Ｎｏ）、主制御ＣＰＵ７２は次にステップＳ５５０８を実行する。
【０５１９】
ステップＳ５５０８：主制御ＣＰＵ７２は、入賞球数カウント処理を実行する。この処理では、開放時間内に可変入賞装置３０（開放中の下大入賞口）に入賞した遊技球の個数をカウントする。具体的には、主制御ＣＰＵ７２は開放時間内にカウントスイッチ２０８から入力された入賞検出信号に基づいて、カウント数の値をインクリメントする。
【０５２０】
ステップＳ５５１０：次に主制御ＣＰＵ７２は、現在のカウント数が所定数（例えば９個）未満であるか否かを確認する。この所定数は、上記のように開放１回（大当り中の１ラウンド）あたりに許容する入賞球数の上限（賞球数の上限）を定めたものである。未だカウント数が所定数に達していなければ（Ｙｅｓ）、主制御ＣＰＵ７２は特別遊技管理処理に復帰する。そして、次に特別遊技管理処理を実行すると、現段階では特別遊技管理ステータスが「０８Ｈ」に設定されているため、主制御ＣＰＵ７２は可変入賞装置開放処理を選択し、上記のステップＳ５５０２〜ステップＳ５５１０の手順を繰り返し実行する。
【０５２１】
上記のステップＳ５５０６で開放時間が終了したと判断するか（Ｙｅｓ）、もしくはステップＳ５５１０でカウント数が所定数に達したことを確認すると（Ｎｏ）、主制御ＣＰＵ７２は次にステップＳ５５１２を実行する。
【０５２２】
ステップＳ５５１２：主制御ＣＰＵ７２は、大入賞口を閉止させる。具体的には、下大入賞口ソレノイド２１６に印加していた駆動信号の出力を停止する。これにより、可変入賞装置３０が開放状態から閉止状態に復帰する。
【０５２３】
ステップＳ５５１４：ここで主制御ＣＰＵ７２は、特別遊技管理ステータスの値を「０９Ｈ」に設定し、特別遊技管理処理に復帰する。このため、次に主制御ＣＰＵ７２が特別遊技管理処理を実行すると、ジャンプ先として次の可変入賞装置閉鎖有効処理（図３２中のステップＳ５５５０）が選択されることになる。
【０５２４】
特に図示していないが、上記のように可変入賞装置閉鎖有効処理は、可変入賞装置３０の開放から閉鎖に伴う時間を調整するために実行されるものである。この処理で主制御ＣＰＵ７２は「特別遊技管理ステータス」の値を「０ＡＨ」に更新し、特別遊技管理処理に復帰する。そして、次に主制御ＣＰＵ７２が特別遊技管理処理を実行すると、ジャンプ先として次の可変入賞装置閉鎖処理（図３２中のステップＳ６０００）が選択される。
【０５２５】
〔可変入賞装置閉鎖処理〕
図３９は、可変入賞装置閉鎖処理の手順例を示すフローチャートである。この可変入賞装置閉鎖処理は、上記のように可変入賞装置３０の閉鎖有効時間が経過した後、次の動作に移る前の内部状態を整えるためのものである。以下、具体的に説明する。
【０５２６】
ステップＳ６００２：先ず主制御ＣＰＵ７２は、大入賞口閉鎖時間タイマカウントダウン処理を実行する。この処理では、主制御ＣＰＵ７２は先の可変入賞装置作動開始処理（図３７中のステップＳ５０１０）で設定した大当り時インターバルタイマ（大入賞口閉鎖時間タイマ）のカウントダウンを実行する。
【０５２７】
ステップＳ６００４：続いて主制御ＣＰＵ７２は、閉鎖時間（インターバル時間）が終了したか否かを確認する。具体的には、カウントダウン処理後の大当り時インターバルタイマの値が０以下であるか否かを確認し、未だタイマの値が０以下になっていなければ（Ｎｏ）、主制御ＣＰＵ７２はここで可変入賞装置閉鎖処理を終了し、特別遊技管理処理に復帰する。そして、次に特別遊技管理処理を実行すると、現段階では特別遊技管理ステータスが「０ＡＨ」に設定されているため、主制御ＣＰＵ７２は可変入賞装置閉鎖処理を選択し、上記のステップＳ６００２〜ステップＳ６００４の手順を繰り返し実行する。そして、ステップＳ６００４で閉鎖時間が終了したと判断すると（Ｙｅｓ）、主制御ＣＰＵ７２は次にステップＳ６００６を実行する。
【０５２８】
ステップＳ６００６：主制御ＣＰＵ７２は、ラウンド数カウンタの値をインクリメントする。なお、ラウンド数カウンタの値は、例えば初期値を０としてＲＡＭ７６のカウント領域に記憶されている。
【０５２９】
ステップＳ６００８：主制御ＣＰＵ７２は、インクリメント後のラウンド数カウンタの値が設定した実行ラウンド数に達しているか否かを確認する。なお実行ラウンド数は、先の可変入賞装置作動開始処理（図３７中のステップＳ５００６）で設定されたものである。このとき、ラウンド数カウンタの値が未だ実行ラウンド数に達していなければ（Ｎｏ）、主制御ＣＰＵ７２は次にステップＳ６０１４に進む。
【０５３０】
〔最終ラウンド終了前〕
ステップＳ６０１４：この場合、主制御ＣＰＵ７２は、現在のラウンド数カウンタの値に基づき、ラウンド数コマンドを設定する。ここで設定したラウンド数コマンドは、演出制御出力処理（図２４中のステップＳ２１７）で演出制御装置１２４に送信される。演出制御装置１２４は、受信したラウンド数コマンドに基づいて現在のラウンド数を認識し、その結果を大当り中の演出制御に反映させることができる。
【０５３１】
ステップＳ６０１６：そして主制御ＣＰＵ７２は、特別遊技管理ステータスの値を「０ＡＨ」から変更して「０８Ｈ」に設定する。これにより、次に主制御ＣＰＵ７２が特別遊技管理処理を実行すると、主制御ＣＰＵ７２は再び可変入賞装置開放処理（図３８）を選択し、次のラウンドでの可変入賞装置３０の開放動作が実行されることになる。
【０５３２】
ステップＳ６０１８：また主制御ＣＰＵ７２は、今回のラウンド内でカウントした入賞球数カウンタをリセットする。これにより、再び可変入賞装置開放処理（図３８）が実行された場合、次回のラウンド内での入賞球数が０からカウントされることになる。
【０５３３】
〔最終ラウンド終了時〕
この後、ステップＳ６００８でラウンド数カウンタの値が設定した実行ラウンド数に達したことを確認すると（ステップＳ６００８：Ｙｅｓ）、主制御ＣＰＵ７２は次にステップＳ６０１０に進む。
【０５３４】
ステップＳ６０１０：この場合、主制御ＣＰＵ７２は今回の大当りで用いたラウンド数カウンタをリセットする。
ステップＳ６０１２：そして主制御ＣＰＵ７２は、特別遊技管理ステータスの値を「０ＡＨ」から「０ＢＨ」に更新して設定する。
ステップＳ６０１８：また主制御ＣＰＵ７２は、最終ラウンド内でカウントした入賞球数カウンタをリセットする。
【０５３５】
最終ラウンド終了時に以上の手順を実行すると、主制御ＣＰＵ７２は特別遊技管理処理に復帰する。これにより、次に主制御ＣＰＵ７２が特別遊技管理処理を実行すると、ジャンプ先として次に可変入賞装置作動終了処理（図３２中のステップＳ６５００）が選択されることになる。
【０５３６】
〔可変入賞装置作動終了処理〕
図４０は、可変入賞装置作動終了処理の手順例を示すフローチャートである。この可変入賞装置作動終了処理は、上記のように大当りエンディング時間の経過を確認するとともに、大当り遊技終了後の内部状態（特別図柄状態）を整えるためのものである。以下、具体的に説明する。
【０５３７】
ステップＳ６５０２：先ず主制御ＣＰＵ７２は、大当りエンディング時間タイマカウントダウン処理を実行する。この処理では、主制御ＣＰＵ７２は予め「大当りエンディング時間（エンディング演出時間）」として設定されている大当りエンディング時間タイマのカウントダウンを実行する。このときの「大当りエンディング時間」を利用して、液晶表示器４２の画面内では大当り遊技のエンディング演出が実行される。
【０５３８】
ステップＳ６５０４：主制御ＣＰＵ７２は、大当りエンディング時間が経過したか否かを確認する。具体的には、カウントダウン処理後の大当りエンディング時間タイマの値が０以下であるか否かを確認する。未だタイマの値が０以下になっていなければ（Ｎｏ）、主制御ＣＰＵ７２はここで特別遊技管理処理に復帰する。そして、次に特別遊技管理処理を実行すると、現段階では特別遊技管理ステータスが「０ＢＨ」に設定されているため、主制御ＣＰＵ７２は可変入賞装置作動終了処理を選択し、上記のステップＳ６５０２〜ステップＳ６５０４の手順を繰り返し実行する。そして、ステップＳ６５０４で大当りエンディング時間が経過したと判断すると（Ｙｅｓ）、主制御ＣＰＵ７２は次にステップＳ６５０６を実行する。
【０５３９】
ステップＳ６５０６：主制御ＣＰＵ７２は、特別図柄状態フラグを設定する。具体的には、先の大当り時に時短回数が０回以外の当選種類（特図当選１〜４）に該当していれば、主制御ＣＰＵ７２は時間短縮機能作動フラグ（０１Ｈ）をセットする。この場合、大当り遊技の終了後に「非時間短縮状態（通常状態）」から「時間短縮状態」に移行する（特定遊技状態移行手段）。一方、先の大当り時に時短回数が０回の当選種類（特図当選５）に該当していた場合、主制御ＣＰＵ７２は時間短縮機能作動フラグをクリア（００Ｈ）する。この場合、大当り遊技の終了後に「時間短縮状態」へは移行しない。
【０５４０】
ステップＳ６５０８：また主制御ＣＰＵ７２は、先の大当り時に決定した特別図柄停止図柄種別（特図当選１〜５）に応じて時間短縮回数を設定する。具体的には、先の当選種類が「特図当選１」であれば、時間短縮回数は「２回」に設定される。また、当選種類が「特図当選２」であれば、時間短縮回数は「４回」に設定され、当選種類が「特図当選３」であれば、時間短縮回数は「６回」に設定される。以上は「非時間短縮状態」の場合についてであるが、「時間短縮状態」の場合、当選種類が「特図当選４」であれば、時間短縮回数は「６回」に設定される。なお、当選種類が「特図当選５」であれば、時間短縮回数は特に設定されない（あるいは、「０回」に設定される。）。そして、ここで設定した時間短縮回数に基づき、回数切りカウンタの値がセットされることになる。
【０５４１】
ステップＳ６５１０：次に主制御ＣＰＵ７２は、特別図柄状態指定コマンドを設定する。ここで設定する特別図柄状態指定コマンドは、時間短縮機能の作動（ＯＮ）又は非作動（ＯＦＦ）のいずれかを表すとともに、作動（ＯＮ）の場合はその時間短縮回数を合わせて表す形式となる。また、ここで設定した特別図柄状態指定コマンドは、演出制御出力処理（図２４中のステップＳ２１７）で演出制御装置１２４に送信される。演出制御装置１２４は、受信した特別図柄状態指定コマンドに基づいて時間短縮機能の（ＯＮ）又は非作動（ＯＦＦ）を認識し、また、作動の場合は時間短縮回数を認識してその結果を通常演出に反映させることができる。
【０５４２】
ステップＳ６５１２：そして主制御ＣＰＵ７２は、特別遊技管理ステータスの値を「００Ｈ」に初期設定する。これにより、特別図柄に対応する遊技の進行状況が「変動待ち」の状態（始動条件を満たす状態）に遷移する。したがって、このとき特別図柄作動記憶数が残存していれば、制御上でその記憶を消費して特別図柄を新たに変動（始動）させることが可能となる。あるいは、特別図柄作動記憶数が残存していなければ（記憶数０）、可変始動入賞装置２６への新たな入賞を契機として作動記憶を追加し、特別図柄を変動（始動）させることが可能となる。
【０５４３】
以上の手順を終えると、主制御ＣＰＵ７２は特別遊技管理処理（図３２）に復帰し、残存球エラーコマンド設定処理（ステップＳ７０００）及びソレノイド制御処理（ステップＳ７５００）を実行した後、割込管理処理（図２４）に復帰する。これにより、以後の特別遊技管理処理では、特別図柄変動開始待ち処理（図３２中のステップＳ１５００）が選択されることになる。
【０５４４】
〔ソレノイド制御処理〕
図４１は、ソレノイド制御処理の手順例を示すフローチャートである。このソレノイド制御処理は、上記のように「特別遊技管理ステータス」の値にかかわらず、毎回の割り込みにおいて実行される。以下、手順例に沿って説明する。
【０５４５】
ステップＳ７５０１：主制御ＣＰＵ７２は、第１ストッパソレノイド２２０又は第２ストッパソレノイド２２２の作動時間タイマが既にセット済みであるか否かを確認する。なの「作動時間タイマ」には、制止時間タイマ及び解除時間タイマが含まれる。このうち制止時間タイマは、第１ストッパソレノイド２２０をＯＮの状態に維持する時間に相当する（図２０中（Ｅ）のＯＮで貯留中）。また解除時間タイマは、第１ストッパソレノイド２２０をＯＦＦの状態に維持する時間に相当する（図２０中（Ｅ）のＯＦＦで解除中）。第１ストッパソレノイド２２０がＯＮの状態であると、第１ストッパ１９０は貯留位置に移動し、第１ストッパソレノイド２２０がＯＦＦの状態であると、第１ストッパ１９０は解除位置に移動する。特に「作動時間タイマ」がセットされていなければ（Ｎｏ）、主制御ＣＰＵ７２はステップＳ７５０２，Ｓ７５０４をスキップしてステップＳ７５０６に進む。
【０５４６】
ステップＳ７５０６：主制御ＣＰＵ７２は、現在の「特別遊技管理ステータス」の値が「０４Ｈ」又は「０５Ｈ」のいずれかであるか否かを確認する。「特別遊技管理ステータス」が「０４Ｈ」に設定されるのは、遊技フロー上で可動入球役物装置２８が作動中（作動契機後）の場合である。また「特別遊技管理ステータス」が「０５Ｈ」に設定されるのは、遊技フロー上で可動入球役物装置２８が開閉動作（初回及び２回目以降）を終了した後の閉鎖状態である。未だ「特別遊技管理ステータス」が「０４Ｈ」又は「０５Ｈ」のいずれでもなければ（Ｎｏ）、主制御ＣＰＵ７２はステップＳ７５０８以降に進む。
【０５４７】
ステップＳ７５０８，Ｓ７５１０：この場合、可動入球役物装置２８が未作動であるため、主制御ＣＰＵ７２は第１ストッパソレノイド２２０及び第２ストッパソレノイド２２２に対する駆動信号をＯＦＦに設定する。これにより、第１ストッパ１９０及び第２ストッパ１９２が解除位置に移動した状態となる。
【０５４８】
この後、遊技フローの進行に伴い、「特別遊技管理ステータス」の値が「０４Ｈ」又は「０５Ｈ」に更新されると（ステップＳ７５０６：Ｙｅｓ）、主制御ＣＰＵ７２はステップＳ７５１６以降を実行する。
【０５４９】
〔第１ストッパソレノイド管理処理〕
ステップＳ７５１６：この場合、主制御ＣＰＵ７２は第１ストッパソレノイド管理処理を実行する。この処理では、主制御ＣＰＵ７２は第１ストッパソレノイド２２０用の制止時間タイマ又は解除時間タイマを設定し、第１ストッパソレノイド２２０のＯＮ又はＯＦＦを制御する。具体的な処理の内容は、別のフローチャートを用いて後述する。
【０５５０】
〔第２ストッパソレノイド管理処理〕
ステップＳ７５１８：また主制御ＣＰＵ７２は、第２ストッパソレノイド管理処理を実行する。この処理では、主制御ＣＰＵ７２は第２ストッパソレノイド２２２用の制止時間タイマを初期設定し、第２ストッパソレノイド２２２の駆動信号をＯＮに設定する。そして主制御ＣＰＵ７２は、この後のタイマカウントダウン（ステップＳ７５０４）を経てタイマの値が０以下になったか否かを確認する。未だ制止時間タイマが０以下でなければ、主制御ＣＰＵ７２はこの処理から抜けてソレノイド制御処理に復帰する。そして、時間の経過に伴い制止時間タイマが０以下であることを確認すると、主制御ＣＰＵ７２は第２ストッパソレノイド２２２の駆動信号をＯＦＦに設定する。これにより、可動入球役物装置２８の初回の開閉動作を開始契機として第２の所定時間（例えば２５．５秒程度）経過後に第２ストッパ１９２が解除される。
【０５５１】
またこの後、「特別遊技管理ステータス」の値が「０５Ｈ」以外に設定されると（ステップＳ７５０６：Ｎｏ）、主制御ＣＰＵ７２は、ソレノイド制御処理において第１ストッパソレノイド２２０及び第２ストッパソレノイド２２２の駆動信号をＯＦＦに維持する（ステップＳ７５０８，ステップＳ７５１０）。
【０５５２】
以上のようにソレノイド制御処理では、第１ストッパソレノイド２２０及び第２ストッパソレノイド２２２について、第１ストッパソレノイド管理処理（ステップＳ７５１６）又は第２ストッパソレノイド管理処理（Ｓ７５１８）でそれぞれ作動時間タイマをセットすると、その後はタイマカウントダウン処理（ステップＳ７５０２，Ｓ７５０４）を行っている。このため、「特別遊技管理ステータス」が「０４Ｈ」から「０５Ｈ」に更新されていっても、第１ストッパ１９０や第２ストッパ１９２による貯留と解除の動作を行うタイミングを正確に管理することができる。
【０５５３】
〔第１ストッパソレノイド管理処理〕
図４２は、第１ストッパソレノイド管理処理の手順例を示すフローチャートである。上記のように第１ストッパソレノイド管理処理は、「特別遊技管理ステータス」の値が「０４Ｈ」又は「０５Ｈ」に更新された場合（役物装置開放状態〜役物装置開放後閉鎖状態）に実行される。以下、手順例に沿って説明する。
【０５５４】
ステップＳ７５２０：先ず主制御ＣＰＵ７２は、解除回数カウンタが初期値であるかを確認する。解除回数カウンタの値は、例えばＲＡＭ７６のカウント領域に保存されている。「特別遊技管理ステータス」の値が「０４Ｈ」に更新され、最初に本モジュールが呼び出された場合、解除回数カウンタの値は初期値の「０」となっている（Ｙｅｓ）。このため主制御ＣＰＵ７２は、ステップＳ７５２２に進む。なお、「特別遊技管理ステータス」の値が「０４Ｈ」に更新されると、作動契機の発生に伴い可動入球役物装置２８による初回の開閉動作が行われる（図２０中（Ｄ）時刻ｔ１３で上大入賞口ソレノイド２１４がＯＦＦ→ＯＮ）。
【０５５５】
ステップＳ７５２２：次に主制御ＣＰＵ７２は、第１ストッパソレノイド２２０に対する駆動信号（ＯＮ）を出力する。駆動信号（ＯＮ）は、割込管理処理中の出力管理処理（図２４中のＳ２１５）で実際に印加される。これにより、可動入球役物装置２８による初回の開閉動作が行われたことを開始条件として、第１ストッパ１９０が制止位置に移動する（図２０中（Ｅ）時刻ｔ１３で第１ストッパソレノイド２２０がＯＦＦ→ＯＮ）。
【０５５６】
ステップＳ７５２４：また主制御ＣＰＵ７２は、解除回数カウンタを１インクリメントして更新する。これにより、解除回数カウンタの値が初期値「０」から「１」に変化する。
ステップＳ７５２６：そして主制御ＣＰＵ７２は、更新後の解除回数カウンタの値から、「第１ストッパ制止時間タイマ」の値をセットする。「第１ストッパ制止時間タイマ」の値は、例えばＲＡＭ７６のタイマ領域にセットされ、時間の経過に伴いカウントダウンされる。この「第１ストッパ制止時間タイマ」は、第１ストッパソレノイド２２０をＯＮ状態、つまり第１ストッパ１９０を貯留位置に保持する時間である（図２０中（Ｅ）のＯＮ＝貯留時）。
【０５５７】
〔制止時間タイマの設定〕
解除回数カウンタ値と第１ストッパ制止時間タイマの値との関係は、例えば今回の特別図柄当選図柄別に予め設定されている。以下の例は、第１ストッパ１９０の解除動作（貯留位置から解除位置への切換）を最大６回まで行う動作パターンを想定しているが、当選図柄に応じて最大回数は６回以外に設定されていてもよい。また、個々のタイマＴＳ１〜ＴＳ６等の値も当選図柄に応じて予め異なる値が設定されているものとする。
解除回数カウンタ値「１」：制止時間タイマＴＳ１（５秒程度）
解除回数カウンタ値「２」：制止時間タイマＴＳ２（０．８秒程度）
解除回数カウンタ値「３」：制止時間タイマＴＳ３（１．５秒程度）
解除回数カウンタ値「４」：制止時間タイマＴＳ４（１．２秒程度）
解除回数カウンタ値「５」：制止時間タイマＴＳ５（２．２秒程度）
解除回数カウンタ値「６」：制止時間タイマＴＳ６（１．８秒程度）
【０５５８】
〔第１ストッパ制止時間タイマカウントダウン中〕
この後、主制御ＣＰＵ７２が先のソレノイド制御処理（図４１）に復帰すると、既に作動時間タイマ（ここでは「第１ストッパ制止時間タイマ」）がセット済みである（図４１中のステップＳ７５０１：Ｙｅｓ）。このため、主制御ＣＰＵ７２は第１ストッパタイマカウントダウン処理（図４１中のステップＳ７５０２）を実行し、セット済みのタイマ値を減算していく。
【０５５９】
〔図４２：第１ストッパソレノイド管理処理の呼び出し時〕
ステップＳ７５２０：次回以降に本モジュールを呼び出すと、主制御ＣＰＵ７２は解除回数カウンタが初期値から変更されていることを確認し（Ｎｏ）、ステップＳ７５２８に進む。
【０５６０】
ステップＳ７５２８：次に主制御ＣＰＵ７２は、「第１ストッパ制止時間タイマ」の値が０以下（カウントアップ）であるかを確認する。未だ「第１ストッパ制止時間タイマ」が０より大きい場合（Ｎｏ）、主制御ＣＰＵ７２はここで本モジュールを抜けてソレノイド制御処理（図４１）に復帰し、第１ストッパ制止時間タイマのカウントダウンを繰り返す（図４１中のステップＳ７５０２）。
【０５６１】
〔図４２：第１ストッパ制止時間タイマカウントアップ時〕
この後、第１ストッパ制止時間タイマの値が０（カウントアップ）になると（ステップＳ７５２８：Ｙｅｓ）、主制御ＣＰＵ７２はステップＳ７５２９に進む。
【０５６２】
ステップＳ７５２９：ここで主制御ＣＰＵ７２は、今度は「第１ストッパ解除時間タイマ」がセット済みであるかを確認する。「第１ストッパ解除時間タイマ」の値もまた、例えばＲＡＭ７６のタイマ領域にセットされ、時間の経過に伴いカウントダウンされる。この「第１ストッパ解除時間タイマ」は、第１ストッパソレノイド２２０をＯＦＦ状態、つまり第１ストッパ１９０を解除位置に移動させている時間である（図２０中（Ｅ）のＯＦＦ＝解除時）。
【０５６３】
〔１回目の解除動作時〕
最初に「第１ストッパ制止時間タイマ」がカウントアップしたタイミングでは、未だ「第１ストッパ解除時間タイマ」の値がセットされていない（ステップＳ７５２９：Ｎｏ）。このため主制御ＣＰＵ７２は、ステップＳ７５３０以降を実行する。
【０５６４】
ステップＳ７５３０：主制御ＣＰＵ７２は、第１ストッパソレノイド２２０に対する駆動信号（ＯＦＦ）を出力する。駆動信号（ＯＦＦ）もまた、割込管理処理中の出力管理処理（図２４中のＳ２１５）で実際に出力される。これにより、第１ストッパ１９０が制止位置から解除位置に移動し、１回目の解除動作が行われる（図２０中（Ｅ）で第１ストッパソレノイド２２０の１回目にＯＮ→ＯＦＦ）。
【０５６５】
ステップＳ７５３２：次に主制御ＣＰＵ７２は、解除回数カウンタの値が最大値に達しているかを確認する。今回の例では最大値が「６」であるが、この段階で解除回数カウンタの値は「１」であるため（Ｎｏ）、主制御ＣＰＵ７２はステップＳ７５３４を実行する。
【０５６６】
ステップＳ７５３４：この場合、主制御ＣＰＵ７２は現在の解除回数カウンタの値から「第１ストッパ解除時間タイマ」の値をセットする。「第１ストッパ解除時間タイマ」の値もまた、例えばＲＡＭ７６のタイマ領域（アドレスは異なる）にセットされ、時間の経過に伴いカウントダウンされる。この「第１ストッパ解除時間タイマ」は、第１ストッパソレノイド２２０をＯＦＦの状態、つまり第１ストッパ１９０を解除位置に移動させている時間である（図２０中（Ｅ）のＯＦＦ＝解除時）。
【０５６７】
〔解除時間タイマの設定〕
解除回数カウンタ値と第１ストッパ解除時間タイマの値との関係もまた、例えば今回の特別図柄当選図柄別に予め以下のように設定されている。また以下の例において、個々のタイマＴＲ１〜ＴＲ６等の値も当選図柄に応じて予め異なる値が設定されているものとする。
解除回数カウンタ値「１」：解除時間タイマＴＲ１（０．５秒程度）
解除回数カウンタ値「２」：解除時間タイマＴＲ２（０．５秒程度）
解除回数カウンタ値「３」：解除時間タイマＴＲ３（０．５秒程度）
解除回数カウンタ値「４」：解除時間タイマＴＲ４（０．５秒程度）
解除回数カウンタ値「５」：解除時間タイマＴＲ５（０．５秒程度）
なお、ここでは解除回数カウンタの値に関わらず、解除時間タイマＴＲ１〜ＴＲ５を同じ値としているが、個々に値を異ならせてもよい。なお、解除回数カウンタの値が最大値に達した場合、それ以上は第１ストッパ１９０が貯留位置に移動されることはないので、元から解除時間タイマの値は設定されていない。
【０５６８】
ステップＳ７５３６：そして主制御ＣＰＵ７２は、「第１ストッパ解除時間タイマ」の値が０以下（カウントアップ）であるかを確認する。先のステップＳ７５３４で「第１ストッパ解除時間タイマ」の値をセットした時点では、当然に「第１ストッパ解除時間タイマ」が０より大きいため（Ｎｏ）、主制御ＣＰＵ７２はここで本モジュールを抜けてソレノイド制御処理（図４１）に復帰する。
【０５６９】
主制御ＣＰＵ７２がソレノイド制御処理（図４１）に復帰すると、既に作動時間タイマ（ここでは「第１ストッパ解除時間タイマ」）がセット済みである（図４１中のステップＳ７５０１：Ｙｅｓ）。このため、主制御ＣＰＵ７２は第１ストッパタイマカウントダウン処理（図４１中のステップＳ７５０２）を実行し、セット済みのタイマ値を減算していく。
【０５７０】
〔図４２：第１ストッパ制止時間タイマカウントダウン中〕
以後の主制御ＣＰＵ７２による本モジュールの呼び出し時には、解除回数カウンタの値が初期値ではなく（ステップＳ７５２０：Ｎｏ）、かつ、「第１ストッパ解除時間タイマ」がセット済みであり（ステップＳ７５２９：Ｙｅｓ）、さらに「第１ストッパ解除時間タイマ」の値が０より大きいため（ステップＳ７５３６：Ｎｏ）、主制御ＣＰＵ７２はここで本モジュールを抜けてソレノイド制御処理（図４１）に復帰する。復帰後は、上記のように主制御ＣＰＵ７２は「第１ストッパ解除時間タイマ」のカウントダウンを行う（図４１中のステップＳ７５０２）。
【０５７１】
〔図４２：第１ストッパ解除時間タイマカウントアップ時〕
この後、第１ストッパ解除時間タイマの値が０（カウントアップ）になると（ステップＳ７５２８：Ｙｅｓ）、主制御ＣＰＵ７２はステップＳ７５２２に進む。
【０５７２】
〔第１ストッパ貯留〕
ステップＳ７５２２：この場合、主制御ＣＰＵ７２は、第１ストッパソレノイド２２０に対する駆動信号（ＯＮ）を出力する。これにより、１回目の解除後に第１ストッパ１９０が再び制止位置に移動する（図２０中（Ｅ）第１ストッパソレノイド２２０の２回目の貯留ＯＦＦ→ＯＮ）。
【０５７３】
〔２回目の第１ストッパ制止時間タイマセット〕
ステップＳ７５２４：また主制御ＣＰＵ７２は、解除回数カウンタを１インクリメントして更新する。これにより、解除回数カウンタの値が「１」から「２」に変化する。
ステップＳ７５２６：そして主制御ＣＰＵ７２は、更新後の解除回数カウンタの値から２回目の「第１ストッパ制止時間タイマ」の値（ＴＳ２）をセットする。
【０５７４】
以後は同様に、主制御ＣＰＵ７２が先のソレノイド制御処理（図４１）に復帰すると、主制御ＣＰＵ７２は第１ストッパタイマカウントダウン処理（図４１中のステップＳ７５０２）を実行し、セット済みのタイマ値を減算していく。
【０５７５】
〔第１ストッパ制止時間タイマカウントダウン中〕
次回以降の第１ストッパソレノイド管理処理を呼び出し時、主制御ＣＰＵ７２は解除回数カウンタが初期値から変更されており（ステップＳ７５２０Ｎｏ）、かつ、「第１ストッパ制止時間タイマ」が０より大きいことを確認（ステップＳ７５２８：Ｎｏ）すると、本モジュールを抜けてソレノイド制御処理（図４１）に復帰する。これにより、２回目の「第１ストッパ制止時間タイマ」のカウントダウンが進行していくことになる（図４１中のステップＳ７５０２）。この間、第１ストッパ１９０は制止位置に維持されている（図２０中（Ｅ）の２回目の貯留時）。
【０５７６】
〔図４２：第１ストッパ制止時間タイマカウントアップ時〕
またこの後、第１ストッパ制止時間タイマの値が０（カウントアップ）になると（ステップＳ７５２８：Ｙｅｓ）、主制御ＣＰＵ７２は第１ストッパソレノイド２２０に対する駆動信号（ＯＦＦ）を出力する（ステップＳ７５３０）。そして、主制御ＣＰＵ７２は次の「第１ストッパ解除時間タイマ」の値をセットし（ステップＳ７５３４）、ソレノイド制御処理（図４１）に復帰して「第１ストッパ解除時間タイマ」のカウントダウンを繰り返すことになる。
【０５７７】
以後は上記の手順が繰り返され、更新後の解除回数カウンタの値「３」〜「６」に基づいて「第１ストッパ制止時間タイマ」の値がセットされて第１ストッパソレノイド２２０がＯＮ状態に切り替えられる。また、タイマカウントアップ後は第１ストッパソレノイド２２０がＯＦＦ状態に切り替えられるとともに、解除回数カウンタの値「３」〜「５」に基づいて「第１ストッパ制止時間タイマ」の値がセットされてタイマカウントダウンが実行される。
【０５７８】
〔解除回数カウンタ最大値到達時〕
そして、例えば６回目に第１ストッパソレノイド２２０がＯＮ状態に切り替えられた後、「第１ストッパ制止時間タイマ」がカウントアップすると（ステップＳ７５２８：Ｙｅｓ）、第１ストッパソレノイド２２０がＯＦＦ状態に切り替えられる（ステップＳ７５３０）。この場合、解除回数カウンタの値が最大値の「６」に達しているため（ステップＳ７５３２：Ｙｅｓ）、主制御ＣＰＵ７２はステップＳ７５３４以降を実行することなく、ソレノイド制御処理（図４１）に復帰する。
【０５７９】
以上のように、ソレノイド制御処理（図４１）及び第１ストッパソレノイド管理処理（図４２）を主制御ＣＰＵ７２が実行することで、可動入球役物装置２８による開閉動作に伴い、第１ストッパソレノイド２２０をＯＮ状態又はＯＦＦ状態に制御する。これにより、予め決まった動作パターンで第１ストッパ１９０の解除動作を実行させることができる（解除動作実行手段）。
【０５８０】
〔排出検知時〕
なお、途中で排出検知スイッチ２０６又は特定領域スイッチ８２から検出信号が入力されると、「特別遊技管理ステータス」の値が「０４Ｈ」又は「０５Ｈ」以外（例えば「０６Ｈ」又は「０７Ｈ」）に更新される。この場合、ソレノイド制御処理の中で主制御ＣＰＵ７２は直ちに第１ストッパソレノイド２２０をＯＦＦ状態に切り替える（図４１中のステップＳ７５０６：Ｎｏ、ステップＳ７５０８）。これにより、「第１ストッパ制止時間タイマ」のカウントダウン中であっても、排出検知により第１ストッパ１９０を解除位置に移動させることができる（図２０中（Ｅ）の排出検知でＯＦＦ）。
【０５８１】
〔モータ管理処理〕
次に図４３は、割込管理処理の中で実行されるモータ管理処理（図２４中のステップＳ２１０）の手順例を示すフローチャートである。主制御ＣＰＵ７２は、このモータ管理処理において第３ストッパ１９４での排出処理を実行することができる。以下、手順例に沿って説明する。
【０５８２】
ステップＳ２８００：先ず主制御ＣＰＵ７２は、原点監視処理を実行する。この処理では、主制御ＣＰＵ７２は第３ストッパモータ２２４の原点位置（貯留位置又はそれ以外）を監視する必要があるか否かを確認し、監視する必要があれば、第３ストッパモータ位置検出スイッチ２２５からの検出信号を取得する。なお、その他の各種モータ（ルート振分体モータ２１８、第１回転体モータ２２６、第２回転体モータ２２８）についても、それぞれの原点位置を検出する必要があれば、所望により各モータインデックスセンサ（図示していない）からインデックス信号を取得することとしてもよい。
【０５８３】
ステップＳ２８０２：次に主制御ＣＰＵ７２は、各種モータについて電源投入時動作が完了しているか否かを確認する。このときパチンコ機１の電源投入直後であり、未だ各種モータについて電源投入時の動作が完了していなければ（Ｎｏ）、主制御ＣＰＵ７２はステップＳ２８０４を実行する。
【０５８４】
ステップＳ２８０４：この場合、主制御ＣＰＵ７２は電源投入時動作処理を実行する。これにより、例えばルート振分体モータ２１８、第１回転体モータ２２６及び第２回転体モータ２２８は、それぞれ一定方向に一定速度で回転を開始する。また第３ストッパモータ２２４は、所定の電源投入時動作パターンを実行した後に原点位置で停止する。この後、第３ストッパモータ２２４について電源投入時動作が完了すると、先のステップＳ２８０２で動作完了（Ｙｅｓ）と判定されるため、以後はステップＳ２８０４がスキップされる。
【０５８５】
ステップＳ２８０６：また主制御ＣＰＵ７２は、可動入球役物装置２８の作動に備えて「特別遊技管理ステータス」の値が「０３Ｈ」に更新されたか否かを監視する。未だ値が「０３Ｈ」に更新されていない間（Ｎｏ）、主制御ＣＰＵ７２はステップＳ２８０８をスキップする。遊技フローの中で可動入球役物装置２８の作動契機（特別図柄の確定停止時）が発生し、「特別遊技管理ステータス」が「０３Ｈ」に更新されると（Ｙｅｓ）、主制御ＣＰＵ７２はステップＳ２８０８を実行する。
【０５８６】
ステップＳ２８０８：この場合、主制御ＣＰＵ７２は作動契機発生後第３ストッパモータ動作パターン設定処理を実行する。この処理では、主制御ＣＰＵ７２は作動契機発生時の第３ストッパモータ２２４が行う動作パターンを設定する。この動作パターンは、例えば〔１〕第１停止時間の停止、〔２〕第１回転時間のＣＷ方向回転、〔３〕第２停止時間の停止、〔４〕ＣＣＷ方向回転、〔５〕原点位置停止（ここまで不正球の排出動作）、〔６〕第３停止時間の停止、〔７〕第１回転時間のＣＷ方向回転、〔８〕第２停止時間の停止、〔９〕ＣＣＷ方向回転、そして〔１０〕原点位置停止（ここまで正規の解除動作）である。したがって主制御ＣＰＵ７２は、ここで上記〔１〕〜〔１０〕の動作に必要な各種タイマの値を設定し、また、モータ駆動パターンテーブルの設定を行う。モータ駆動パターンテーブルは、第３ストッパモータ２２４に対する駆動信号の印加パターンを回転方向（ＣＷ／ＣＣＷ）別に規定したものである。なお「不正球の排出動作」は、可動入球役物装置２８の作動前から第３ストッパ１９４に遊技球が置かれていた場合、そのような不正球を排出する動作である。
【０５８７】
ステップＳ２８１０：次に主制御ＣＰＵ７２は、動作パターンが設定済みであるか否かを確認する。先のステップＳ２８０８で排出動作パターンを設定済みであれば（Ｙｅｓ）、主制御ＣＰＵ７２はステップＳ２８１２を実行する。
【０５８８】
ステップＳ２８１２：ここで主制御ＣＰＵ７２は、役物ゲームの終了に備えて「特別遊技管理ステータス」の値が「０６Ｈ」に更新されたか否かを監視する。未だ値が「０６Ｈ」に更新されていなければ（Ｎｏ）、主制御ＣＰＵ７２はステップＳ２８１４を実行する。
【０５８９】
ステップＳ２８１４：主制御ＣＰＵ７２は、第３ストッパモータ管理処理を実行する。この処理では、先のステップＳ２８０８で設定した動作パターンに基づいて第３ストッパモータ２２４の駆動状態を制御する。これにより、第３ストッパモータ２２４が上記〔１〕〜〔１０〕の動作を順に実行し、第３ストッパ１９４での排出処理が行われた後、正規の解除が行われる。
【０５９０】
この後、全ての動作パターンを実行すると、主制御ＣＰＵ７２はステップＳ２８１４の中で動作パターンの設定をリセットする。これにより、以後はステップＳ２８１０で動作パターンが未設定である（Ｎｏ）と判断されるため、ステップＳ２８１２，Ｓ２８１４はスキップされることになる。
【０５９１】
一方、全ての動作パターンを実行し終える前に役物ゲームが終了すると、「特別遊技管理ステータス」が「０６Ｈ」に更新される（ステップＳ２８１２：Ｙｅｓ）。この場合、主制御ＣＰＵ７２はステップＳ２８１６を実行する。
【０５９２】
ステップＳ２８１６：この場合、主制御ＣＰＵ７２は設定済みの動作パターンをリセットする。これにより、同じく以後はステップＳ２８１０で動作パターンが未設定である（Ｎｏ）と判断されるため、ステップＳ２８１２，Ｓ２８１４はスキップされることになる。
【０５９３】
ステップＳ２８１８：また主制御ＣＰＵ７２は、大当り遊技に備えて「特別遊技管理ステータス」が「０６Ｈ」より大きい値に更新されたか否かを監視する。特に「特別遊技管理ステータス」が「０６Ｈ」より大きい値に更新されていなければ（Ｎｏ）、主制御ＣＰＵ７２はステップＳ２８２０をスキップし、割込管理処理に復帰する。
【０５９４】
これに対し、遊技フローが大当り開始演出中状態以降に進行すると、「特別遊技管理ステータス」の値が「０７Ｈ」に更新される（ステップＳ２８１８：Ｙｅｓ）。この場合、主制御ＣＰＵ７２は（ステップＳ）２８２０を実行する。
【０５９５】
ステップＳ２８２０：そして主制御ＣＰＵ７２は、大当り時モータ管理処理を実行する。この処理では、主制御ＣＰＵ７２は例えば大当り遊技中の第３ストッパモータ２２４の動作パターンを設定し、その動作パターンに基づいて第３ストッパモータ２２４の駆動状態を制御する。これにより、大当り遊技中に第３ストッパ１９４が予め設定されたパターンで動作（例えばラウンド間に昇降）する。以上の手順を終えると、主制御ＣＰＵ７２は割込管理処理に復帰する。
【０５９６】
以上のようにモータ管理処理では、特別図柄の確定停止を作動契機とした第３ストッパモータ２２４の動作パターンを設定し、その後は動作パターン終了又はリセットまで動作パターンに基づいて第３ストッパモータ２２４の駆動を制御している。このため、「特別遊技管理ステータス」が「０３Ｈ」から「０４Ｈ」、「０５Ｈ」に更新されていく過程で、上大入賞口２８ｂの開放や閉鎖と並行して排除処理を行った後、正規のタイミングで解除動作を実行することができる。
【０５９７】
〔表示出力管理処理〕
図４４は、割込管理処理の中で実行される表示出力管理処理（図２４中のステップＳ２１６）の構成例を示すフローチャートである。表示出力管理処理は、特別図柄表示設定処理（ステップＳ１２００）、普通図柄表示設定処理（ステップＳ１２１０）、状態表示設定処理（ステップＳ１２２０）、特別図柄作動記憶表示設定処理（ステップＳ１２３０）、普通図柄作動記憶表示設定処理（ステップＳ１２４０）のサブルーチン群を含む構成である。
【０５９８】
このうち特別図柄表示設定処理（ステップＳ１２００）と普通図柄表示設定処理（ステップＳ１２１０）、特別図柄作動記憶表示設定処理（ステップＳ１２３０）、普通図柄作動記憶表示設定処理（ステップＳ１２４０）については、既に述べたように特別図柄表示装置３４、普通図柄表示装置３３、普通図柄作動記憶ランプ３３ａ及び特別図柄作動記憶ランプ３４ａの各ＬＥＤに対して印加する駆動信号を生成及び出力する処理である。
【０５９９】
状態表示設定処理（ステップＳ１２２０）については、状態表示ランプ３６〜３９の各ＬＥＤに対して印加する駆動信号を生成及び出力する処理である。すなわち状態表示設定処理では、主制御ＣＰＵ７２は、時間短縮機能作動フラグに値（０１Ｈ）がセットされていれば、主制御ＣＰＵ７２は状態表示ランプ３６〜３９に対応するＬＥＤに対して点灯信号を出力する。一方、時間短縮機能作動フラグがクリア（００Ｈ）されていれば、主制御ＣＰＵ７２は状態表示ランプ３６〜３９に対応するＬＥＤに対する点灯信号を出力しない。これにより、特別図柄状態に応じて状態表示ランプ３６〜３９のＯＮ又はＯＦＦが制御されることになる。
【０６００】
以上のように本実施形態のパチンコ機１では、主制御ＣＰＵ７２による制御処理の実行に伴って普通図柄遊技が進行した後、その結果に応じて特別図柄遊技の進行状況が遷移していく。さらに特別図柄遊技では、可動入球役物装置２８内での遊技球の振り分け動作の結果に応じて大当り遊技又は通常遊技へと進行状況が大きく分岐することになる。
【０６０１】
このため本実施形態では、実際の遊技の進行状況に応じて主に液晶画像を用いた演出を行い、遊技者に進行状況の遷移を分かりやすく伝達している。以下、液晶画像を用いた演出について例を挙げて説明する。
【０６０２】
〔通常演出例〕
図４５及び図４６は、通常遊技中に実行される画像を用いた演出例の流れを示す連続図である。通常遊技中の演出は、主に普通図柄の変動表示及び停止表示に対応して実行される。以下、順を追って説明する。
【０６０３】
図４５中（Ａ）：例えば、液晶表示器４２の画面の上部領域に３つの演出図柄が表示されている。３つの演出図柄は、例えば左演出図柄、中演出図柄、右演出図柄であり（参照符号なし）、それぞれ数字の「１」〜「７」のいずれかを表示した状態で停止している。この例では、左演出図柄と右演出図柄に比較して中演出図柄の大きさが一回り小さい。また、各演出図柄はいわゆる「図柄例」としては表示されておらず、個々に単独の演出図柄として表示されている。
【０６０４】
また画面内の右下位置には、普通図柄の表示態様に対応した第４図柄ＦＺ４とともに、特別図柄の表示態様に対応した特別演出図柄ＴＺ１が表示されている。ここで第４図柄ＦＺ４は、上述した３つの左演出図柄、中演出図柄及び右演出図柄に続く「第４の演出図柄」を意味している。また特別演出図柄ＴＺ１については、これ単独で特別図柄の表示態様に対応している。
【０６０５】
さらに画面内の右下位置には、普通図柄の作動記憶数に対応した普図記憶数マーカＦＭが表示されている。普図記憶数マーカＦＭは、例えばハート形状のシンボルマークを最大で４つ表示することにより、普通図柄の作動記憶数を演出として表示するものである。この例では、４つの普図記憶数マーカＦＭが表示されていることで、現在の作動記憶数が４個であることを表している。
【０６０６】
その他に画面内には、図示しない背景画像とともに女性キャラクターが中央位置に表示されている。この例では、一人の女性キャラクターが静かにたたずんでいる様子が演出的に表示されている。
【０６０７】
〔変動表示演出〕
図４５中（Ｂ）：普通図柄の変動開始に伴い、３つの演出図柄を用いた変動表示演出が実行される。このとき３つの演出図柄の変動表示は、例えば１ライン表示のリールが回転している態様で表現されている。このとき第４図柄ＦＺ４についても変動表示を開始する。第４図柄ＦＺ４の変動表示は、例えばその表示色を様々に変化させる態様で表現されている。なお、このとき特別図柄は変動していないため、特別演出図柄ＴＺ１については停止表示のままである。
【０６０８】
また普通図柄の変動開始に伴い、それまで４つあった普図記憶数マーカＦＭの表示数が１つ減少し、残りの３つが順送りで画面中央方向へ移動していく様子が演出的に表現されている。これにより、遊技者に対して「普通図柄の変動開始により、作動記憶数が１つ減少した（消費された）」ことを伝達することができる。
【０６０９】
またこのとき、例えば画面の左側から何らかのアイテム（例えばプレゼント箱）が出現し、それに対して女性キャラクターが何らかの反応（例えば「小さい驚き」）を示す態様により予告演出が行われる。このような予告演出は、今回の変動表示がリーチに発展したり、あるいは、最終的に当りになったりする可能性があることを示唆するものとなる。
【０６１０】
〔左演出図柄停止〕
図４５中（Ｃ）：変動表示演出の中期にさしかかると、先ず左演出図柄が停止表示される。この例では、数字の「３」を表す態様で左演出図柄の停止表示が行われている。その他の中演出図柄及び右演出図柄については、未だ変動表示中である。また第４図柄ＦＺ４についても同様に、変動表示が継続されている。
【０６１１】
また予告演出の態様は、先に出現したアイテムが画面右側へ通り過ぎていき、これを女性キャラクターが静かに見送っていくという内容に変化している。このような予告演出の態様により、「今回の変動では特に大きな変化がない」ということを遊技者に想起させることができる。
【０６１２】
〔図４６：右演出図柄停止〕
図４６中（Ｄ）：変動表示演出の中後期に至ると、続いて右演出図柄が停止表示される。この例では、数字の「５」を表す態様で右演出図柄の停止表示が行われている。残りの中演出図柄については、未だ変動表示中である。また第４図柄ＦＺ４についても変動表示が継続されている。
【０６１３】
予告演出の態様は、先に出現したアイテムがいよいよ画面右側端から過ぎ去っていき、これを女性キャラクターがそのまま見送くるという内容に変化している。このような予告演出の態様により、「今回の変動では特に変化がなかった（非当選の可能性が高い）」ということを遊技者に想起させることができる。なお、本実施形態では普通図柄に対応する「当選Ｂ」の当り確率が１．０４分の１であり、確率的に非当選は発生しにくいが、通常時の「当選Ｂ」は「演出上の非当選」として扱っている。これは、通常時に「当選Ｂ」に該当しても、可変始動入賞装置２６の作動時間が０．０８秒程度と極端に短時間であるため、実質的に可変始動入賞口２６ａへの入賞は困難であるからである。このため以下では、通常時の「当選Ｂ」についても「演出上の非当選」として説明することとする。
【０６１４】
〔中演出図柄停止〕
図４６中（Ｅ）：変動表示演出の終期に至ると、最後に中演出図柄が停止表示される。この例では、数字の「２」を表す態様で中演出図柄の停止表示が行われている。また第４図柄ＦＺ４についても最終的に停止表示されている。このとき、３つの演出図柄が不揃いな３つの数字の組み合わせ態様（例えば「３」−「２」−「５」）で停止表示されることにより、普通図柄の停止表示に対応した結果表示演出が行われている。このような結果表示演出の態様により、今回の変動では普通図柄が演出上非当選の態様（通常時の「当選Ｂ」）で停止表示されたことを遊技者に伝達することができる。なお、内部的に「当選Ｂ」に該当していた場合、第４図柄ＦＺ４は「当選Ｂ」に対応する態様で停止表示されている。
【０６１５】
その他、画面の右下位置では新たに普図記憶数マーカＦＭが追加表示されることで、普通図柄の作動記憶数が４つに変化したことが演出的に表現されている。また画面中央の女性キャラクターは、変動表示演出の終了に合わせてポーズをとり、今回の変動表示が演出上非当選で終了したことを表す態様で表示されている。
【０６１６】
この後も同様にして、通常遊技中に普通図柄の変動表示及び停止表示が行われると、それに対応して演出図柄を用いた変動表示演出や結果表示演出が実行される。
【０６１７】
〔普図当り演出〕
図４７及び図４８は、通常遊技中の当り変動時に実行される画像を用いた演出例の流れを示す連続図である。
【０６１８】
図４７中（Ｉ）：この例では、変動表示演出の中期に左演出図柄が停止表示され、そこに遅れて予告演出が実行された様子が示されている。このように、予告演出が通常より遅れたタイミングで実行されることにより、遊技者に対して何らかの違和感を抱かせ、その後の演出の変化に注目させることができる。
【０６１９】
〔リーチ状態の発生〕
図４７中（ＩＩ）：この例では、変動表示演出の中後期に右演出図柄が停止表示され、演出上でリーチ状態が発生している。すなわち、左演出図柄と右演出図柄の両方が数字の「７」を表す態様で停止表示されたことで、演出上でリーチ状態が発生している。なお、中演出図柄は未だ変動表示中である。
【０６２０】
また、先の予告演出で出現したアイテムが画面の中央位置で変化することにより、リーチ後予告演出が実行されている。この例では、プレゼント箱の蓋が開かれ、その中から何らかの物体が出現した様子が演出的に表現されている。このようなリーチ後予告演出を実行することにより、遊技者に対して「このリーチが当りになるかも知れない」という期待感を抱かせ、最後まで演出の成り行きに興味を惹き付けておくことができる。
【０６２１】
〔リーチ演出〕
図４７中（III）：リーチ状態の発生後、例えば中演出図柄が画面の中央位置で拡大表示されるとともに、その変動がスローモーション化されることにより、リーチ演出が実行されている。この例では、中演出図柄が数字の「６」から「７」にゆっくりと変化していく様子が演出的に表現されている。このようなリーチ演出を実行することにより、遊技者に対して「いよいよ当りになるかも知れない」という緊張感を抱かせることができる。
【０６２２】
〔図４８：当り演出〕
図４８中（ＩＶ）：今回の変動が当り（作動抽選での当選）であった場合、これに対応して当り演出が実行される。なお本実施形態では、通常時に「当選Ａ」に該当した場合、このような当り演出を実行するものとする（「当選Ｂ」は演出上非当選）。この例では、画面中央位置に拡大表示された中演出図柄が数字の「７」を表す態様で停止表示されることで、リーチ状態から最終的に当りになったことが演出上で表現されている。なお、実際に普通図柄表示装置３３で停止表示が行われるまでの間、第４図柄ＦＺ４は変動表示されている。
【０６２３】
図４８中（Ｖ）：普通図柄の停止表示に同期して、３つの演出図柄が確定停止表示される。この例では、画面上部位置に３つの演出図柄が元の大きさで停止表示されるとともに、同じ数字の組み合わせ（「７」−「７」−「７」）が表示されることで、演出上で今回の変動が当り（「当選Ａ」）になったことを遊技者に伝達している。また第４図柄ＦＺ４についても、当りの態様（例えば赤色）で停止表示されている。また画面中央位置では、女性キャラクターが何らかの台詞（例えば「やったね」）を発することで、遊技者に対して当りを実感させる演出が行われている。
【０６２４】
〔図２０に示される動作との関係〕
なお図４７及び図４８に示される演出は、例えば図２０中（Ａ）で普通図柄の変動時間Ｔ１１内に実行される。
【０６２５】
〔普図当り後演出〕
図４８中（ＶＩ）：続いて、画面中央位置で普図当り後演出が実行される。この例では、女性キャラクターが「左に入れてね。」という台詞を発するとともに、その台詞を表した吹き出しの中に左向きの大きな矢印が表示されている。このような普図当り後演出により、遊技者に対して「次は盤面左側の可変始動入賞装置２６に入賞させる必要がある」ということを想起させ、以後の遊技の進行を促進することができる。このような演出は、例えば図２０中（Ａ）で普通図柄の停止図柄確定時間Ｔ１２から、図２０中（Ｂ）で普通電動役物ソレノイド２１２がＯＮ状態にある期間内に実行することができる。
【０６２６】
〔特別図柄当選時演出〕
図４９は、特別図柄の変動表示に伴う特別図柄当選時演出の流れを示す連続図である。上記のように本実施形態では、可変始動入賞装置２６（始動入賞口２６ａ）への入賞を契機として特別図柄の変動表示が行われるが、その当選確率（小当り確率）が１／１であるため、特別図柄に関して演出図柄等を用いた演出は行われず、以下の特別図柄当選時演出が実行される。
【０６２７】
〔特別図柄変動表示中演出〕
図４９中（ＶＩＩ）：特別遊技進行状況が上記の（２）「特別図柄変動表示中状態」に遷移すると、例えば画面中央位置で、女性キャラクターが「次は上が開くよ！」といった台詞を発する演出が行われる。このような演出により、遊技者に対して「上大入賞口２８ｂが開かれる」ということを意識させることができる。なお、このとき特別図柄表示装置３４において特別図柄が変動表示されているため、これに合わせて特別演出図柄ＴＺ１が変動表示されている。また普通図柄については、可変始動入賞装置２６の作動終了によって次の変動が行われるため、画面右下位置では普図記憶数マーカＦＭを減少させる演出が行われている。
【０６２８】
〔特別図柄停止表示中演出〕
図４９中（ＶIII）：特別遊技進行状況が上記の（３）「特別図柄停止図柄表示中状態」に遷移すると、例えば上記の女性キャラクターが「上を狙って！」といった台詞を発する演出が行われる。このような演出により、遊技者に対して「開放中の上大入賞口２８ｂに入賞させる必要がある」ということを意識させ、その後の遊技の円滑な進行を促進することができる。また、このとき特別図柄表示装置３４において特別図柄が当選図柄で停止表示されているため、これに合わせて特別演出図柄ＴＺ１も当選の態様（例えば水色）により停止表示されている。
【０６２９】
〔役物装置作動開始演出〕
図４９中（ＩＸ）：特別遊技進行状況が上記の（４）「役物装置作動開始演出中状態」に遷移すると、例えば上記の女性キャラクターが「よーし行くぞ。」といった台詞を発する演出が行われる。このような演出により、遊技者に対して「可動入球役物装置２８内で振り分け動作による遊技が開始される」ということを意識させ、実際にこの後の遊技球の振り分け動作に対して遊技者の注意を惹き付けることができる。
【０６３０】
以上のような演出は、例えば図２０中（Ｂ）で入賞が発生し、図２０中（Ｃ）で時刻ｔ１２から特別図柄の変動時間Ｔ１３内に実行することができる。
【０６３１】
〔振り分け動作中演出〕
図５０は、可動入球役物装置２８内での振り分け動作中に実行される演出の流れを示す連続図である。このような演出は、例えば特別遊技進行状況が上記の（５）「役物装置開放状態」、又は（６）「役物装置開放後閉鎖状態」以降に遷移し、図２０中（Ｄ），（Ｅ）で上大入賞口ソレノイド２１４及び第１ストッパソレノイド２２０のＯＮ／ＯＦＦが制御されている期間（時刻ｔ１３〜時刻ｔ１６）内に実行することができる。
【０６３２】
図５０中（Ａ）：振り分け動作中演出の初期では、味方の女性キャラクター（右側）と敵方のキャラクター（左側）の画像が並んで表示されるとともに、お互いが睨み合い、真ん中で火花を散らしている様子が動画像によって演出的に表現されている。また適宜、表示画面内に「勝負」等の文字が表示されることで、遊技者に対して「いよいよこれから２人の勝負が始まるぞ」といった観念を想起させることができる。また、このとき合わせて各キャラクターの台詞（例えば「絶対に勝つ！」「かかって来なさい！」等）が音響出力される態様であってもよい。この場合、例えば台詞の内容で期待度を示唆することができる（台詞の内容が積極的なほど期待度が高い等。）。なお「期待度」は、例えば第１ストッパ１９０が動作パターンに基づいて１回目〜６回目等で解除されるそれぞれのタイミングと、各タイミングでの第１回転体４４０の回転角度との相対関係（位相差）から導き出すことができる。
【０６３３】
また、このとき普通図柄の変動表示が行われることで、画面右下位置では普図記憶数マーカＦＭが減少し、その他の残りが順送りで移動していく様子が表示されている。
【０６３４】
図５０中（Ｂ）：振り分け動作中演出の中期から終期にかけて、２名のキャラクターが表示画面から一旦消えて、「じゃんけん」という文字情報が大きく表示される。これにより、遊技者に対して「キャラクター同士がじゃんけんで勝負するのだな」という観念を想起させるとともに、可動入球役物装置２８内で例えば第１ストッパ１９０が動作パターンに基づいて１回目〜６回目等でそれぞれ解除される動作に注目させることができる。なお、このとき合わせて「じゃんけんで勝負」といった掛け声や効果音、ＢＧＭ等が音響出力される態様であってもよい。
【０６３５】
また本実施形態では、このような役物ゲーム中も並行して排出処理が進行している。具体的には、第１ストッパ１９０が正規に解除される前に第３ストッパ１９４が放出位置に上昇し、ノーマルルートに置かれていた球（置き球）の排出を行っている。このとき、上記のように演出上で第１ストッパ１９０が正規に解除される動作に遊技者の注目を向けさせることで、並行して行われている排出処理の動作をなるべく目立たなくすることができる。
【０６３６】
〔特定領域通過時演出〕
この後、実際に振り分け動作が行われ、その結果、特定領域の通過（Ｖ入賞）が発生すると、例えば以下の演出が実行される。
【０６３７】
図５０中（Ｃ）：この場合、２名のキャラクターが「それぞれじゃんけんの手を出す」という内容の動画像が表示される。この例では、画面の右から味方のキャラクターの手「チョキ」が出現し、また画面の左から敵方のキャラクターの手「パー」が出現するまでの一連の様子が表現されている。このとき、各キャラクターの動作に合わせて、「じゃーんけーんーぽん！」といった掛け声が音響出力される態様であってもよい。
【０６３８】
図５０中（Ｄ）：そして勝負の結果、見事に味方のキャラクターが勝利を収めたことが表示される。この例では、見事勝利した味方のキャラクターが表示画面の中央に大写しとなり、顔の横で勝利のＶサインを見せている様子が演出的に表現されている。また表示画面内には、「勝った！！」という文字が表示されることで、遊技者に対して「じゃんけんに勝利した」という観念を想起させ、「振り分け動作の結果、特定領域の通過（Ｖ入賞）が発生した」ということを教示することができる。
【０６３９】
〔大当り中演出〕
次に図５１は、特定領域通過後の大当り遊技中に実行される演出の例を部分的に示す連続図である。このような演出は、例えば特別遊技進行状況が上記の（９）「大入賞口開閉動作中状態」以降に遷移した場合に実行される。
【０６４０】
〔２ラウンド開始時〕
図５１中（Ａ）：上記のように本実施形態では、大当り遊技が２ラウンド目から開始される。この場合、例えば画面内に「ＲＯＵＮＤ２」のラウンド数に対応する文字情報が表示されるとともに、大当り遊技中に固有の演出画像（例えば女性キャラクター）が表示される。なお画面の右下位置には、第４図柄ＦＺ４や普図記憶数マーカＦＭ、特別演出図柄ＴＺ１等が引き続き表示されている。
【０６４１】
〔１６ラウンド中〕
図５１中（Ｂ）：この後、大当り遊技が順調に進行し、最終の１６ラウンドに移行する。このとき、画面内には「ＲＯＵＮＤ１６」のラウンド数に対応する文字情報が表示されるとともに、大当り遊技中に固有の演出画像が表示されている。
【０６４２】
〔大当りエンディング演出〕
図５１中（Ｃ）：大当り遊技が終了するタイミング（可変入賞装置作動終了処理）において、この後に移行する「時間短縮状態」とその回数を教示する内容の大当りエンディング演出が実行される。この例では、例えば画面内に「チャンスモード突入！」という文字情報とともに、「６回」という残りの変動回数を表す情報が表示されている。このような大当りエンディング演出を実行することにより、大当り遊技終了後の特典として「時間短縮状態」に移行することと、合わせてその時短回数を遊技者に教示することができる。
【０６４３】
〔時短中演出〕
大当り遊技の終了後、実際に「時間短縮状態」に移行すると、例えば時短中演出が実行される。なお、「時間短縮状態」では普通図柄に対応する作動抽選が「当選Ｂ」に該当した場合であっても、可変始動入賞装置２６の作動時間が通常より延長され、可変始動入賞口２６ａへの入賞が容易になる。このため、「時間短縮状態」では「演出上非当選」がほとんど発生しないため、上述した変動表示演出（図４５〜図４６）は実行されない。
【０６４４】
図５１中（Ｄ）：例えば時短中演出として、女性キャラクターが「☆は４つまで貯められるよ！」といった台詞を発する演出が行われる。ここで「☆」のシンボルマークは、画面左下位置に示されているように特別図柄作動記憶マーカＴＭを表している。したがって、このような台詞を発する演出を実行することにより、遊技者に対して「時短中は特別図柄の作動記憶を４つまで貯めた方がよい」ということを認識させ、その後の円滑な遊技の進行を促すことができる。なお、ここでは特に図示していないが、その他の態様により時短中演出が実行されることとしてもよい。
【０６４５】
〔時短中の振り分け動作中演出〕
次に図５２及び図５３は、「時間短縮状態」に移行した場合に実行される振り分け動作演出の流れを示す連続図である。この例では、可動入球役物装置２８内で第１回転体４４０による振り分けの結果、上記の逆転ルート振分部に遊技球が振り分けられ、さらに第２回転体４４２により特定領域以外に振り分けられた場合に実行される演出を示している。また以下の例では、今回の可動入球役物装置２８の作動終了をもって「時間短縮状態」が終了するケースを想定している。
【０６４６】
〔可動入球役物装置入賞後〕
図５２中（Ａ）：上記のように可動入球役物装置２８（上大入賞口２８ｂ）への入賞後、第１ストッパ１９０による正規の解除（例えば１回目〜６回目等）を経て第１回転体４４０で遊技球が逆転ルート振分部に振り分けられた場合、逆転検知スイッチ２０５から検出信号が出力される。これを受けて演出の内容は、例えばじゃんけんの手が「あいこ」となり、この時点では勝負がつかなかったことを表す態様（再挑戦演出）に変化する。
【０６４７】
〔再挑戦演出〕
図５２中（Ｂ）：この場合、味方の女性キャラクターが画面内で大写しとなり、例えば「まだまだ！」といった台詞を発する演出が行われる。このような演出により、遊技者に対して逆転ルート振分部による逆転が発生したことを認識させるとともに、以後の遊技球の振り分け動作に対して注目させることができる。
【０６４８】
図５２中（Ｃ）：再挑戦演出では、例えば同じく味方の女性キャラクター（右側）と敵方のキャラクター（左側）の画像が並んで表示されるとともに、お互いが睨み合い、真ん中で火花を散らしている様子が動画像によって演出的に表現されている。
【０６４９】
〔図５３参照〕
図５３中（Ｄ）：そして、再び２名のキャラクターが表示画面から一旦消えて、「じゃんけん」という文字情報が大きく表示される。これにより、遊技者に対して「キャラクター同士がじゃんけんで再度勝負するのだな」という観念を想起させるとともに、可動入球役物装置２８内で第３ストッパ１９４が解除される動作（第２回転体４４２に向けて遊技球が放出される動作）に注目させることができる。
【０６５０】
この後、実際に振り分け動作が行われ、その結果、特定領域を通過（Ｖ入賞）することなく遊技球が排出された場合、例えば以下の排出検知演出が実行される。
【０６５１】
〔排出検知演出〕
図５３中（Ｅ）：この場合、２名のキャラクターが「それぞれじゃんけんの手を出す」という内容の動画像が表示されるが、画面の右から味方のキャラクターの手「パー」が出現し、また画面の左から敵方のキャラクターの手「チョキ」が出現することで、「残念ながらじゃんけんに負けた」ということを表す演出が行われる。これにより、遊技者に対して「特定領域の通過（Ｖ入賞）が発生しなかった」ことを伝達し、可動入球役物装置２８内での役物ゲームが終了したことを認識させることができる。
【０６５２】
このとき、主制御ＣＰＵ７２による制御上では、遊技球の排出完了を契機として時間短縮機能がＯＦＦになる。そして、特別遊技進行状況が上記（７）「役物装置作動終了演出中状態」に遷移すると、例えば以下のエンディング演出が実行される。エンディング演出は、上記のように役物装置作動終了処理（図３６中のステップＳ４５０２）においてカウントダウンされるエンディング時間を利用して実行される。
【０６５３】
〔エンディング演出〕
図５３中（Ｆ）：エンディング演出の初期では、先の勝負の結果、残念ながら味方のキャラクターが負けてしまったことが表示される。この例では、勝負に負けた味方のキャラクターが表示画面の中央に大写しとなり、残念がっている様子が演出的に表現されている。また表示画面内には、「負けた・・・」という文字が表示されることで、遊技者に対して「じゃんけんに勝てなかった」という観念を想起させ、「振り分け動作の結果、特定領域の通過（Ｖ入賞）が発生しなかった」ということを教示することができる。
【０６５４】
図５３中（Ｇ）：そしてエンディング演出の終期では、味方の女性キャラクターが画面上で位置を変えて表示され、例えば「またね！」という台詞をにこやかに発する内容の演出が実行される。このような演出により、遊技者に対して気持ちを入れ替えさせ、次の振り分け動作に対して意欲を向けさせることができる。なお、このとき画面左上位置には、これまでに演出上で勝利した回数を表す文字（例えば「バトル１０勝」）が表示されている。この回数は、これまでに連続で発生させた大当りの回数（初当りを含む）を示している。
【０６５５】
また、このとき画面右下位置では普図記憶数マーカＦＭが１つ減少しているが、既に時間短縮機能がＯＦＦになっているため、今回の普通図柄の変動は「非時間短縮状態」で行われる。これにより、エンディング時間の終了時点を跨いで可変始動入賞装置２６が開放されることを防止し、不用意に特別図柄の変動回数が追加されてしまうことを抑制することができる。
【０６５６】
なお、画面左下位置に特別図柄作動記憶マーカＴＭが表示されているように、この時点で特別図柄の作動記憶が残存していれば、その記憶を消化して次の特別図柄の変動表示が可能になる。
【０６５７】
次に、以上の演出を具体的に実現するための制御手法の例について説明する。上述した各種演出は、いずれも以下の制御処理を通じて制御されている。
【０６５８】
〔演出制御処理〕
図５４は、演出制御ＣＰＵ１２６により実行される演出制御処理の手順例を示すフローチャートである。この演出制御処理は、例えば図示しないリセットスタート（メイン）処理とは別にタイマ割込処理（割込管理処理）の中で実行される。演出制御ＣＰＵ１２６は、リセットスタート処理の実行中に所定の割込周期（例えば、数ミリ秒周期）でタイマ割込を発生させ、タイマ割込処理を実行する。
【０６５９】
演出制御処理は、コマンド受信処理（ステップＳ４００）、演出図柄管理処理（ステップＳ４０２）、普通図柄当り後演出管理処理（ステップＳ４０４）、表示出力処理（ステップＳ４０５）、ランプ駆動処理（ステップＳ４０６）、音響駆動処理（ステップＳ４０８）、演出乱数更新処理（ステップＳ４１０）及びその他の処理（ステップＳ４１２）のサブルーチン群を含む構成である。以下、各処理に沿って演出制御処理の基本的な流れを説明する。
【０６６０】
ステップＳ４００：コマンド受信処理において、演出制御ＣＰＵ１２６は主制御ＣＰＵ７２から送信される演出用のコマンドを受信する。また、演出制御ＣＰＵ１２６は受信したコマンドを解析し、それらを種類別にＲＡＭ１３０のコマンドバッファ領域に保存する。なお、主制御ＣＰＵ７２から送信される演出用のコマンドには、例えば機種指定コマンド、特別図柄状態指定コマンド、作動記憶数増加時演出コマンド、作動記憶数減少時演出コマンド、回数切りカウンタ残数コマンド、普通図柄通過始動音制御コマンド、始動口入賞音制御コマンド、デモ演出用コマンド、抽選結果コマンド、変動パターンコマンド、変動開始コマンド、停止図柄指定コマンド、図柄停止コマンド、役物装置閉鎖コマンド、大当り状態指定コマンド、大当り種別コマンド、大当り状態移行コマンド、ラウンド数コマンド、エラー通知コマンド等がある。
【０６６１】
ステップＳ４０２：演出図柄管理処理では、演出制御ＣＰＵ１２６は演出図柄を用いた変動表示演出や結果表示演出（図４５，図４６等）の内容を制御する。
【０６６２】
ステップＳ４０４：普通図柄当り後演出管理処理において、演出制御ＣＰＵ１２６は普通図柄抽選で当選（通常時に「当選Ａ」に該当）した後の演出（図４９〜図５３等）を制御する。なお、具体的な処理の内容は、別のフローチャートを用いてさらに後述する。
【０６６３】
ステップＳ４０５：表示出力処理では、演出制御ＣＰＵ１２６は演出表示制御装置１４４（表示制御ＣＰＵ１４６）に対して演出内容の基本的な制御情報（例えば、普通図柄お呼び特別図柄それぞれの作動記憶数、変動演出パターン番号、予告演出番号、モード番号等）を指示する。これにより、演出表示制御装置１４４（表示制御ＣＰＵ１４６及びＶＤＰ１５２）は指示された演出内容に基づいて液晶表示器４２による表示動作を制御する。
【０６６４】
ステップＳ４０６：ランプ駆動処理では、演出制御ＣＰＵ１２６はランプ駆動回路１３２に対して制御信号を出力する。これを受けてランプ駆動回路１３２は、制御信号に基づいて各種ランプ４６〜５２や盤面ランプ５３等を駆動（点灯又は消灯、点滅、輝度階調変化等）する。
【０６６５】
ステップＳ４０８：次の音響駆動処理では、演出制御ＣＰＵ１２６は音響駆動回路１３４に対して演出内容（例えば変動表示演出中やリーチ演出中、可動入球役物装置２８内での振り分け動作中、大当り演出中のＢＧＭ、音声データ等）を指示する。これにより、スピーカ５４，５５，５６から演出内容に応じた音が出力される。
【０６６６】
ステップＳ４１０：演出乱数更新処理では、演出制御ＣＰＵ１２６はＲＡＭ１３０のカウンタ領域において各種の演出乱数を更新する。演出乱数には、例えば予告選択に用いられる乱数等がある。
【０６６７】
ステップＳ４１２：その他の処理では、例えば演出用に可動体がある場合、演出制御ＣＰＵ１２６は可動体の駆動用ＩＣに対して制御信号を出力する。特に図示していないが、可動体は例えばソレノイドやステッピングモータ等の駆動源によって動作し、液晶表示器４２による画像の表示と同期して、又は単独で演出を行うものである。これらソレノイドやステッピングモータ等の駆動源は、例えば図１５中のパネル電飾基板１３８に接続することができる。
【０６６８】
〔普通図柄当り後演出管理処理〕
図５５は、普通図柄当り後演出管理処理の構成例を示すフローチャートである。普通図柄当り後演出管理処理は、例えば実行選択処理（ステップＳ５００）、可変始動入賞装置作動時処理（ステップＳ５０２）、役物装置作動時処理（ステップＳ５０４）、役物入賞時処理（ステップＳ５０６）、可変入賞装置作動時処理（ステップＳ５０８）のサブルーチン群を含む構成である。以下、各処理に沿って演出制御処理の基本的な流れを説明する。
【０６６９】
ステップＳ５００：実行選択処理において、演出制御ＣＰＵ１２６は次に実行するべき処理（ステップＳ５０２〜ステップＳ５０８のいずれか）のジャンプ先を選択する。例えば、演出制御ＣＰＵ１２６は次に実行するべき処理のプログラムアドレスをジャンプ先のアドレスとし、また戻り先のアドレスとして普通図柄当り後演出管理処理の末尾を「ジャンプテーブル」にセットする。いずれの処理を次のジャンプ先として選択するかは、これまでに行われた処理の進行状況によって異なる。例えば、演出制御ＣＰＵ１２６は最初のジャンプ先として可変始動入賞装置作動時処理（ステップＳ５０２）を選択する。一方、既に可変始動入賞装置作動時処理が完了していれば、演出制御ＣＰＵ１２６は次のジャンプ先として役物装置作動時処理（ステップＳ５０４）を選択し、役物装置作動時処理まで完了していれば、次のジャンプ先として役物入賞時処理（ステップＳ５０６）を選択する。なお、可変入賞装置作動時処理（ステップＳ５０８）は、主制御ＣＰＵ７２において可変入賞装置作動開始処理（図３２中のステップＳ５０００）が選択された場合にのみ、以降のジャンプ先として選択される。この場合、ステップＳ５０２〜ステップＳ５０６は実行されない。
【０６７０】
ステップＳ５０２：可変始動入賞装置作動時処理では、演出制御ＣＰＵ１２６は可変始動入賞装置２６を作動させる場合の演出（図４８中（ＶＩ）等）を制御する。このような演出を実行することで、遊技者が漫然と遊技を消化するのを防止し、目的意識を再確認させて遊技意欲の低下を防止することができる。
【０６７１】
ステップＳ５０４：この役物装置作動時処理において、演出制御ＣＰＵ１２６は上記の特別図柄当選時演出（図４９）を実行することができる。
【０６７２】
ステップＳ５０６：役物入賞時処理では、演出制御ＣＰＵ１２６は上記のように可動入球役物装置２８内でのゲームフローの進捗状況に合わせて実行される画像演出（図５０，図５２，図５３等）を制御する。これにより、可動入球役物装置２８内での遊技の流れを遊技者に対して訴求させることができる。
【０６７３】
ステップＳ５０８：可変入賞装置作動時処理では、演出制御ＣＰＵ１２６は大当り中の演出内容を制御する。例えば、演出制御ＣＰＵ１２６は液晶表示器４２に表示する演出内容として大当り中に専用の演出パターンを選択し、これを演出表示制御装置１４４（表示制御ＣＰＵ１４６）に対して指示する。また演出制御ＣＰＵ１２６は、大当り中の遊技の進行状況（例えば、ラウンドの進行状況）に合わせて演出パターンを選択すると、これらを適宜、演出表示制御装置１４４（表示制御ＣＰＵ１４６）に対して指示する。これにより、液晶表示器４２の表示画面では大当り中に専用の演出画像（図５１参照）が表示されるとともに、ラウンドの進行に伴って演出内容が変化していくことになる。
【０６７４】
本発明は、上述した実施形態に制約されることなく、各種の変形を採用することができる。例えば、演出の例として挙げた画像や動作はあくまで一例であり、これらは適宜に変形することができる。
【０６７５】
一実施形態で挙げた抽選の確率や図柄の変動時間、可変始動入賞装置２６の開放時間、可動入球役物装置２８の開放時間、可変入賞装置３０の開放時間等の各種条件はあくまで例示であり、これらは適宜に変形してもよい。また、遊技領域８の構成や可動入球役物装置２８内の具体的な構成は種々に変形して実施してもよい。
【０６７６】
図２０中（Ｄ）で示した上大入賞口ソレノイド２１４のＯＮ／ＯＦＦ制御タイミングは一例であり、初回の短期開放時間Ｔ１４、２回目以降の開放時間Ｔ１７，Ｔ１９及び待機時間Ｔ１６，Ｔ１８は適宜の長さに設定することができる。
【０６７７】
同様に、図２０中（Ｅ）に示される第１ストッパソレノイド２２０の制御タイミングは一例であり、ＯＮ／ＯＦＦ状態を切り替える動作パターンは適宜に変更して設定することができる。
【０６７８】
〔短期開放時間の設定例〕
一実施形態では、可動入球役物装置２８の初回の開閉動作を短期開放時間Ｔ１５で行っているが、２回目以降の開閉動作の一部を入賞が困難な短期開放時間で行ってもよい。
【０６７９】
〔初回開閉動作時の入賞特典〕
また一実施形態では、初回に行われる開閉動作での入賞を困難としているが、仮に初回で上大入賞口２８ｂに入賞が発生した場合、スペシャルルートへ強制的に振り分けられる構造を用いてもよい。具体的には、可動入球役物装置２８内に別のスペシャル案内ルートと球案内部材を配置する。球案内部材は、作動時（例えばソレノイドがＯＮ）だけ上大入賞口２８ｂに入賞した遊技球をスペシャル案内ルートへ誘導する構造とし、スペシャル案内ルートは、ルート振り分け体４４，４５を介さずにスペシャルルート用の案内通路２８ｅへ遊技球を誘導する構造とする。これにより、困難な開閉動作時に入賞を発生させたことに対する特典を付与し、挑戦しがいのある遊技性を提供することができる。
【０６８０】
その他、パチンコ機１の構造や盤面構成等は図示のものも含めて好ましい例示であり、これらを適宜に変形可能であることはいうまでもない。
【符号の説明】
【０６８１】
１    パチンコ機
８    遊技盤
８ａ  遊技領域
２０    始動ゲート
２６    可変始動入賞装置
２８    可動入球役物装置
３０    可変入賞装置
３３    普通図柄表示装置
３３ａ  普通図柄作動記憶ランプ
３４    特別図柄表示装置
３４ａ  特別図柄作動記憶ランプ
４２    液晶表示器
７０    主制御装置
７２    主制御ＣＰＵ
７４    ＲＯＭ
７６    ＲＡＭ
１２４    演出制御装置
１２６    演出制御ＣＰＵ
【図１】
0005777434.tif 000002
【図２】
0005777434.tif 000003
【図３】
0005777434.tif 000004
【図４】
0005777434.tif 000005
【図５】
0005777434.tif 000006
【図６】
0005777434.tif 000007
【図７】
0005777434.tif 000008
【図８】
0005777434.tif 000009
【図９】
0005777434.tif 000010
【図１０】
0005777434.tif 000011
【図１１】
0005777434.tif 000012
【図１２】
0005777434.tif 000013
【図１３】
0005777434.tif 000014
【図１４】
0005777434.tif 000015
【図１５】
0005777434.tif 000016
【図１６】
0005777434.tif 000017
【図１７】
0005777434.tif 000018
【図１８】
0005777434.tif 000019
【図１９】
0005777434.tif 000020
【図２０】
0005777434.tif 000021
【図２１】
0005777434.tif 000022
【図２２】
0005777434.tif 000023
【図２３】
0005777434.tif 000024
【図２４】
0005777434.tif 000025
【図２５】
0005777434.tif 000026
【図２６】
0005777434.tif 000027
【図２７】
0005777434.tif 000028
【図２８】
0005777434.tif 000029
【図２９】
0005777434.tif 000030
【図３０】
0005777434.tif 000031
【図３１】
0005777434.tif 000032
【図３２】
0005777434.tif 000033
【図３３】
0005777434.tif 000034
【図３４】
0005777434.tif 000035
【図３５】
0005777434.tif 000036
【図３６】
0005777434.tif 000037
【図３７】
0005777434.tif 000038
【図３８】
0005777434.tif 000039
【図３９】
0005777434.tif 000040
【図４０】
0005777434.tif 000041
【図４１】
0005777434.tif 000042
【図４２】
0005777434.tif 000043
【図４３】
0005777434.tif 000044
【図４４】
0005777434.tif 000045
【図４５】
0005777434.tif 000046
【図４６】
0005777434.tif 000047
【図４７】
0005777434.tif 000048
【図４８】
0005777434.tif 000049
【図４９】
0005777434.tif 000050
【図５０】
0005777434.tif 000051
【図５１】
0005777434.tif 000052
【図５２】
0005777434.tif 000053
【図５３】
0005777434.tif 000054
【図５４】
0005777434.tif 000055
【図５５】
0005777434.tif 000056